(57)【特許請求の範囲】
【請求項１】
ダウンリンクのデータ処理方法であって、前記方法は、
ユーザ機器UEが、非セルラ無線アクセスデバイスもしくはアクセスコントローラからのデータフレームを受信するステップであって、前記データフレームは、セルラ無線アクセスデバイスからオフロードされたデータパケットと、前記データパケットがセルラネットワークのデータパケットであることを指示するのに用いられる指示情報とを含み、前記指示情報は前記データパケットのタイプコードである、前記ステップと、
前記UEが、前記データパケットのタイプコードに従って前記データパケットはセルラネットワークのデータパケットであると決定するステップと、
前記UEが、セルラ・ネットワーク・プロトコルを用いて前記データパケットを処理するステップと
を含む、方法。
【請求項２】
前記データフレームは、前記データパケットを搬送する無線ベアラを指示するのに用いられるベアラ情報をさらに含む、請求項1に記載の方法。
【請求項３】
前記ベアラ情報はデータ無線ベアラ識別子（DRB ID）を含む、請求項2に記載の方法。
【請求項４】
前記セルラネットワークのデータパケットはパケットデータ統合プロトコル、PDCP、データパケットまたは無線リンク制御、RLC、データパケットを含む、請求項1から3のいずれか一項に記載の方法。
【請求項５】
データ処理方法であって、前記方法は、
非セルラ無線アクセスデバイスもしくはアクセスコントローラが、セルラ無線アクセスデバイスからの第1のデータフレームを受信するステップであって、前記第1のデータフレームは前記セルラ無線アクセスデバイスからオフロードされたデータパケットを含む、前記ステップと、
前記非セルラ無線アクセスデバイスもしくは前記アクセスコントローラが、UEへ第2のデータフレームを送信するステップであって、前記第2のデータフレームが、前記データパケットと、前記データパケットがセルラネットワークのデータパケットであることを指示するのに用いられる指示情報と、を含み、前記指示情報が、前記UEが、セルラ・ネットワーク・プロトコルを用いて前記データパケットを処理することを指示する、ステップと
を含み、
前記指示情報は前記データパケットのタイプコードである、
方法。
【請求項６】
前記データフレームは、前記データパケットを搬送する無線ベアラを指示するのに用いられるベアラ情報をさらに含む、請求項5に記載の方法。
【請求項７】
前記ベアラ情報はデータ無線ベアラ識別子（DRB ID）を含む、請求項6に記載の方法。
【請求項８】
前記セルラネットワークのデータパケットはパケットデータ統合プロトコル、PDCP、データパケットまたは無線リンク制御、RLC、データパケットを含む、請求項5から7のいずれか一項に記載の方法。
【請求項９】
ユーザ機器、UE、であって、前記UEは、
非セルラ無線アクセスデバイスもしくはアクセスコントローラからのデータフレームを受信する、ように構成された受信モジュールであって、前記データフレームは、セルラ無線アクセスデバイスからオフロードされたデータパケットと、前記データパケットがセルラネットワークのデータパケットであることを指示するのに用いられる指示情報とを含み、前記指示情報は前記データパケットのタイプコードである、前記受信モジュールと、
前記データパケットのタイプコードに従って前記データパケットはセルラネットワークのデータパケットであると決定し、前記データパケットをロング・ターム・エボルーション、LTE、モジュールへ送るように構成された、ワイヤレスフィデリティWiFiモジュールと、
前記WiFiモジュールによって送られた前記データパケットを受け取り、セルラ・ネットワーク・プロトコルを用いてデータパケットを処理するように構成された、LTEモジュールと
を含む、UE。
【請求項１０】
前記データフレームは、前記データパケットを搬送する無線ベアラを指示するのに用いられるベアラ情報をさらに含む、請求項9に記載のUE。
【請求項１１】
前記ベアラ情報はデータ無線ベアラ識別子（DRB ID）を含む、請求項10に記載のUE。
【請求項１２】
前記セルラネットワークのデータパケットはパケットデータ統合プロトコルPDCPデータパケットまたは無線リンク制御RLCデータパケットを含む、請求項9から11のいずれか一項に記載のUE。
【請求項１３】
非セルラ無線アクセスデバイスであって、前記非セルラ無線アクセスデバイスは、
セルラ無線アクセスデバイスからの第1のデータフレームを受信するように構成された受信モジュールであって、前記第1のデータフレームは前記セルラ無線アクセスデバイスからオフロードされたデータパケットを含む、前記受信モジュールと、
UEへ第2のデータフレームを送信するように構成された送信モジュールであって、前記第2のデータフレームが、前記データパケットと、前記データパケットがセルラネットワークのデータパケットであることを指示するのに用いられる指示情報と、を含み、前記指示情報は前記UEによって、前記指示情報に従ってセルラ・ネットワーク・プロトコルを用いて前記データパケットを処理するのに用いられる、前記送信モジュールと
を含み、
前記指示情報は前記データパケットのタイプコードである、
非セルラ無線アクセスデバイス。
【請求項１４】
前記データフレームは、前記データパケットを搬送する無線ベアラを指示するのに用いられるベアラ情報をさらに含む、請求項13に記載の非セルラ無線アクセスデバイス。
【請求項１５】
前記ベアラ情報はデータ無線ベアラ識別子（DRB ID）を含む、請求項14に記載の非セルラ無線アクセスデバイス。
【請求項１６】
前記セルラネットワークのデータパケットはパケットデータ統合プロトコル、PDCP、データパケットまたは無線リンク制御、RLC、データパケットを含む、請求項13から15のいずれか一項に記載の非セルラ無線アクセスデバイス。
【請求項１７】
アクセスコントローラであって、前記アクセスコントローラは、
セルラ無線アクセスデバイスからの第1のデータフレームを受信するように構成された受信モジュールであって、前記第1のデータフレームは前記セルラ無線アクセスデバイスからオフロードされたデータパケットを含む、前記受信モジュールと、
UEへ第2のデータフレームを送信するように構成された送信モジュールであって、前記第2のデータフレームが、前記データパケットと、前記データパケットがセルラネットワークのデータパケットであることを指示するのに用いられる指示情報と、を含み、前記指示情報は前記UEによって、前記指示情報に従ってセルラ・ネットワーク・プロトコルを用いて前記データパケットを処理するのに用いられる、前記送信モジュールと
を含み、
前記指示情報は前記データパケットのタイプコードである、
アクセスコントローラ。
【請求項１８】
前記データフレームは、前記データパケットを搬送する無線ベアラを指示するのに用いられるベアラ情報をさらに含む、請求項17に記載のアクセスコントローラ。
【請求項１９】
前記ベアラ情報はデータ無線ベアラ識別子（DRB ID）を含む、請求項18に記載のアクセスコントローラ。
【請求項２０】
前記セルラネットワークのデータパケットはパケットデータ統合プロトコル、PDCP、データパケットまたは無線リンク制御、RLC、データパケットを含む、請求項17から19のいずれか一項に記載のアクセスコントローラ。
【請求項２１】
請求項1から8のいずれか一項の方法をコンピュータに実行させるプログラム。
【発明の詳細な説明】
【技術分野】
【０００１】
本発明は通信分野に関し、詳細には、ダウンリンクのオフロードおよび統合の方法、アップリンクのオフロードおよび統合の方法、ならびにデバイスに関する。
【背景技術】
【０００２】
インテリジェント端末およびモバイルアプリケーションの急速な発達と共にモバイル・データ・トラフィックが急増した。その結果として、現在の第3世代パートナーシッププロジェクト（3rd Generation Partnership Project、3GPP）ネットワークがモバイル・データ・トラフィックの増大する要件を満たすことがますます難しくなっている。したがって、モバイル事業者は、3GPPネットワークと非3GPPネットワーク（non−3GPP）との間のネットワーク間協調によって非3GPPネットワークを用いて3GPPネットワークのモバイル・データ・トラフィックの一部または全部を運ぶことにより、現在の3GPPネットワークにかかる負担を軽減することを期待している。例えば、ロング・ターム・エボルーション（Long Term Evolution、LTE）に過負荷がかかっているときに、無線ローカル・エリア・ネットワーク（Wireless Local Access Network、WLAN）のカバレッジ内の一部のユーザ機器（User Equipment、UE）の一部または全部のサービスがWLANにオフロードされ、それによってLTEネットワークのサービス過負荷状態を軽減することができる。
【０００３】
しかし、UEの一部または全部のサービスがWLANにオフロードされた後には、それらのサービスを処理のためにLTEプロトコル層において統合することができない。したがって、UEのサービス継続性を保証することができず、UEのサービス品質が低下するため、ユーザ体感に影響が及ぶ。
【発明の概要】
【課題を解決するための手段】
【０００４】
本発明は、UEの一部または全部のサービスがオフロードされた後でUEのサービス継続性を保証することができないためにサービス品質低下およびユーザ体感悪化が生じるという問題を解決するために、ダウンリンクのオフロードおよび統合の方法、アップリンクのオフロードおよび統合の方法、ならびにデバイスを提供する。
【０００５】
前述の目的を達成するために、本発明では以下の技術的解決策を用いる。
本発明の第1の態様はダウンリンクのオフロードおよび統合の方法を提供し、本方法はセルラ無線アクセスデバイスおよび非セルラ無線アクセスデバイスを含む無線通信システムに適用され、本方法は、
セルラ無線アクセスデバイスが、セルラ無線アクセスデバイスによってサービスされているユーザ機器UEのセルラネットワークにおけるデータを非セルラネットワークにオフロードすることを決定するステップと、
セルラ無線アクセスデバイスが非セルラ無線アクセスデバイスを用いて、セルラ無線アクセスデバイスによってサービスされているUEへデータフレームを送信するステップと
を含み、
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０００６】
第1の態様に関連して、1つの可能な実施態様において、指示情報はセルラ無線アクセスデバイスのアドレス情報である。
【０００７】
第1の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０００８】
第1の態様および前述の可能な実施態様に関連して、別の可能な実施態様において、本方法は、
セルラ無線アクセスデバイスが、ベアラ情報と、少なくとも1つの無線ベアラに含まれる、データパケットを搬送する無線ベアラとの間のマッピング関係を、エア・インターフェース・メッセージを用いてUEへ送信するステップ、
をさらに含む。
【０００９】
第1の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００１０】
本発明の第2の態様はダウンリンクのオフロードおよび統合の方法を提供し、本方法はセルラ無線アクセスデバイスおよび非セルラ無線アクセスデバイスを含む無線通信システムに適用され、本方法は、
アクセスコントローラACが、セルラ無線アクセスデバイスによって送信された、セルラ無線アクセスデバイスがユーザ機器UEへ送信する必要のあるデータパケットを受信するステップと、
ACが、非セルラ無線アクセスデバイスを用いてUEへデータフレームを送信するステップと
を含み、
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【００１１】
第2の態様に関連して、1つの可能な実施態様において、指示情報はセルラ無線アクセスデバイスのアドレス情報である。
【００１２】
第2の態様および前述の可能な実施態様に関連して、別の可能な実施態様において、ACが、非セルラ無線アクセスデバイスを用いてUEへデータフレームを送信するステップの前に、本方法は、
ACが、セルラ無線アクセスデバイスによって送信された非セルラ無線アクセスデバイスの識別情報を受信するステップであって、識別情報はACによって非セルラ無線アクセスデバイスを決定するのに用いられる、ステップ、
をさらに含む。
【００１３】
第2の態様および前述の可能な実施態様に関連して、別の可能な実施態様において、データパケットは802．3フレームに含まれ、
ACが、非セルラ無線アクセスデバイスを用いてUEへデータフレームを送信するステップの前に、本方法は、
ACが、データフレームに802．3フレームに含まれるデータパケットを付加するステップ、
をさらに含む。
【００１４】
第2の態様および前述の可能な実施態様に関連して、別の可能な実施態様において、
非セルラ無線アクセスデバイスの識別情報は非セルラ無線アクセスデバイスのMACアドレス、非セルラ無線アクセスデバイスの基本サービスセット識別子BSSID、または非セルラ無線アクセスデバイスのサービスセット識別子SSIDである。
【００１５】
第2の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００１６】
第2の態様および前述の可能な実施態様に関連して、別の可能な実施態様において、本方法は、
ACが、ベアラ情報と、少なくとも1つの無線ベアラに含まれる、データパケットを搬送する無線ベアラとの間のマッピング関係を、セルラ無線アクセスデバイスを用いてUEへ送信するステップ、
をさらに含む。
【００１７】
第2の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００１８】
本発明の第3の態様はアップリンクのオフロードおよび統合の方法を提供し、本方法はセルラ無線アクセスデバイスおよび非セルラ無線アクセスデバイスを含む無線通信システムに適用され、本方法は、
ユーザ機器UEがセルラネットワークにおけるUEのデータを非セルラネットワークにオフロードすることを決定したときに、UEが、非セルラ無線アクセスデバイスを用いてセルラ無線アクセスデバイスへデータフレームを送信するステップ、
を含み、
データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【００１９】
第3の態様に関連して、1つの可能な実施態様において、指示情報はセルラ無線アクセスデバイスのアドレス情報である。
【００２０】
第3の態様および前述の可能な実施態様に関連して、別の可能な実施態様において、UEが、非セルラ無線アクセスデバイスを用いてセルラ無線アクセスデバイスへデータフレームを送信するステップの前に、本方法は、
UEが、セルラ無線アクセスデバイスのMACアドレスとMACアドレスの機能情報との間のマッピング関係を受信するステップであって、マッピング関係はセルラ無線アクセスデバイスによって送信され、機能情報はオフロードおよび統合を含む、ステップと、
UEがマッピング関係に従って、その機能情報がオフロードおよび統合であるMACアドレスを指示情報として決定するステップと
を含む。
【００２１】
第3の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００２２】
第3の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００２３】
本発明の第4の態様はダウンリンクのオフロードおよび統合の方法を提供し、本方法はセルラ無線アクセスデバイスおよび非セルラ無線アクセスデバイスを含む無線通信システムに適用され、本方法は、
ユーザ機器UEが、非セルラ無線アクセスデバイスを用いてセルラ無線アクセスデバイスによって送信されたデータフレームを受信するステップであって、データフレームは、セルラ無線アクセスデバイスがセルラネットワークにおけるUEのデータを非セルラネットワークにオフロードすることを決定した後で送信され、データフレームは、セルラ無線アクセスデバイスがUEへ送信する必要のあるデータパケットと、データパケットがセルラネットワークのデータパケットであることを指示するのに用いられる指示情報とを含む、ステップと、
UEが、指示情報に従ってデータパケットはセルラネットワークのデータパケットであると決定するステップと、
UEが、セルラ・ネットワーク・プロトコルを用いてデータパケットを処理するステップと
を含む。
【００２４】
第4の態様に関連して、1つの可能な実施態様において、指示情報はセルラ無線アクセスデバイスのアドレス情報である。
【００２５】
第4の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
UEが、セルラ・ネットワーク・プロトコルを用いてデータパケットを処理するステップの前に、本方法は、
UEが、ベアラ情報と、少なくとも1つの無線ベアラに含まれる、データパケットを搬送する無線ベアラとの間のマッピング関係を受信するステップであって、マッピング関係はエア・インターフェース・メッセージを用いてセルラ無線アクセスデバイスによって送信される、ステップ、
をさらに含み、
UEが、セルラ・ネットワーク・プロトコルを用いてデータパケットを処理するステップは、
UEが、マッピング関係およびベアラ情報に従ってセルラ・ネットワーク・プロトコルを用いてデータパケットを処理するステップ、
を含む。
【００２６】
第4の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００２７】
本発明の第5の態様はダウンリンクのオフロードおよび統合の方法を提供し、本方法はセルラ無線アクセスデバイスおよび非セルラ無線アクセスデバイスを含む無線通信システムに適用され、本方法は、
ユーザ機器UEが、非セルラ無線アクセスデバイスを用いてアクセスコントローラACによって送信されたデータフレームを受信するステップであって、データフレームはACがセルラ無線アクセスデバイスによって送信された、セルラ無線アクセスデバイスがUEへ送信する必要のあるデータパケットを受信した後で送信され、データフレームは、セルラ無線アクセスデバイスがUEへ送信する必要のあるデータパケットと、データパケットがセルラネットワークのデータパケットであることを指示するのに用いられる指示情報とを含む、ステップと、
UEが、指示情報に従ってデータパケットはセルラネットワークのデータパケットであると決定するステップと、
UEが、セルラ・ネットワーク・プロトコルを用いてデータパケットを処理するステップと
を含む。
【００２８】
第5の態様に関連して、1つの可能な実施態様において、指示情報はセルラ無線アクセスデバイスのアドレス情報である。
【００２９】
第5の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
UEが、セルラ・ネットワーク・プロトコルを用いてデータパケットを処理するステップの前に、本方法は、
UEが、ベアラ情報と、少なくとも1つの無線ベアラに含まれる、データパケットを搬送する無線ベアラとの間のマッピング関係を受信するステップであって、マッピング関係はセルラ無線アクセスデバイスを用いてACによって送信される、ステップ、
をさらに含み、
UEが、セルラ・ネットワーク・プロトコルを用いてデータパケットを処理するステップは、
UEが、マッピング関係およびベアラ情報に従ってセルラ・ネットワーク・プロトコルを用いてデータパケットを処理するステップ、
を含む。
【００３０】
第5の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００３１】
本発明の第6の態様はアップリンクのオフロードおよび統合の方法を提供し、本方法はセルラ無線アクセスデバイスおよび非セルラ無線アクセスデバイスを含む無線通信システムに適用され、本方法は、
セルラ無線アクセスデバイスが、非セルラ無線アクセスデバイスを用いてユーザ機器UEによって送信されたデータフレームを受信するステップであって、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含む、ステップと、
セルラ無線アクセスデバイスが、セルラ・ネットワーク・プロトコルを用いてデータパケットを処理するステップと
を含む。
【００３２】
第6の態様に関連して、1つの可能な実施態様において、指示情報はセルラ無線アクセスデバイスのアドレス情報である。
【００３３】
第6の態様および前述の可能な実施態様に関連して、別の可能な実施態様において、セルラ無線アクセスデバイスが、非セルラ無線アクセスデバイスを用いてユーザ機器UEによって送信されたデータフレームを受信するステップの前に、本方法は、
セルラ無線アクセスデバイスが、セルラ無線アクセスデバイスのMACアドレスとMACアドレスの機能情報との間のマッピング関係をUEへ送信するステップであって、機能情報はオフロードおよび統合を含む、ステップ、
をさらに含む。
【００３４】
第6の態様および前述の可能な実施態様に関連して、別の可能な実施態様において、
データフレームは、非セルラ無線アクセスデバイスが、データパケットはセルラネットワークのデータパケットであると決定した後で送信され、または
セルラ無線アクセスデバイスが、セルラ・ネットワーク・プロトコルを用いてデータパケットを処理するステップの前に、本方法は、セルラ無線アクセスデバイスが、指示情報に従ってデータパケットはセルラネットワークのデータパケットであると決定するステップ、をさらに含む。
【００３５】
第6の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
セルラ無線アクセスデバイスが、セルラ・ネットワーク・プロトコルを用いてデータパケットを処理するステップは、
セルラ無線アクセスデバイスが、ベアラ情報、およびベアラ情報と、少なくとも1つの無線ベアラに含まれる、データパケットを搬送する無線ベアラとの間のマッピング関係に従って、セルラ・ネットワーク・プロトコルを用いてデータパケットを処理するステップ、
を含む。
【００３６】
第6の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００３７】
本発明の第7の態様はアップリンクのオフロードおよび統合の方法を提供し、本方法はセルラ無線アクセスデバイスおよび非セルラ無線アクセスデバイスを含む無線通信システムに適用され、本方法は、
アクセスコントローラACが、非セルラ無線アクセスデバイスを用いてユーザ機器UEによって送信されたデータフレームを受信するステップであって、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる、ステップと、
指示情報に従ってデータパケットはセルラネットワークのデータパケットであると決定した後で、ACが、データフレームをセルラ無線アクセスデバイスへ送信するステップ、または、ACが、指示情報に従ってデータパケットはセルラネットワークのデータパケットであると決定した後で非セルラ無線アクセスデバイスによってACへ送信されたデータフレームをセルラ無線アクセスデバイスへ送信するステップと
を含む。
【００３８】
第7の態様に関連して、1つの可能な実施態様において、指示情報はセルラ無線アクセスデバイスのアドレス情報である。
【００３９】
第7の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００４０】
第7の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００４１】
本発明の第8の態様はダウンリンクのオフロードおよび統合の方法を提供し、本方法はセルラ無線アクセスデバイスおよび非セルラ無線アクセスデバイスを含む無線通信システムに適用され、本方法は、
ユーザ機器UEが、非セルラ無線アクセスデバイスを用いてセルラ無線アクセスデバイスによって送信されたデータフレームを受信するステップであって、データフレームはセルラ無線アクセスデバイスがUEへ送信する必要のあるデータパケットを含み、データパケットは送信元インターネットプロトコルIPアドレスおよび宛先IPアドレスを含む、ステップと、
UEが、送信元IPアドレスはセルラサービスを運ぶのに用いられたアドレスであると決定し、または宛先IPアドレスはコア・ネットワーク・ゲートウェイによって割り当てられていると決定するステップと、
UEが、セルラ・ネットワーク・プロトコルを用いてデータパケットを処理するステップと
を含む。
【００４２】
本発明の第9の態様はアップリンクのオフロードおよび統合の方法を提供し、本方法はセルラ無線アクセスデバイスおよび非セルラ無線アクセスデバイスを含む無線通信システムに適用され、本方法は、
セルラ無線アクセスデバイスが、非セルラ無線アクセスデバイスを用いてユーザ機器UEによって送信されたデータフレームを受信するステップであって、データフレームはUEがセルラ無線アクセスデバイスへ送信する必要のあるデータパケットを含み、データパケットは送信元インターネットプロトコルIPアドレスおよび宛先IPアドレスを含む、ステップと、
セルラ無線アクセスデバイスが、宛先IPアドレスはセルラサービスを運ぶのに用いられたアドレスであると決定し、または送信元IPアドレスはコア・ネットワーク・ゲートウェイによって割り当てられていると決定するステップと、
セルラ無線アクセスデバイスが、セルラ・ネットワーク・プロトコルを用いてデータパケットを処理するステップと
を含む。
【００４３】
本発明の第10の態様はダウンリンクのオフロードおよび統合の方法を提供し、本方法はセルラ無線アクセスデバイスおよび非セルラ無線アクセスデバイスを含む無線通信システムに適用され、本方法は、
非セルラ無線アクセスデバイスが、セルラ無線アクセスデバイスによって送信されたデータフレームを受信するステップであって、データフレームはセルラ無線アクセスデバイスがユーザ機器UEへ送信する必要のあるデータパケットを含み、データパケットは送信元インターネットプロトコルIPアドレスおよび宛先IPアドレスを含む、ステップと、
非セルラ無線アクセスデバイスが、送信元インターネットプロトコルIPアドレスはセルラサービスを運ぶのに用いられたアドレスであると決定し、または宛先IPアドレスはコア・ネットワーク・ゲートウェイによって割り当てられていると決定するステップと、
非セルラ無線アクセスデバイスが、UEがセルラ・ネットワーク・プロトコルを用いてデータパケットを処理するように、UEへデータフレームを送信するステップと
を含む。
【００４４】
本発明の第11の態様はアップリンクのオフロードおよび統合の方法を提供し、本方法はセルラ無線アクセスデバイスおよび非セルラ無線アクセスデバイスを含む無線通信システムに適用され、本方法は、
非セルラ無線アクセスデバイスが、ユーザ機器UEによって送信されたデータフレームを受信するステップであって、データフレームはUEがセルラ無線アクセスデバイスへ送信する必要のあるデータパケットを含み、データパケットは送信元インターネットプロトコルIPアドレスおよび宛先IPアドレスを含む、ステップと、
非セルラ無線アクセスデバイスが、宛先IPアドレスはセルラサービスを運ぶのに用いられたアドレスであると決定し、または送信元インターネットプロトコルIPアドレスはコア・ネットワーク・ゲートウェイによって割り当てられていると決定するステップと、
非セルラ無線アクセスデバイスが、セルラ無線アクセスデバイスがセルラ・ネットワーク・プロトコルを用いてデータパケットを処理するように、セルラ無線アクセスデバイスへデータフレームを送信するステップと
を含む。
【００４５】
本発明の第12の態様はダウンリンクのオフロードおよび統合の方法を提供し、本方法はセルラ無線アクセスデバイスおよび非セルラ無線アクセスデバイスを含む無線通信システムに適用され、本方法は、
非セルラ無線アクセスデバイスが、セルラ無線アクセスデバイスまたはアクセスコントローラACによって送信されたデータフレームを受信するステップであって、データフレームはセルラ無線アクセスデバイスがユーザ機器UEへ送信する必要のあるデータパケットを含む、ステップと、
非セルラ無線アクセスデバイスがデータフレームに、データパケットがセルラネットワークのデータパケットであることを指示するのに用いられる指示情報を付加し、UEへデータフレームを送信するステップであって、指示情報はUEによって、指示情報に従ってセルラ・ネットワーク・プロトコルを用いてデータパケットを処理するのに用いられる、ステップと
を含む。
【００４６】
第12の態様に関連して、1つの可能な実施態様において、非セルラ無線アクセスデバイスがデータフレームに、データパケットがセルラネットワークのデータパケットであることを指示するのに用いられる指示情報を付加し、UEへデータフレームを送信するステップの前に、本方法は、
非セルラ無線アクセスデバイスが、セルラ無線アクセスデバイスによって送信された指示情報を受信するステップ、
をさらに含む。
【００４７】
本発明の第13の態様はセルラ無線アクセスデバイスを提供し、本セルラ無線アクセスデバイスは無線通信システムに適用され、無線通信システムは非セルラ無線アクセスデバイスをさらに含み、本セルラ無線アクセスデバイスは、
セルラ無線アクセスデバイスによってサービスされているユーザ機器UEのセルラネットワークにおけるデータを非セルラネットワークにオフロードすることを決定するように構成された、決定モジュールと、
非セルラ無線アクセスデバイスを用いて、セルラ無線アクセスデバイスによってサービスされているUEへデータフレームを送信するように構成された、送信モジュールと
を含み、
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【００４８】
第13の態様に関連して、1つの可能な実施態様において、指示情報はセルラ無線アクセスデバイスのアドレス情報である。
【００４９】
第13の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００５０】
第13の態様および前述の可能な実施態様に関連して、別の可能な実施態様において、
送信モジュールは、ベアラ情報と、少なくとも1つの無線ベアラに含まれる、データパケットを搬送する無線ベアラとの間のマッピング関係を、エア・インターフェース・メッセージを用いてUEへ送信するようにさらに構成されている。
【００５１】
第13の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００５２】
本発明の第14の態様はアクセスコントローラACを提供し、本アクセスコントローラACはセルラ無線アクセスデバイスおよび非セルラ無線アクセスデバイスを含む無線通信システムに適用され、本ACは、
セルラ無線アクセスデバイスによって送信された、セルラ無線アクセスデバイスがユーザ機器UEへ送信する必要のあるデータパケットを受信するように構成された、受信モジュールと、
非セルラ無線アクセスデバイスを用いてUEへデータフレームを送信するように構成された、送信モジュールと
を含み、
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【００５３】
第14の態様に関連して、1つの可能な実施態様において、指示情報はセルラ無線アクセスデバイスのアドレス情報である。
【００５４】
第14の態様および前述の可能な実施態様に関連して、別の可能な実施態様において、
受信モジュールは、送信モジュールが非セルラ無線アクセスデバイスを用いてUEへデータフレームを送信する前に、セルラ無線アクセスデバイスによって送信された非セルラ無線アクセスデバイスの識別情報を受信する、ようにさらに構成されており、識別情報はACによって非セルラ無線アクセスデバイスを決定するのに用いられる。
【００５５】
第14の態様および前述の可能な実施態様に関連して、別の可能な実施態様において、データパケットは802．3フレームに含まれ、
本ACは、
送信モジュールが非セルラ無線アクセスデバイスを用いてUEへデータフレームを送信する前に、データフレームに802．3フレームに含まれるデータパケットを付加する、ように構成された、付加モジュール、
をさらに含む。
【００５６】
第14の態様および前述の可能な実施態様に関連して、別の可能な実施態様において、
非セルラ無線アクセスデバイスの識別情報は非セルラ無線アクセスデバイスのMACアドレス、非セルラ無線アクセスデバイスの基本サービスセット識別子BSSID、または非セルラ無線アクセスデバイスのサービスセット識別子SSIDである。
【００５７】
第14の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００５８】
第14の態様および前述の可能な実施態様に関連して、別の可能な実施態様において、
送信モジュールは、ベアラ情報と、少なくとも1つの無線ベアラに含まれる、データパケットを搬送する無線ベアラとの間のマッピング関係を、セルラ無線アクセスデバイスを用いてUEへ送信するようにさらに構成されている。
【００５９】
第14の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００６０】
本発明の第15の態様はユーザ機器UEを提供し、本ユーザ機器UEはセルラ無線アクセスデバイスおよび非セルラ無線アクセスデバイスを含む無線通信システムに適用され、本UEは、
セルラネットワークにおけるUEのデータを非セルラネットワークにオフロードすることが決定されたときに、非セルラ無線アクセスデバイスを用いてセルラ無線アクセスデバイスへデータフレームを送信するように構成された、送信モジュール
を含み、
データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【００６１】
第15の態様に関連して、1つの可能な実施態様において、指示情報はセルラ無線アクセスデバイスのアドレス情報である。
【００６２】
第15の態様および前述の可能な実施態様に関連して、別の可能な実施態様において、本UEは、
送信モジュールが非セルラ無線アクセスデバイスを用いてセルラ無線アクセスデバイスへデータフレームを送信する前に、セルラ無線アクセスデバイスのMACアドレスとMACアドレスの機能情報との間のマッピング関係を受信するように構成された受信モジュールであって、マッピング関係はセルラ無線アクセスデバイスによって送信され、機能情報はオフロードおよび統合を含む、受信モジュールと、
受信モジュールによって受信されたマッピング関係に従って、その機能情報がオフロードおよび統合であるMACアドレスを指示情報として決定する、ように構成された、決定モジュールと
をさらに含む。
【００６３】
第15の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００６４】
第15の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００６５】
本発明の第16の態様はユーザ機器UEを提供し、本ユーザ機器UEはセルラ無線アクセスデバイスおよび非セルラ無線アクセスデバイスを含む無線通信システムに適用され、本UEは、
非セルラ無線アクセスデバイスを用いてセルラ無線アクセスデバイスによって送信されたデータフレームを受信する、ように構成された受信モジュールであって、データフレームは、セルラ無線アクセスデバイスがセルラネットワークにおけるUEのデータを非セルラネットワークにオフロードすることを決定した後で送信され、データフレームは、セルラ無線アクセスデバイスがUEへ送信する必要のあるデータパケットと、データパケットがセルラネットワークのデータパケットであることを指示するのに用いられる指示情報とを含む、受信モジュールと、
指示情報に従ってデータパケットはセルラネットワークのデータパケットであると決定し、データパケットをロング・ターム・エボルーションLTEモジュールへ送るように構成された、ワイヤレスフィデリティWiFiモジュールと、
WiFiモジュールによって送られたデータパケットを受け取り、セルラ・ネットワーク・プロトコルを用いてデータパケットを処理するように構成された、LTEモジュールと
を含む。
【００６６】
第16の態様に関連して、1つの可能な実施態様において、指示情報はセルラ無線アクセスデバイスのアドレス情報である。
【００６７】
第16の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
受信モジュールは、LTEモジュールがセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はエア・インターフェース・メッセージを用いてセルラ無線アクセスデバイスによって送信され、
WiFiモジュールは、受信モジュールによって受信されたマッピング関係およびベアラ情報に従って無線ベアラに対応するLTEモジュールへデータパケットを送るように特に構成されている。
【００６８】
第16の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００６９】
本発明の第17の態様はユーザ機器UEを提供し、本ユーザ機器UEはセルラ無線アクセスデバイスおよび非セルラ無線アクセスデバイスを含む無線通信システムに適用され、本UEは、
非セルラ無線アクセスデバイスを用いてアクセスコントローラACによって送信されたデータフレームを受信するように構成された受信モジュールであって、データフレームはACがセルラ無線アクセスデバイスによって送信された、セルラ無線アクセスデバイスがUEへ送信する必要のあるデータパケットを受信した後で送信され、データフレームは、セルラ無線アクセスデバイスがUEへ送信する必要のあるデータパケットと、データパケットがセルラネットワークのデータパケットであることを指示するのに用いられる指示情報とを含む、受信モジュールと、
指示情報に従ってデータパケットはセルラネットワークのデータパケットであると決定し、データパケットをロング・ターム・エボルーションLTEモジュールへ送るように構成された、ワイヤレスフィデリティWiFiモジュールと、
WiFiモジュールによって送られたデータパケットを受け取り、セルラ・ネットワーク・プロトコルを用いてデータパケットを処理するように構成された、LTEモジュールと
を含む。
【００７０】
第17の態様に関連して、1つの可能な実施態様において、指示情報はセルラ無線アクセスデバイスのアドレス情報である。
【００７１】
第17の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
受信モジュールは、LTEモジュールがセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はセルラ無線アクセスデバイスを用いてACによって送信され、
WiFiモジュールは、受信モジュールによって受信されたマッピング関係およびベアラ情報に従って無線ベアラに対応するLTEモジュールへデータパケットを送るように特に構成されている。
【００７２】
第17の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００７３】
本発明の第18の態様はセルラ無線アクセスデバイスを提供し、本セルラ無線アクセスデバイスは無線通信システムに適用され、無線通信システムは非セルラ無線アクセスデバイスをさらに含み、本セルラ無線アクセスデバイスは、
非セルラ無線アクセスデバイスを用いてユーザ機器UEによって送信されたデータフレームを受信するように構成された受信モジュールであって、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含む、受信モジュールと、
セルラ・ネットワーク・プロトコルを用いてデータパケットを処理するように構成された、ロング・ターム・エボルーションLTEモジュールと
を含む。
【００７４】
第18の態様に関連して、1つの可能な実施態様において、指示情報はセルラ無線アクセスデバイスのアドレス情報である。
【００７５】
第18の態様および前述の可能な実施態様に関連して、別の可能な実施態様において、本セルラ無線アクセスデバイスは、
受信モジュールが非セルラ無線アクセスデバイスを用いてユーザ機器UEによって送信されたデータフレームを受信する前に、セルラ無線アクセスデバイスのMACアドレスとMACアドレスの機能情報との間のマッピング関係をUEへ送信する、ように構成された送信モジュールであって、機能情報はオフロードおよび統合を含む、送信モジュール、
をさらに含む。
【００７６】
第18の態様および前述の可能な実施態様に関連して、別の可能な実施態様において、
データフレームは、非セルラ無線アクセスデバイスがデータパケットはセルラネットワークのデータパケットであると決定した後で送信され、または
セルラ無線アクセスデバイスは、LTEモジュールがセルラ・ネットワーク・プロトコルを用いてデータパケットを処理する前に、指示情報に従ってデータパケットはセルラネットワークのデータパケットであると決定し、データパケットをLTEモジュールへ送る、ように構成された、ワイヤレスフィデリティWiFiモジュールをさらに含む。
【００７７】
第18の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
WiFiモジュールは、ベアラ情報、およびベアラ情報と、少なくとも1つの無線ベアラに含まれる、データパケットを搬送する無線ベアラとの間のマッピング関係に従って無線ベアラに対応するLTEモジュールへデータパケットを送るように特に構成されている。
【００７８】
第18の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００７９】
本発明の第19の態様はアクセスコントローラACを提供し、本アクセスコントローラACはセルラ無線アクセスデバイスおよび非セルラ無線アクセスデバイスを含む無線通信システムに適用され、本ACは、
非セルラ無線アクセスデバイスを用いてユーザ機器UEによって送信されたデータフレームを受信するように構成された受信モジュールであって、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる、受信モジュールと、
指示情報に従ってデータパケットはセルラネットワークのデータパケットであることが決定された後で、データフレームをセルラ無線アクセスデバイスへ送信し、または、指示情報に従ってデータパケットはセルラネットワークのデータパケットであると決定した後で非セルラ無線アクセスデバイスによってACへ送信されたデータフレームをセルラ無線アクセスデバイスへ送信する、ように構成された、送信モジュールと
を含む。
【００８０】
第19の態様に関連して、1つの可能な実施態様において、指示情報はセルラ無線アクセスデバイスのアドレス情報である。
【００８１】
第19の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００８２】
第19の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００８３】
本発明の第20の態様はユーザ機器UEを提供し、本ユーザ機器UEはセルラ無線アクセスデバイスおよび非セルラ無線アクセスデバイスを含む無線通信システムに適用され、本UEは、
非セルラ無線アクセスデバイスを用いてセルラ無線アクセスデバイスによって送信されたデータフレームを受信するように構成された受信モジュールであって、データフレームはセルラ無線アクセスデバイスがUEへ送信する必要のあるデータパケットを含み、データパケットは送信元インターネットプロトコルIPアドレスおよび宛先IPアドレスを含む、受信モジュールと、
送信元IPアドレスはセルラサービスを運ぶのに用いられたアドレスであると決定し、または宛先IPアドレスはコア・ネットワーク・ゲートウェイによって割り当てられていると決定し、データパケットをロング・ターム・エボルーションLTEモジュールへ送るように構成された、ワイヤレスフィデリティWiFiモジュールと、
WiFiモジュールによって送られたデータパケットを受け取り、セルラ・ネットワーク・プロトコルを用いてデータパケットを処理するように構成された、LTEモジュールと
を含む。
【００８４】
本発明の第21の態様はセルラ無線アクセスデバイスを提供し、本セルラ無線アクセスデバイスは無線通信システムに適用され、無線通信システムは非セルラ無線アクセスデバイスをさらに含み、本セルラ無線アクセスデバイスは、
非セルラ無線アクセスデバイスを用いてユーザ機器UEによって送信されたデータフレームを受信するように構成された受信モジュールであって、データフレームはUEがセルラ無線アクセスデバイスへ送信する必要のあるデータパケットを含み、データパケットは送信元インターネットプロトコルIPアドレスおよび宛先IPアドレスを含む、受信モジュールと、
宛先IPアドレスはセルラサービスを運ぶのに用いられたアドレスであると決定し、または送信元IPアドレスはコア・ネットワーク・ゲートウェイによって割り当てられていると決定し、データパケットをロング・ターム・エボルーションLTEモジュールへ送るように構成された、ワイヤレスフィデリティWiFiモジュールと、
WiFiモジュールによって送られたデータパケットを受け取り、セルラ・ネットワーク・プロトコルを用いてデータパケットを処理するように構成された、LTEモジュールと
を含む。
【００８５】
本発明の第22の態様は非セルラ無線アクセスデバイスを提供し、本非セルラ無線アクセスデバイスは無線通信システムに適用され、無線通信システムはセルラ無線アクセスデバイスをさらに含み、本非セルラ無線アクセスデバイスは、
セルラ無線アクセスデバイスによって送信されたデータフレームを受信するように構成された受信モジュールであって、データフレームは、セルラ無線アクセスデバイスがユーザ機器UEへ送信する必要のあるデータパケットを含み、データパケットは送信元インターネットプロトコルIPアドレスおよび宛先IPアドレスを含む、受信モジュールと、
送信元インターネットプロトコルIPアドレスはセルラサービスを運ぶのに用いられたアドレスであると決定し、または宛先IPアドレスはコア・ネットワーク・ゲートウェイによって割り当てられていると決定するように構成された、決定モジュールと、
UEがセルラ・ネットワーク・プロトコルを用いてデータパケットを処理するように、UEへデータフレームを送信するように構成された、送信モジュールと
を含む。
【００８６】
本発明の第23の態様は非セルラ無線アクセスデバイスを提供し、本非セルラ無線アクセスデバイスは無線通信システムに適用され、無線通信システムはセルラ無線アクセスデバイスをさらに含み、本非セルラ無線アクセスデバイスは、
ユーザ機器UEによって送信されたデータフレームを受信するように構成された受信モジュールであって、データフレームはUEがセルラ無線アクセスデバイスへ送信する必要のあるデータパケットを含み、データパケットは送信元インターネットプロトコルIPアドレスおよび宛先IPアドレスを含む、受信モジュールと、
宛先IPアドレスはセルラサービスを運ぶのに用いられたアドレスであると決定し、または送信元インターネットプロトコルIPアドレスはコア・ネットワーク・ゲートウェイによって割り当てられていると決定するように構成された、決定モジュールと、
セルラ無線アクセスデバイスがセルラ・ネットワーク・プロトコルを用いてデータパケットを処理するように、セルラ無線アクセスデバイスへデータフレームを送信するように構成された、送信モジュールと
を含む。
【００８７】
本発明の第24の態様は非セルラ無線アクセスデバイスを提供し、本非セルラ無線アクセスデバイスは無線通信システムに適用され、無線通信システムはセルラ無線アクセスデバイスをさらに含み、本非セルラ無線アクセスデバイスは、
セルラ無線アクセスデバイスまたはアクセスコントローラACによって送信されたデータフレームを受信するように構成された受信モジュールであって、データフレームはセルラ無線アクセスデバイスがユーザ機器UEへ送信する必要のあるデータパケットを含む、受信モジュールと、
データフレームに、データパケットがセルラネットワークのデータパケットであることを指示するのに用いられる指示情報を付加し、UEへデータフレームを送信するように構成された送信モジュールであって、指示情報はUEによって、指示情報に従ってセルラ・ネットワーク・プロトコルを用いてデータパケットを処理するのに用いられる、送信モジュールと
を含む。
【００８８】
第24の態様に関連して、1つの可能な実施態様において、
受信モジュールは、送信モジュールが、データフレームに、データパケットがセルラネットワークのデータパケットであることを指示するのに用いられる指示情報を付加し、UEへデータフレームを送信する前に、セルラ無線アクセスデバイスによって送信された指示情報を受信する、ようにさらに構成されている。
【００８９】
本発明の第25の態様はセルラ無線アクセスデバイスを提供し、本セルラ無線アクセスデバイスは無線通信システムに適用され、無線通信システムは非セルラ無線アクセスデバイスをさらに含み、本セルラ無線アクセスデバイスは、
セルラ無線アクセスデバイスによってサービスされているユーザ機器UEのセルラネットワークにおけるデータを非セルラネットワークにオフロードすることを決定するように構成された、プロセッサと、
非セルラ無線アクセスデバイスを用いて、セルラ無線アクセスデバイスによってサービスされているUEへデータフレームを送信するように構成された、送信機と
を含み、
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【００９０】
第25の態様に関連して、1つの可能な実施態様において、
指示情報はセルラ無線アクセスデバイスのアドレス情報である。
【００９１】
第25の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【００９２】
第25の態様および前述の可能な実施態様に関連して、別の可能な実施態様において、
送信機は、ベアラ情報と、少なくとも1つの無線ベアラに含まれる、データパケットを搬送する無線ベアラとの間のマッピング関係を、エア・インターフェース・メッセージを用いてUEへ送信するようにさらに構成されている。
【００９３】
第25の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【００９４】
本発明の第26の態様はアクセスコントローラACを提供し、本アクセスコントローラACはセルラ無線アクセスデバイスおよび非セルラ無線アクセスデバイスを含む無線通信システムに適用され、本ACは、
セルラ無線アクセスデバイスによって送信された、セルラ無線アクセスデバイスがユーザ機器UEへ送信する必要のあるデータパケットを受信するように構成された、受信機と、
非セルラ無線アクセスデバイスを用いてUEへデータフレームを送信するように構成された、送信機と
を含み、
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【００９５】
第26の態様に関連して、1つの可能な実施態様において、指示情報はセルラ無線アクセスデバイスのアドレス情報である。
【００９６】
第26の態様および前述の可能な実施態様に関連して、別の可能な実施態様において、
受信機は、送信機が非セルラ無線アクセスデバイスを用いてUEへデータフレームを送信する前に、セルラ無線アクセスデバイスによって送信された非セルラ無線アクセスデバイスの識別情報を受信する、ようにさらに構成されており、識別情報はACによって非セルラ無線アクセスデバイスを決定するのに用いられる。
【００９７】
第26の態様および前述の可能な実施態様に関連して、別の可能な実施態様において、データパケットは802．3フレームに含まれ、
本ACは、
送信機が非セルラ無線アクセスデバイスを用いてUEへデータフレームを送信する前に、データフレームに802．3フレームに含まれるデータパケットを付加する、ように構成された、プロセッサ、
をさらに含む。
【００９８】
第26の態様および前述の可能な実施態様に関連して、別の可能な実施態様において、
非セルラ無線アクセスデバイスの識別情報は非セルラ無線アクセスデバイスのMACアドレス、非セルラ無線アクセスデバイスの基本サービスセット識別子BSSID、または非セルラ無線アクセスデバイスのサービスセット識別子SSIDである。
【００９９】
第26の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０１００】
第26の態様および前述の可能な実施態様に関連して、別の可能な実施態様において、
送信機は、ベアラ情報と、少なくとも1つの無線ベアラに含まれる、データパケットを搬送する無線ベアラとの間のマッピング関係を、セルラ無線アクセスデバイスを用いてUEへ送信するようにさらに構成されている。
【０１０１】
第26の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【０１０２】
本発明の第27の態様はユーザ機器UEを提供し、本ユーザ機器UEはセルラ無線アクセスデバイスおよび非セルラ無線アクセスデバイスを含む無線通信システムに適用され、本UEは、
セルラネットワークにおけるUEのデータを非セルラネットワークにオフロードすることが決定されたときに、UEによって、非セルラ無線アクセスデバイスを用いてセルラ無線アクセスデバイスへデータフレームを送信するように構成された、送信機
を含み、
データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【０１０３】
第27の態様に関連して、1つの可能な実施態様において、指示情報はセルラ無線アクセスデバイスのアドレス情報である。
【０１０４】
第27の態様および前述の可能な実施態様に関連して、別の可能な実施態様において、本UEは、
送信機が非セルラ無線アクセスデバイスを用いてセルラ無線アクセスデバイスへデータフレームを送信する前に、セルラ無線アクセスデバイスのMACアドレスとMACアドレスの機能情報との間のマッピング関係を受信するように構成された受信機であって、マッピング関係はセルラ無線アクセスデバイスによって送信され、機能情報はオフロードおよび統合を含む、受信機と、
受信機によって受信されたマッピング関係に従って、その機能情報がオフロードおよび統合であるMACアドレスを指示情報として決定する、ように構成された、プロセッサと
をさらに含む。
【０１０５】
第27の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０１０６】
第27の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【０１０７】
本発明の第28の態様はユーザ機器UEを提供し、本ユーザ機器UEはセルラ無線アクセスデバイスおよび非セルラ無線アクセスデバイスを含む無線通信システムに適用され、本UEは、
非セルラ無線アクセスデバイスを用いてセルラ無線アクセスデバイスによって送信されたデータフレームを受信する、ように構成された受信機であって、データフレームは、セルラ無線アクセスデバイスがセルラネットワークにおけるUEのデータを非セルラネットワークにオフロードすることを決定した後で送信され、データフレームは、セルラ無線アクセスデバイスがUEへ送信する必要のあるデータパケットと、データパケットがセルラネットワークのデータパケットであることを指示するのに用いられる指示情報とを含む、受信機と、
指示情報に従ってデータパケットはセルラネットワークのデータパケットであると決定し、セルラ・ネットワーク・プロトコルを用いてデータパケットを処理するように構成された、プロセッサと
を含む。
【０１０８】
第28の態様に関連して、1つの可能な実施態様において、指示情報はセルラ無線アクセスデバイスのアドレス情報である。
【０１０９】
第28態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
受信機は、プロセッサがセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はエア・インターフェース・メッセージを用いてセルラ無線アクセスデバイスによって送信され、
プロセッサは、マッピング関係およびベアラ情報に従ってセルラ・ネットワーク・プロトコルを用いてデータパケットを処理するように特に構成されている。
【０１１０】
第28態様および前述の可能な実施態様に関連して、別の可能な実施態様において、セルラネットワークのデータパケットはパケットデータ統合プロトコルPDCPデータパケットまたは無線リンク制御RLCデータパケットを含む。
【０１１１】
本発明の第29の態様はユーザ機器UEを提供し、本ユーザ機器UEはセルラ無線アクセスデバイスおよび非セルラ無線アクセスデバイスを含む無線通信システムに適用され、本UEは、
非セルラ無線アクセスデバイスを用いてアクセスコントローラACによって送信されたデータフレームを受信するように構成された受信機であって、データフレームはACがセルラ無線アクセスデバイスによって送信された、セルラ無線アクセスデバイスがUEへ送信する必要のあるデータパケットを受信した後で送信され、データフレームは、セルラ無線アクセスデバイスがUEへ送信する必要のあるデータパケットと、データパケットがセルラネットワークのデータパケットであることを指示するのに用いられる指示情報とを含む、受信機と、
指示情報に従ってデータパケットはセルラネットワークのデータパケットであると決定し、セルラ・ネットワーク・プロトコルを用いてデータパケットを処理するように構成された、プロセッサと
を含む。
【０１１２】
第29の態様に関連して、1つの可能な実施態様において、指示情報はセルラ無線アクセスデバイスのアドレス情報である。
【０１１３】
第29の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
受信機は、プロセッサがセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はセルラ無線アクセスデバイスを用いてACによって送信され、
プロセッサは、受信機によって受信されたマッピング関係およびベアラ情報に従ってセルラ・ネットワーク・プロトコルを用いてデータパケットを処理するように特に構成されている。
【０１１４】
第29の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【０１１５】
本発明の第30の態様はセルラ無線アクセスデバイスを提供し、本セルラ無線アクセスデバイスは無線通信システムに適用され、無線通信システムは非セルラ無線アクセスデバイスをさらに含み、本セルラ無線アクセスデバイスは、
非セルラ無線アクセスデバイスを用いてユーザ機器UEによって送信されたデータフレームを受信するように構成された受信機であって、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含む、受信機と、
セルラ・ネットワーク・プロトコルを用いてデータパケットを処理するように構成された、プロセッサと
を含む。
【０１１６】
第30の態様に関連して、1つの可能な実施態様において、指示情報はセルラ無線アクセスデバイスのアドレス情報である。
【０１１７】
第30の態様および前述の可能な実施態様に関連して、別の可能な実施態様において、本セルラ無線アクセスデバイスは、
受信機が非セルラ無線アクセスデバイスを用いてユーザ機器UEによって送信されたデータフレームを受信する前に、セルラ無線アクセスデバイスのMACアドレスとMACアドレスの機能情報との間のマッピング関係をUEへ送信する、ように構成された送信機であって、機能情報はオフロードおよび統合を含む、送信機、
をさらに含む。
【０１１８】
第30の態様および前述の可能な実施態様に関連して、別の可能な実施態様において、
データフレームは、非セルラ無線アクセスデバイスがデータパケットはセルラネットワークのデータパケットであると決定した後で送信され、または
プロセッサは、セルラ・ネットワーク・プロトコルを用いてデータパケットを処理する前に、指示情報に従ってデータパケットはセルラネットワークのデータパケットであると決定する、ようにさらに構成されている。
【０１１９】
第30の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含み、
プロセッサは、ベアラ情報、およびベアラ情報と、少なくとも1つの無線ベアラに含まれる、データパケットを搬送する無線ベアラとの間のマッピング関係に従って、セルラ・ネットワーク・プロトコルを用いてデータパケットを処理するように特に構成されている。
【０１２０】
第30の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【０１２１】
本発明の第31の態様はアクセスコントローラACを提供し、本アクセスコントローラACはセルラ無線アクセスデバイスおよび非セルラ無線アクセスデバイスを含む無線通信システムに適用され、本ACは、
非セルラ無線アクセスデバイスを用いてユーザ機器UEによって送信されたデータフレームを受信するように構成された受信機であって、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる、受信機と、
指示情報に従ってデータパケットはセルラネットワークのデータパケットであることが決定された後で、データフレームをセルラ無線アクセスデバイスへ送信し、または、指示情報に従ってデータパケットはセルラネットワークのデータパケットであると決定した後で非セルラ無線アクセスデバイスによってACへ送信されたデータフレームをセルラ無線アクセスデバイスへ送信する、ように構成された、送信機と
を含む。
【０１２２】
第31の態様に関連して、1つの可能な実施態様において、指示情報はセルラ無線アクセスデバイスのアドレス情報である。
【０１２３】
第31の態様および前述の可能な実施態様に関連して、別の可能な実施態様において、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０１２４】
第31の態様および前述の可能な実施態様に関連して、別の可能な実施態様において、セルラネットワークのデータパケットはパケットデータ統合プロトコルPDCPデータパケットまたは無線リンク制御RLCデータパケットを含む。
【０１２５】
本発明の第32の態様はユーザ機器UEを提供し、本ユーザ機器UEはセルラ無線アクセスデバイスおよび非セルラ無線アクセスデバイスを含む無線通信システムに適用され、本UEは、
非セルラ無線アクセスデバイスを用いてセルラ無線アクセスデバイスによって送信されたデータフレームを受信するように構成された受信機であって、データフレームはセルラ無線アクセスデバイスがUEへ送信する必要のあるデータパケットを含み、データパケットは送信元インターネットプロトコルIPアドレスおよび宛先IPアドレスを含む、受信機と、
送信元IPアドレスはセルラサービスを運ぶのに用いられたアドレスであると決定し、または宛先IPアドレスはコア・ネットワーク・ゲートウェイによって割り当てられていると決定し、セルラ・ネットワーク・プロトコルを用いてデータパケットを処理するように構成された、プロセッサと
を含む。
【０１２６】
本発明の第33の態様はセルラ無線アクセスデバイスを提供し、本セルラ無線アクセスデバイスは無線通信システムに適用され、無線通信システムは非セルラ無線アクセスデバイスをさらに含み、本セルラ無線アクセスデバイスは、
非セルラ無線アクセスデバイスを用いてユーザ機器UEによって送信されたデータフレームを受信するように構成された受信機であって、データフレームはUEがセルラ無線アクセスデバイスへ送信する必要のあるデータパケットを含み、データパケットは送信元インターネットプロトコルIPアドレスおよび宛先IPアドレスを含む、受信機と、
宛先IPアドレスはセルラサービスを運ぶのに用いられたアドレスであると決定し、または送信元IPアドレスはコア・ネットワーク・ゲートウェイによって割り当てられていると決定し、セルラ・ネットワーク・プロトコルを用いてデータパケットを処理するように構成された、プロセッサと
を含む。
【０１２７】
本発明の第34の態様は非セルラ無線アクセスデバイスを提供し、本非セルラ無線アクセスデバイスは無線通信システムに適用され、無線通信システムはセルラ無線アクセスデバイスをさらに含み、本非セルラ無線アクセスデバイスは、
セルラ無線アクセスデバイスによって送信されたデータフレームを受信するように構成された受信機であって、データフレームは、セルラ無線アクセスデバイスがユーザ機器UEへ送信する必要のあるデータパケットを含み、データパケットは送信元インターネットプロトコルIPアドレスおよび宛先IPアドレスを含む、受信機と、
送信元インターネットプロトコルIPアドレスはセルラサービスを運ぶのに用いられたアドレスであると決定し、または宛先IPアドレスはコア・ネットワーク・ゲートウェイによって割り当てられていると決定するように構成された、プロセッサと、
UEがセルラ・ネットワーク・プロトコルを用いてデータパケットを処理するように、UEへデータフレームを送信するように構成された、送信機と
を含む。
【０１２８】
本発明の第35の態様は非セルラ無線アクセスデバイスを提供し、本非セルラ無線アクセスデバイスは無線通信システムに適用され、無線通信システムはセルラ無線アクセスデバイスをさらに含み、本非セルラ無線アクセスデバイスは、
ユーザ機器UEによって送信されたデータフレームを受信するように構成された受信機であって、データフレームはUEがセルラ無線アクセスデバイスへ送信する必要のあるデータパケットを含み、データパケットは送信元インターネットプロトコルIPアドレスおよび宛先IPアドレスを含む、受信機と、
宛先IPアドレスはセルラサービスを運ぶのに用いられたアドレスであると決定し、または送信元インターネットプロトコルIPアドレスはコア・ネットワーク・ゲートウェイによって割り当てられていると決定するように構成された、プロセッサと、
セルラ無線アクセスデバイスがセルラ・ネットワーク・プロトコルを用いてデータパケットを処理するように、セルラ無線アクセスデバイスへデータフレームを送信するように構成された、送信機と
を含む。
【０１２９】
本発明の第36の態様は非セルラ無線アクセスデバイスを提供し、本非セルラ無線アクセスデバイスは無線通信システムに適用され、無線通信システムはセルラ無線アクセスデバイスをさらに含み、本非セルラ無線アクセスデバイスは、
セルラ無線アクセスデバイスまたはアクセスコントローラACによって送信されたデータフレームを受信するように構成された受信機であって、データフレームはセルラ無線アクセスデバイスがユーザ機器UEへ送信する必要のあるデータパケットを含む、受信機と、
データフレームに、データパケットがセルラネットワークのデータパケットであることを指示するのに用いられる指示情報を付加し、UEへデータフレームを送信するように構成された送信機であって、指示情報はUEによって、指示情報に従ってセルラ・ネットワーク・プロトコルを用いてデータパケットを処理するのに用いられる、送信機と
を含む。
【０１３０】
第36の態様に関連して、1つの可能な実施態様において、受信機は、送信機が、データフレームに、データパケットがセルラネットワークのデータパケットであることを指示するのに用いられる指示情報を付加し、UEへデータフレームを送信する前に、セルラ無線アクセスデバイスによって送信された指示情報を受信する、ようにさらに構成されている。
【０１３１】
本発明で提供されるダウンリンクのオフロードおよび統合の方法、アップリンクのオフロードおよび統合の方法、ならびにデバイスによれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１３２】
本発明の実施形態における、または先行技術における技術的解決策をより明確に説明するために、以下で、各実施形態または先行技術を説明するのに必要とされる添付の図面について簡単に記述する。明らかに、以下の説明における添付の図面は単に本発明のいくつかの実施形態を示すにすぎず、当業者は、これら添付の図面から難なく他の図面をさらに導出することができる。
【図面の簡単な説明】
【０１３３】
【図１】本発明の一実施形態によるダウンリンクのオフロードおよび統合の方法の流れ図である。
【図２】本発明の別の実施形態によるダウンリンクのオフロードおよび統合の方法の流れ図である。
【図３】本発明の別の実施形態によるアップリンクのオフロードおよび統合の方法の流れ図である。
【図４】本発明の別の実施形態によるダウンリンクのオフロードおよび統合の方法の流れ図である。
【図５】本発明の別の実施形態によるダウンリンクのオフロードおよび統合の方法の流れ図である。
【図６】本発明の別の実施形態によるアップリンクのオフロードおよび統合の方法の流れ図である。
【図７】本発明の別の実施形態によるアップリンクのオフロードおよび統合の方法の流れ図である。
【図８】本発明の別の実施形態によるダウンリンクのオフロードおよび統合の方法の流れ図である。
【図９】本発明の別の実施形態によるデータフレームのフォーマットの概略的構成図である。
【図１０】本発明の別の実施形態によるCAPWAPヘッダのフォーマットの概略的構成図である。
【図１１】本発明の別の実施形態によるデータフレームおよび802．11フレームのMACヘッダのフォーマット概略的構成図である。
【図１２】本発明の別の実施形態によるダウンリンクのオフロードおよび統合の方法の流れ図である。
【図１３】本発明の別の実施形態によるダウンリンクのオフロードおよび統合の方法の流れ図である。
【図１４】本発明の別の実施形態によるダウンリンクのオフロードおよび統合の方法の流れ図である。
【図１５】本発明の別の実施形態によるアップリンクのオフロードおよび統合の方法の流れ図である。
【図１６】本発明の別の実施形態によるアップリンクのオフロードおよび統合の方法の流れ図である。
【図１７】本発明の別の実施形態によるアップリンクのオフロードおよび統合の方法の流れ図である。
【図１８】本発明の別の実施形態によるアップリンクのオフロードおよび統合の方法の流れ図である。
【図１９】本発明の別の実施形態によるセルラ無線アクセスデバイスの概略的構成図である。
【図２０】本発明の別の実施形態によるACの概略的構成図である。
【図２１】本発明の別の実施形態による別のACの概略的構成図である。
【図２２】本発明の別の実施形態によるUEの概略的構成図である。
【図２３】本発明の別の実施形態による別のUEの概略的構成図である。
【図２４】本発明の別の実施形態によるUEの概略的構成図である。
【図２５】本発明の別の実施形態によるUEの概略的構成図である。
【図２６】本発明の別の実施形態によるセルラ無線アクセスデバイスの概略的構成図である。
【図２７】本発明の別の実施形態による別のセルラ無線アクセスデバイスの概略的構成図である。
【図２８】本発明の別の実施形態によるACの概略的構成図である。
【図２９】本発明の別の実施形態によるUEの概略的構成図である。
【図３０】本発明の別の実施形態によるセルラ無線アクセスデバイスの概略的構成図である。
【図３１】本発明の別の実施形態による非セルラ無線アクセスデバイスの概略的構成図である。
【図３２】本発明の別の実施形態による非セルラ無線アクセスデバイスの概略的構成図である。
【図３３】本発明の別の実施形態による非セルラ無線アクセスデバイスの概略的構成図である。
【図３４】本発明の別の実施形態によるセルラ無線アクセスデバイスの概略的構成図である。
【図３５】本発明の別の実施形態によるACの概略的構成図である。
【図３６】本発明の別の実施形態によるUEの概略的構成図である。
【図３７】本発明の別の実施形態によるUEの概略的構成図である。
【図３８】本発明の別の実施形態によるUEの概略的構成図である。
【図３９】本発明の別の実施形態によるセルラ無線アクセスデバイスの概略的構成図である。
【図４０】本発明の別の実施形態によるACの概略的構成図である。
【図４１】本発明の別の実施形態によるUEの概略的構成図である。
【図４２】本発明の別の実施形態によるセルラ無線アクセスデバイスの概略的構成図である。
【図４３】本発明の別の実施形態による非セルラ無線アクセスデバイスの概略的構成図である。
【図４４】本発明の別の実施形態による非セルラ無線アクセスデバイスの概略的構成図である。
【図４５】本発明の別の実施形態による非セルラ無線アクセスデバイスの概略的構成図である。
【発明を実施するための形態】
【０１３４】
以下で、本発明の実施形態における添付の図面に関連して、本発明の実施形態における技術的解決策を明確かつ十分に説明する。明らかに、説明される実施形態は本発明の実施形態の全部ではなく一部であるにすぎない。本発明の実施形態に基づいて当業者によって難なく得られる他のすべての実施形態は、本発明の保護範囲内に含まれるものとする。
【０１３５】
本明細書に記載されるセルラネットワークは様々な通信システム、例えば、現在の第2世代移動通信技術（Second Generation、2G）および第3世代移動通信技術（third Generation、3G）の通信システムや次世代通信システム、例えば、モバイル通信用グローバルシステム（Global System for Mobile communication、GSM（登録商標））、符号分割多元接続（Code Division Multiple Access、CDMA）システム、時分割多元接続（Time Division Multiple Access、TDMA）システム、広帯域符号分割多元接続（Wideband Code Division Multiple Access、WCDMA（登録商標））、周波数分割多元接続（Frequency Division Multiple Addressing、FDMA）システム、直交周波数分割多元接続（Orthogonal Frequency−Division Multiple Access、OFDMA）システム、シングルキャリアFDMA（SC−FDMA）システム、汎用パケット無線サービス（General Packet Radio Service、GPRS）システム、LTEシステム、および他の通信システムなどとすることができる。
【０１３６】
本明細書では、端末および／または基地局および／または基地局ノードに関連して様々な態様について説明する。
【０１３７】
ユーザ機器は無線端末であっても有線端末であってもよい。無線端末は、ユーザに音声および／またはデータ接続を提供するデバイス、無線接続機能を備えるハンドヘルドデバイス、あるいは無線モデムに接続された別の処理装置を指していてよい。無線端末は無線アクセスネットワーク（例えば、Radio Access Network、RAN）を用いて1つまたは複数のコアネットワークと通信してよい。無線端末は、携帯電話機（「セルラ」電話機ともいう）や移動端末を備えるコンピュータといった移動端末とすることができ、例えば、携帯型、ポケットサイズ、ハンドヘルド型、コンピュータ内蔵型、または車載型のモバイル装置とすることができ、無線アクセスネットワークと音声および／またはデータを交換する。例えば、無線端末は、パーソナル通信サービス（Personal Communication Service、PCS）電話機、コードレス電話セット、セッション開始プロトコル（SIP）電話機、ワイヤレス・ローカル・ループ（Wireless Local Loop、WLL）局、あるいは携帯情報端末（Personal Digital Assistant、PDA）といったデバイスとすることができる。無線端末は、システム、加入者ユニット（Subscriber Unit）、加入者局（Subscriber Station）、移動局（Mobile Station）、移動端末（Mobile）、リモート局（Remote Station）、リモート端末（Remote Terminal）、アクセス端末（Access Terminal）、ユーザ端末（User Terminal）、ユーザエージェント（User Agent）、あるいはユーザ機器（User Equipment）とも呼ばれうる。
【０１３８】
基地局（例えばアクセスポイント）は、アクセスネットワークのエアインターフェースにおける1つまたは複数のセクタによって無線端末と通信するデバイスを指していてよい。基地局は、受信される無線通信経由のフレームおよびインターネットプロトコル（Internet Protocol、IP）パケットを相互に変換し、無線端末とアクセスネットワークの残りの部分との間のルータとして働くように構成されていてよく、アクセスネットワークの残りの部分はIPネットワークを含んでいてよい。基地局はエアインターフェースの属性管理を調整することができる。例えば、基地局は、GSM（登録商標）またはCDMAにおける基地局（Base Transceiver Station、BTS）であってもよく、WCDMA（登録商標）における基地局（NodeB）であってもよく、あるいはLTEにおける進化型ノードB（evolutional Node B、NodeB、eNB、またはe−NodeB）であってもよく、これについては本出願では限定されない。
【０１３９】
加えて、「システム」という用語と「ネットワーク」という用語は本明細書では区別なく用いられる場合がある。本明細書における「および／または」という用語は、関連付けられる対象を記述するための結合関係を記述するにすぎず、3つの関係が存在しうることを表す。例えば、Aおよび／またはBは、Aのみが存在する、AとBの両方が存在する、およびBのみが存在する、という3つの場合を表すことができる。加えて、本明細書における文字「／」は一般に、関連付けられる対象間の「または」の関係を示す。
【０１４０】
モバイル事業者は、セルラネットワークと非セルラネットワークとの間のネットワーク間協調によって現在のセルラネットワークにかかる負担を軽減する。セルラネットワークと非セルラネットワークとの間のネットワーク間協調を実施するプロセスにおいては、まずサービスオフロードを実施する必要があることは周知である。サービスオフロード時に考慮される1つの重要な点は、現在の無線アクセス技術（Radio Access Technology、RAT）にかかるネットワーク負担を軽減し、よりよいユーザ体感を提供するために、ユーザの全部または一部のサービスをあるRATから別のRATにいつオフロードすべきかである。しかし、ユーザのサービスがあるRATから別のRATに切り替わった後には、ユーザのサービスを処理のためにオフロード前のRATに統合することができない。したがって、ユーザサービス継続性を保証することができず、サービス品質が低下するため、ユーザ体感に影響を与える。
【０１４１】
したがって、セルラネットワークと非セルラネットワークとの間のネットワーク間協調を実施するプロセスにおいて、よりよいユーザ体感を提供するには、サービスオフロードを実施する必要があるだけでなく、ユーザに引き続きサービスし、それによってユーザサービス継続性を保証し、ユーザ体感をさらに改善するように、サービスオフロードを実施した後でオフロード前のネットワーク上でサービスを再度統合する必要もあることがわかる。
【０１４２】
セルラネットワークと非セルラネットワークとの間のネットワーク間協調は本発明の実施形態で提供される技術的解決策において実現することができる。具体的には、非セルラネットワークがセルラネットワークの一部または全部のモバイル・データ・トラフィックを担うプロセスにおいて、サービス品質およびユーザ体感を改善するためにユーザサービス継続性が保証される。当業者の理解の便宜を図るために、本発明で提供される技術的解決策の具体的な実施プロセスについて、本発明で提供される以下の実施形態を参照されたい。
【０１４３】
本発明の一実施形態はダウンリンクのオフロードおよび統合の方法を提供し、本方法はセルラ無線アクセスデバイスおよび非セルラ無線アクセスデバイスを含む無線通信システムに適用される。図1に示すように、本方法は以下のステップを含むことができる。
【０１４４】
101．セルラ無線アクセスデバイスは、セルラ無線アクセスデバイスによってサービスされているUEのセルラネットワークにおけるデータを非セルラネットワークにオフロードすることを決定する。
【０１４５】
セルラ無線アクセスデバイスは、事前構成ポリシに従って、セルラ無線アクセスデバイスによってサービスされているUEのセルラネットワークにおけるデータを非セルラネットワークにオフロードすることが必要かどうか判定することができる。
【０１４６】
例えば、セルラ無線アクセスデバイスは、セルラ無線アクセスデバイスによってサービスされているUEのセルラネットワークにおけるデータを非セルラネットワークにオフロードすることが必要かどうか判定するために、事前設定ポリシに従ってセルラネットワークがサービス過負荷状態にあるかどうか判定することができる。例えば、セルラ無線アクセスデバイスは、主要性能指標（Key Performance Indicator、KPI）および／または測定情報と対応する事前設定閾値との間の関係に従って、セルラネットワークがサービス過負荷状態にあるかどうか判定することができる。1つの可能な実施態様においては、KPIおよび／または測定情報が対応する事前設定閾値より大きい場合に、セルラネットワークはサービス過負荷状態にあるとみなされうる。この場合には、セルラ無線アクセスデバイスは、セルラ無線アクセスデバイスによってサービスされているUEのセルラネットワークにおけるデータを非セルラネットワークにオフロードすることが必要であると決定してよい。
【０１４７】
KPIおよび／または測定情報は、測定によってセルラ無線アクセスデバイスが獲得してもよく、UEまたはAPが獲得し、セルラ無線アクセスデバイスへ送信してもよい。本発明の本実施形態はKPIおよび／または測定情報の具体的獲得方法に特定の制限を課すものではない。KPIは、サービスの関連付け成功率、再関連付け成功率、パケット損失率などの性能指標とすることができる。測定情報は、平均伝送遅延、WLANダウンリンク信号強度、干渉、WLAN速度制限、許容されるWLANアクセス持続期間、あるいはUE移動状況といった性能指標とすることができる。
【０１４８】
加えて、セルラ無線アクセスデバイスによってサービスされているUEのセルラネットワークにおけるデータを非セルラネットワークにオフロードすることが必要であると決定した後で、セルラ無線アクセスデバイスは、セルラ無線アクセスデバイスの負荷状況およびエアインターフェースチャネル条件に従って、オフロードを行うためにセルラ無線アクセスデバイスのカバレッジを有する適正な非セルラ無線アクセスデバイスを選択することができる。負荷状況は、総チャネル時間に対するチャネルが使用中である持続期間の割合、残りのバックホール容量、残りのダイナミックホスト設定プロトコル（Dynamic host configuration protocol、DHCP）リソース、あるいは残りのドメイン・ネーム・サーバ（Domain Name Server、DNS）リソースといった状況とすることができる。
【０１４９】
102．セルラ無線アクセスデバイスは、非セルラ無線アクセスデバイスを用いて、セルラ無線アクセスデバイスによってサービスされているUEへデータフレームを送信する。
【０１５０】
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０１５１】
具体的には、セルラ無線アクセスデバイスによってサービスされているUEのセルラネットワークにおけるデータを非セルラネットワークにオフロードすることを決定し、セルラ無線アクセスデバイスのカバレッジ内の適切な非セルラ無線アクセスデバイスを選択した後で、セルラ無線アクセスデバイスは、選択された非セルラ無線アクセスデバイスを用いて、セルラ無線アクセスデバイスによってサービスされているUEへデータフレームを送信することができる。データフレームを受信した後で、UEは、サービス継続性を保証するように、データフレームに含まれる指示情報に従ってセルラ・ネットワーク・プロトコルを用いてデータフレーム内のデータパケットを処理することができる。
【０１５２】
本発明の本実施形態で提供されるダウンリンクのオフロードおよび統合の方法によれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１５３】
本発明の別の実施形態はダウンリンクのオフロードおよび統合の方法を提供し、本方法はセルラ無線アクセスデバイスおよび非セルラ無線アクセスデバイスを含む無線通信システムに適用される。図2に示すように、本方法は以下のステップを含むことができる。
【０１５４】
201．アクセスコントローラ（Access Controller、AC）が、セルラ無線アクセスデバイスによって送信された、セルラ無線アクセスデバイスがUEへ送信する必要のあるデータパケットを受信する。
【０１５５】
セルラ無線アクセスデバイスによってサービスされているUEのセルラネットワークにおけるデータを非セルラネットワークにオフロードすることが必要であると決定した後で、セルラ無線アクセスデバイスはACへ、セルラ無線アクセスデバイスがUEへ送信する必要のあるデータパケットを送信することができる。この場合には、ACは、セルラ無線アクセスデバイスによって送信された、セルラ無線アクセスデバイスがUEへ送信する必要のあるデータパケットを受信することができる。
【０１５６】
202．ACは、非セルラ無線アクセスデバイスを用いてUEへデータフレームを送信する。
【０１５７】
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０１５８】
具体的には、セルラ無線アクセスデバイスによって送信された、UEへ送信される必要のあるデータパケットを受信した後で、ACは、データフレームに、データパケットと、データパケットがセルラネットワークのデータパケットであることを指示するのに用いられる指示形成とを付加し、UEが、サービス継続性を保証するために、データフレームで搬送された指示情報に従ってセルラ・ネットワーク・プロトコルを用いてデータパケットを処理するように、非セルラ無線アクセスデバイスを用いてUEへデータフレームを送信することができる。
【０１５９】
本発明の本実施形態で提供されるダウンリンクのオフロードおよび統合の方法によれば、セルラ無線アクセスデバイスによって送信された、セルラ無線アクセスデバイスがUEへ送信する必要のあるデータパケットを受信した後で、ACは、データフレームに、データパケットと、データパケットがセルラネットワークのデータパケットであることを指示するのに用いられる指示形成とを付加し、非セルラ無線アクセスデバイスを用いてUEへデータフレームを送信することができる。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１６０】
本発明の別の実施形態はアップリンクのオフロードおよび統合の方法を提供し、本方法はセルラ無線アクセスデバイスおよび非セルラ無線アクセスデバイスを含む無線通信システムに適用される。図3に示すように、本方法は以下を含むことができる。
301．UEがセルラネットワークにおけるUEのデータを非セルラネットワークにオフロードすることを決定したときに、UEは、非セルラ無線アクセスデバイスを用いてセルラ無線アクセスデバイスへデータフレームを送信する。
【０１６１】
データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【０１６２】
具体的には、UEは、事前構成ポリシに従って、セルラネットワークにおけるUEのデータを非セルラネットワークにオフロードする必要があるかどうか判定することができ、あるいは、UEは、セルラ無線アクセスデバイスによって送信された、セルラネットワークにおけるUEのデータを非セルラネットワークにオフロードすることが必要であることを指示するのに用いられる指示情報に従って、セルラネットワークにおけるUEのデータを非セルラネットワークにオフロードすることが必要であると決定することができる。本発明の本実施形態では、UEが、事前構成ポリシに従って、セルラネットワークにおけるUEのデータを非セルラネットワークにオフロードすることが必要かどうか判定する具体的実施態様については、本発明の別の実施形態における、セルラ無線アクセスデバイスがセルラ無線アクセスデバイスによってサービスされるUEのセルラネットワークにおけるデータを非セルラネットワークにオフロードすることが必要かどうか判定する具体的実施態様を参照することができる。本発明の本実施形態では詳細を説明しない。
【０１６３】
UEがセルラネットワークにおけるUEのデータを非セルラネットワークにオフロードすることが必要であると決定したときに、UEは、データフレームに、セルラ無線アクセスデバイスへ送信される必要のあるデータパケットと、データパケットがセルラネットワークのデータパケットであることを指示するのに用いられる指示情報とを付加し、非セルラ無線アクセスデバイスを用いてセルラ無線アクセスデバイスへデータフレームを送信することができる。データパケットはセルラネットワークのデータパケットであるため、データフレームを受信した後で、セルラ無線アクセスデバイスは、サービス継続性を保証するように、セルラ・ネットワーク・プロトコルを用いてデータパケットを処理することができる。
【０１６４】
本発明の本実施形態で提供されるアップリンクのオフロードおよび統合の方法によれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１６５】
本発明の別の実施形態はダウンリンクのオフロードおよび統合の方法を提供し、本方法はセルラ無線アクセスデバイスおよび非セルラ無線アクセスデバイスを含む無線通信システムに適用される。図4に示すように、本方法は以下のステップを含むことができる。
【０１６６】
401．UEが非セルラ無線アクセスデバイスを用いてセルラ無線アクセスデバイスによって送信されたデータフレームを受信する。
【０１６７】
データフレームは、セルラ無線アクセスデバイスがセルラネットワークにおけるUEのデータを非セルラネットワークにオフロードすることを決定した後で送信される。データフレームは、セルラ無線アクセスデバイスがUEへ送信する必要のあるデータパケットと、データパケットがセルラネットワークのデータパケットであることを指示するのに用いられる指示情報とを含む。
【０１６８】
402．UEは、指示情報に従ってデータパケットはセルラネットワークのデータパケットであると決定する。
【０１６９】
403．UEは、セルラ・ネットワーク・プロトコルを用いてデータパケットを処理する。
【０１７０】
本発明の本実施形態で提供されるダウンリンクのオフロードおよび統合の方法によれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは、指示情報に従ってデータパケットはセルラネットワークのデータパケットであると決定し、セルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１７１】
本発明の別の実施形態はダウンリンクのオフロードおよび統合の方法を提供し、本方法はセルラ無線アクセスデバイスおよび非セルラ無線アクセスデバイスを含む無線通信システムに適用される。図5に示すように、本方法は以下のステップを含むことができる。
【０１７２】
501．UEが、非セルラ無線アクセスデバイスを用いてACによって送信されたデータフレームを受信する。
【０１７３】
データフレームは、ACがセルラ無線アクセスデバイスによって送信された、セルラ無線アクセスデバイスがUEへ送信する必要のあるデータパケットを受信した後で送信される。データフレームは、セルラ無線アクセスデバイスがUEへ送信する必要のあるデータパケットと、データパケットがセルラネットワークのデータパケットであることを指示するのに用いられる指示情報とを含む。
【０１７４】
502．UEは、指示情報に従ってデータパケットはセルラネットワークのデータパケットであると決定する。
【０１７５】
503．UEは、セルラ・ネットワーク・プロトコルを用いてデータパケットを処理する。
【０１７６】
本発明の本実施形態で提供されるダウンリンクのオフロードおよび統合の方法によれば、セルラ無線アクセスデバイスによって送信された、セルラ無線アクセスデバイスがUEへ送信する必要のあるデータパケットを受信した後で、ACは、データフレームに、データパケットと、データパケットがセルラネットワークのデータパケットであることを指示するのに用いられる指示形成とを付加し、非セルラ無線アクセスデバイスを用いてUEへデータフレームを送信することができる。データフレームは、データパケットがセルラネットワークのデータパケットであることを指示するのに用いられる指示情報を含むため、データフレームを受信した後で、UEは、指示情報に従ってデータパケットはセルラネットワークのデータパケットであると決定し、セルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１７７】
本発明の別の実施形態はアップリンクのオフロードおよび統合の方法を提供し、本方法はセルラ無線アクセスデバイスおよび非セルラ無線アクセスデバイスを含む無線通信システムに適用される。図6に示すように、本方法は以下のステップを含むことができる。
【０１７８】
601．セルラ無線アクセスデバイスは非セルラ無線アクセスデバイスを用いてUEによって送信されたデータフレームを受信する。
【０１７９】
データフレームは、UEがセルラネットワークにおけるUEのデータを非セルラネットワークにオフロードすることを決定したときに送信される。データフレームは、UEがセルラ無線アクセスデバイスへ送信する必要のあるデータパケットと、データパケットがセルラネットワークのデータパケットであることを指示するのに用いられる指示情報とを含む。
【０１８０】
602．セルラ無線アクセスデバイスはセルラ・ネットワーク・プロトコルを用いてデータパケットを処理する。
【０１８１】
本発明の本実施形態で提供されるアップリンクのオフロードおよび統合の方法によれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０１８２】
本発明の別の実施形態はアップリンクのオフロードおよび統合の方法を提供し、本方法はセルラ無線アクセスデバイスおよび非セルラ無線アクセスデバイスを含む無線通信システムに適用される。図7に示すように、本方法は以下のステップを含むことができる。
【０１８３】
701．ACが、非セルラ無線アクセスデバイスを用いてUEによって送信されたデータフレームを受信する。
【０１８４】
データフレームは、UEがセルラネットワークにおけるUEのデータを非セルラネットワークにオフロードすることを決定したときに送信される。データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【０１８５】
702．指示情報に従ってデータパケットがセルラネットワークのデータパケットであると決定した後で、ACはデータフレームをセルラ無線アクセスデバイスへ送信し、または、ACは、指示情報に従ってデータパケットがセルラネットワークのデータパケットであると決定した後で非セルラ無線アクセスデバイスによってACへ送信されたデータフレームをセルラ無線アクセスデバイスへ送信する。
【０１８６】
1つの可能な実施態様においては、非セルラ無線アクセスデバイスを用いてUEによって送信されたデータフレームを受信した後で、ACは、データフレームに含まれる指示情報に従ってデータフレームに含まれるデータパケットがセルラネットワークのデータパケットであるかどうか判定し、データパケットはセルラネットワークのデータパケットであると決定した後で、セルラ無線アクセスデバイスがセルラ・ネットワーク・プロトコルを用いてデータフレームに含まれるデータパケットを処理するように、セルラ無線アクセスデバイスへデータフレームを送信することができる。
【０１８７】
別の可能な実施態様においては、ACによって受信され、非セルラ無線アクセスデバイスを用いてUEによって送信されたデータフレームが、非セルラ無線アクセスデバイスがデータフレームに含まれる指示情報に従ってデータフレームに含まれるデータパケットはセルラネットワークのデータパケットであると決定した後で非セルラ無線アクセスデバイスによってACへ送信された場合には、ACは、セルラ無線アクセスデバイスがセルラ・ネットワーク・プロトコルを用いてデータフレームに含まれるデータパケットを処理するように、セルラ無線アクセスデバイスへデータフレームを直接送信することができる。
【０１８８】
本発明の本実施形態で提供されるアップリンクのオフロードおよび統合の方法によれば、非セルラ無線アクセスデバイスを用いてUEによって送信されたデータフレームを受信した後で、ACは、指示情報に従ってデータパケットがセルラネットワークのデータパケットであると決定した後でデータフレームをセルラ無線アクセスデバイスへ送信することができ、あるいは、データフレームをセルラ無線アクセスデバイスへ直接送信することができる。データフレームは、ACまたは非セルラ無線アクセスデバイスがデータフレームに含まれるデータパケットはセルラネットワークのデータパケットであると決定した後でセルラ無線アクセスデバイスへ送信されるため、データフレームを受信した後で、セルラ無線アクセスデバイスはセルラ・ネットワーク・プロトコルを用いてデータパケットを処理する必要がある。指示情報は、セルラ無線アクセスデバイスがセルラ・ネットワーク・プロトコルを用いてデータパケットを処理することができるように、データパケットがセルラネットワークのデータパケットであることを指示するのに用いられる。したがって、サービス継続性が保証され、それによってサービス品質およびユーザ体感が改善される。
【０１８９】
当業者の理解の便宜を図るために、WLANネットワーク（非セルラネットワーク）とLTEネットワーク（セルラネットワーク）との間のネットワーク間協調を本発明における説明の例として用いる。加えて、本発明で提供される技術的解決策の実施プロセスについても、LTEネットワークにおけるeNBが本発明におけるセルラ無線アクセスデバイスとして用いられ、WLANネットワークにおけるAPが本発明における非セルラ無線アクセスデバイスとして用いられる例を用いて説明する。具体的には、LTEネットワークに過負荷がかかっているときに、WLANネットワークを用いてLTEネットワーク上のサービスをオフロードすることができる。すなわち、eNBによってサービスされているUEのLTEネットワークにおけるデータがWLANネットワークにオフロードされる。サービス継続性を保証するために、オフロード後に、サービスは処理のためにLTEネットワーク上で再度統合される必要がある。加えて、本発明の実施形態では、UEはLTEネットワークとWLANネットワークの両方で動作することができるものと仮定する。本発明におけるWLANネットワークのアーキテクチャはインフラストラクチャー（infrastructure）アーキテクチャである。すなわち、UEはアクセスポイント（Access Point、AP）を用いてのみWLANネットワークにアクセスすることができる。本発明で提供される技術的解決策がWLANネットワークとLTEネットワークとの間のネットワーク間協調に適用される実施プロセスについては、本発明の以下の実施形態の詳細な説明を参照することができる。
【０１９０】
本発明の別の実施形態はダウンリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がデータパケットのタイプコードであることを、本発明の本実施形態における詳細な説明のための例として用いる。データパケットは、eNBがUEへ送信する必要のあるデータパケットである。図8に示すように、本方法は以下のステップを含むことができる。
【０１９１】
801．eNBはeNBによってサービスされているUEのセルラネットワークにおけるデータを非セルラネットワークにオフロードすることを決定する。
【０１９２】
本発明の本実施形態のステップ801でeNBがeNBによってサービスされているUEのセルラネットワークにおけるデータを非セルラネットワークにオフロードすることを決定する具体的な実施プロセスについては、本発明の別の実施形態のステップ101の対応する内容の詳細な説明を参照することができることに留意すべきである。本発明の本実施形態では詳細を説明しない。
【０１９３】
eNBによってサービスされているUEのセルラネットワークにおけるデータを非セルラネットワークにオフロードすることを決定した後で、eNBによってサービスされているUEへデータパケットを送信することが必要になったときに、eNBはデータパケットを搬送するデータフレームを生成することができる。
【０１９４】
例えば、eNBは、802．3フレームと無線アクセスポイントの制御およびプロビジョニング（Control And Provisioning of Wireless Access Points、CAPWAP）ヘッダとを組み合わせることによってデータフレームを生成することができる。
【０１９５】
802．3フレームは、データパケットと、UEへ送信される必要のあるデータパケットがセルラネットワークのデータパケットであることを指示するのに用いられる指示情報とを含み、指示情報はデータパケットのタイプコードとすることができる。802．3フレームは、UEの媒体アクセス制御（Media Access Control、MAC）アドレスおよびeNBのMACアドレスをさらに含み、CAPWAPヘッダはAPのMACアドレスを含む。セルラネットワークのデータパケットはパケットデータ統合プロトコル（Packet Data Convergence Protocol、PDCP）データパケットまたは無線リンク制御（Radio Link Control、RLC）データパケットを含むことができる。加えて、データパケットがPDCPデータパケットである場合には、指示情報は具体的にはPDCPデータパケットに対応するタイプコードであり、データパケットがRLCデータパケットである場合には、指示情報は具体的にはRLCデータパケットに対応するタイプコードである。データパケットとタイプコードとの間の対応関係はeNBに事前に記憶されていてよい。例えば、PDCPデータパケットに対応するタイプコードは08−XXであり、RLCデータパケットに対応するタイプコードは08−YYである。
【０１９６】
具体的には、eNBはまず、データパケットの暗号化といった処理を行い、次いで、米国電気電子技術者協会（Institute of Electrical and Electronic Engineers、IEEE）802．3規格の規定に従って、宛先アドレス、送信元アドレス、データパケット、および指示情報を含む802．3フレームを生成し、802．3フレームとCAPWAPヘッダとを組み合わせることによってデータフレームを生成することができる。生成されたデータフレームのフォーマットが図9に示されている。宛先アドレスはUEのMACアドレスであり、送信元アドレスはeNBのMACアドレスである。
【０１９７】
CAPWAPヘッダの詳細なフォーマットが図10に示されている。CAPWAPヘッダはAPのMACアドレスを含み、APのMACアドレスは無線MACアドレスフィールドに記入されていてよい。図10に示すCAPWAPヘッダにおいて、CAPWAPプリアンブル（CAPWAP Preamble）フィールドは、このフィールドに続いてヘッダタイプを指示するのに用いられ、ヘッダ長（header length、HLEN）フィールドは、CAPWAPヘッダの長さを指示するのに用いられ、無線識別子（Radio identifier、RID）フィールドは、データフレームと関連付けられた無線デバイスを指示するのに用いられ、無線バインディング識別子（wireless binding identifier、WBID）フィールドは、無線デバイスと関連付けられた無線パケットのタイプを指示するのに用いられ、タイプ（type、T）フィールドは、ペイロードで送信されるフレームのフォーマットを指示するのに用いられ、フラグメント（Fragment、F）フィールドは、フラグメントが無線パケットのフラグメントであるかどうか指示するのに用いられ、最終（Last、L）フィールドは、フラグメントが最終フラグメントであるかどうか指示するのに用いられ、
無線（wireless、W）フィールドは、CAPWAPヘッダが無線詳細情報（wireless specific information）フィールドを含むかどうか指示するのに用いられ、無線MAC（Radio MAC、M）フィールドは、CAPWAPヘッダが無線MACアドレス（Radio MAC Address）フィールドを含むかどうか指示するのに用いられ、キープアライブ（Keep−Alive、K）フィールドは、パケットがデータ・チャネル・キープアライブ（Data Channel Keep−Alive）パケットであることを指示するのに用いられ、フラグ（Flag）フィールドは、今後のフラグのための予約ビットであり、フラグメントID（Fragment ID）は、フラグメントを識別するのに用いられ、フラグメントオフセット（Fragment Offset、Frag Offset）は、再組み合わせ時のペイロードにおけるフラグメントの関係を指示するのに用いられ、予約済み（Reserved、Rsvd）フィールドは今後の使用のために予約されており、無線MACアドレスフィールドは、パケットを受信する無線デバイスのMACアドレスを指示するのに用いられる。
【０１９８】
802．3フレーム内の指示情報は、IEEE802．3規格で規定されている802．3フレームにおけるタイプ・コード・フィールドであってもよく、802．3フレームにおける新しく付加されたフィールドであってもよいことに留意すべきである。802．3フレーム内の指示情報がIEEE802．3規格で規定されている802．3フレームにおけるタイプ・コード・フィールドである場合、タイプ・コード・フィールドはデータパケットに対応するタイプコードに変更される必要がある。例えば、データパケットがPDCPデータパケットである場合には、PDCPデータパケットに対応するタイプコードが802．3フレームのタイプ・コード・フィールドに記入される。802．3フレームにおける指示情報が新しく付加されたフィールドである場合には、データパケットに対応するタイプコードが新しく付加されたフィールドに記入される。
【０１９９】
本発明の本実施形態で提供されるデータフレームのフォーマットの概略図では、データフレームに含めることのできるフィールドのみを記載しており、各フィールドの長さに対する特定の制限を課していないことに留意すべきである。図9に示す各フィールドの長さは例にすぎない。すなわち、データフレームに含まれるフィールドのタイプおよび各フィールドの長さは本発明の本実施形態では特に制限されない。具体的には、データフレームに含まれるフィールドのタイプおよび各フィールドの長さは、実際の応用シナリオの要件に従って設定されてよい。加えて、本発明の本実施形態で提供されるCAPWAPヘッダのフォーマットの概略図でも、CAPWAPヘッダに含めることのできるフィールドのみを記載しており、各フィールドの長さに対する特定の制限を課していない。図10に示す各フィールドの長さは例にすぎない。すなわち、CAPWAPヘッダに含まれるフィールドのタイプおよび各フィールドの長さは本発明の本実施形態では特に制限されない。具体的には、CAPWAPヘッダに含まれるフィールドのタイプおよび各フィールドの長さは、実際の応用シナリオの要件に従って設定されてよい。
【０２００】
加えて、本発明の本実施形態では、eNBは複数のオフロード方法をサポートすることができる。例えば、eNBはPDCP層でのオフロードおよびRLC層でのオフロードをサポートする。eNBがPDCP層でのオフロードを行う場合には、データパケットのタイプはPDCPデータパケットであり、eNBがRLC層でオフロードを行う場合には、データパケットのタイプはRLCデータパケットである。すなわち、eNBが、eNBによってサービスされているUEのセルラネットワークにおけるデータを非セルラネットワークにオフロードすることが必要であると決定した後に、eNBがeNBによってサービスされているUEへ送信する必要のあるデータパケットは異なるタイプのデータパケットとなる場合がある。この場合には、eNBは、異なるタイプのデータパケットおよび対応するコードタイプを含むマッピングテーブルを事前に記憶し、eNBによってサービスされているUEへデータパケットを送信することが必要になったときに、データパケットに対応するタイプコードを取得し、タイプコードを指示情報に記入するために、実際に送信される必要のあるデータパケットのタイプに従ってマッピングテーブルを探索することができる。eNBはただ1つのオフロード方法をサポートしていてもよい。すなわち、eNBが、eNBによってサービスされているUEのセルラネットワークにおけるデータを非セルラネットワークにオフロードする必要があると決定した後に、eNBがeNBによってサービスされているUEへ送信する必要のあるデータパケットはただ1つのタイプのデータパケットとなる。例えば、eNBはPDCP層でのオフロードまたはRLC層でのオフロードだけをサポートし、その場合、eNBによってサービスされているUEへデータパケットを送信することが必要になったときに、eNBはデータパケットに対応するタイプコードを指示情報に直接記入してよい。当然ながら、データパケットによって用いられる（オフロード方法に対応する）プロトコルのプロトコル番号と対応するタイプコードとの間の対応関係が、現在の規格中のIEEE802．3からIEEE802．11の変換テーブルに付加されていてよい。例えば、eNBがPDCP層でのオフロードおよびRLC層でのオフロードをサポートする場合、PDCP層でのオフロード時にデータパケット
によって用いられるプロトコルのプロトコル番号PDCPおよび対応するタイプコード、ならびにRLC層でのオフロード時にデータパケットによって用いられるプロトコルのプロトコル番号RLCおよび対応するタイプコードが、表1に示すように、対応関係テーブルに付加されていてよい。
【０２０１】
【表１】
0006478197.tif 000002
【０２０２】
本発明の本実施形態では、さらに、UEに少なくとも1つの無線ベアラがあるときに、少なくとも1つの無線ベアラに含まれる、データパケットを搬送する無線ベアラを指示するのに用いられるベアラ情報を、図9に示すデータフレームに付加する必要がある。ベアラ情報は、少なくとも1つの無線ベアラに含まれる、データパケットを搬送する無線ベアラに対応するマッピング値とすることができる。1つの可能な実施態様においては、少なくとも1つの無線ベアラに含まれる、データパケットを搬送する無線ベアラを指示するのに用いられる（マッピング値といった）ベアラ情報はCAPWAPヘッダに付加されてよい。具体的には、マッピング値は図10に示すフィールドに記入されてよい。例えば、Reservedの値が拡張されてもよく、すなわち、データパケットを搬送する無線ベアラに対応するマッピング値はReservedフィールドに記入されてもよく、あるいは、wireless specific informationフィールドのdataフィールドが拡張されてもよい。別の可能な実施態様においては、新しいフィールドが802．3フレームに付加されてよく、このフィールドは、少なくとも1つの無線ベアラに含まれる、データパケットを搬送する無線ベアラを指示するのに用いられるベアラ情報を含む。別の可能な実施態様においては、少なくとも1つの無線ベアラに含まれる、データパケットを搬送する無線ベアラを指示するのに用いられるベアラ情報は、802．3フレーム内のアドレスフィールドに付加されてよい。例えば、8つのMACアドレスが拡張され、無線ベアラとMACアドレスとの間でマッピングが行われ、次いで、少なくとも1つの無線ベアラに含まれる、データパケットを搬送する無線ベアラを指示するのに用いられるベアラ情報がアドレスフィールドに記入される。ベアラ情報がマッピング値である場合には、マッピング値はMACアドレス、またはデータパケットを搬送する無線ベアラを一意に識別することのできる別の値とすることができる。データパケットがPDCPデータパケットである場合には、ベアラ情報はデータベアラ識別子（Data Radio Bearer Identifier、DRB ID）とすることができ、データパケットがRLCデータパケットである場合には、ベアラ情報は論理チャネル識別子（logical channel identity、LC ID）とすることができる。加えて、eNBは、ベアラ情報と、少なくとも1つの無線ベアラに含まれる、データパケットを搬送する無線ベアラとの間のマッピング関係を、エア・インターフェース・メッセージを用いてUEへさらに送信することもできる。
【０２０３】
802．eNBは、APを用いて、eNBによってサービスされているUEへデータフレームを送信する。
【０２０４】
eNBが、eNBによってサービスされているUEのセルラネットワークにおけるデータを非セルラネットワークにオフロードすることを決定し、eNBによってサービスされているUEへデータパケットを送信することが必要になったときにデータフレームを生成した後で、eNBはまず、CAPWAPヘッダに含まれるAPのMACアドレスに従って、eNBとAPとの間のCAPWAPトンネルインターフェースまたはインターフェースZ（interface−Z）を用いてAPへデータフレームを送信することができる。eNBとAPとの間のデータ伝送時のデータカプセル化フォーマットはAPとUEとの間のデータ伝送時のデータカプセル化フォーマットと異なる。したがって、eNBによって送信されたデータフレームを受信した後で、APはデータフレームのカプセル化フォーマットを変換する必要があり、変換後にデータフレームをUEへ送信する。具体的には、データフレームはUEのワイヤレスフィデリティ（Wireless Fidelity、WiFi）モジュールへ送信されてよい。
【０２０５】
例えば、APは、APの識別情報と、データフレームに含まれるUEのMACアドレスおよびeNBのMACアドレスとを組み合わせることによって802．11フレームのMACヘッダを生成し、生成された802．11フレームのMACヘッダと、データフレームに含まれる識別情報およびデータパケットとを再度組み合わせることによってデータフレームを生成し、次いでデータフレームをUEへ送信することができる。
【０２０６】
受信したデータフレームに従って、APは、データフレームの802．3フレームに含まれるUEのMACアドレスおよびeNBのMACアドレスをコピーし、IEEE802．11規格の規定に従ってUEのMACアドレスと、eNBのMACアドレスと、APの識別情報とを組み合わせることによって802．11フレームのMACヘッダを生成することができる。802．11フレームのMACヘッダのフォーマットが図11に示されている。具体的には、APは、データフレームに含まれる802．3フレーム内の宛先アドレス、すなわち、UEのMACアドレスを、802．11フレームのMACヘッダ内のアドレスビット1にコピーし、データフレームに含まれる802．3フレーム内の送信元アドレス、すなわち、eNBのMACアドレスを、802．11フレームのMACヘッダ内のアドレスビット3にコピーし、データフレームの送信側として用いられるAPの識別情報を802．11フレームのMACヘッダ内のアドレスビット2に記入し、APはデータフレームの送信機として用いられ、IEEE802．11規格の規定に従って、図11に示すフレーム制御（Frame control）、持続期間（Duration）、シーケンス制御（Sequence control）、アドレスビット4、およびサービス品質制御（Quality of Service control、QoS control）といった他のフィールドをさらに記入することにより、802．11フレームのMACヘッダを最終的に生成することができる。APの識別情報はAPのMACアドレス、APの基本サービスセット識別子（Basic Service Set Identifier、BSSID）、またはAPのサービスセット識別子（Service Set Identifier、SSID）とすることができ、これについては本発明の本実施形態では限定されない。
【０２０７】
加えて、802．11フレームのMACヘッダを生成した後で、APは、IEEE802．11規格の規定に従って、802．11フレームのMACヘッダと、データフレームに含まれる指示情報と、802．3フレームに含まれるデータパケットとを再度組み合わせることによってデータフレームを生成することができる。具体的には、この場合に生成されるデータフレームは図11に示す802．11フレームの構造を用いることができ、すなわち、データフレームに含まれる指示情報は図11に示す指示情報フィールドにコピーされてよく、データパケットは図11に示すデータパケットフィールドにコピーされてよい。加えて、図11に示すデータフレームは、宛先サービス・アクセス・ポイント（destination service access point、DSAP）フィールド、送信元サービス・アクセス・ポイント（source service access point、SSAP）フィールド、制御フィールド、およびイーサネット（登録商標）トンネル（Ethernet Tunnel）フィールドをさらに含む。
【０２０８】
本発明の本実施形態で提供される図11に示すデータフレームのフォーマットの概略図では、データフレームに含めることのできるフィールドのみを記載しており、各フィールドの長さに対する特定の制限を課していないことに留意すべきである。図11に示す各フィールドの長さは例にすぎない。すなわち、図11に示すデータフレームに含まれるフィールドのタイプおよび各フィールドの長さは本発明の本実施形態では特に制限されない。具体的には、図11に示すデータフレームに含まれるフィールドのタイプおよび各フィールドの長さは、実際の応用シナリオの要件に従って設定されてよい。
【０２０９】
さらに、UEに少なくとも1つの無線ベアラがあるときに、図9に示すデータフレームに含まれる、少なくとも1つの無線ベアラに含まれる、データパケットを搬送する無線ベアラを指示するのに用いられるベアラ情報は、図11に示すデータフレームにマップされる必要がある。少なくとも1つの無線ベアラに含まれる、データパケットを搬送する無線ベアラを指示するのに用いられる（マッピング値といった）ベアラ情報がCAPWAPヘッダに付加されるときに、APはベアラ情報を802．11フレームのMACヘッダにマップすることができ、例えば、ベアラ情報を、802．11フレームのMACヘッダのフレーム制御フィールド内のタイプ予約済みフィールドにマップすることができる。先行技術では、reservedフィールドには0000から1111までの16の任意選択値があり、DRB IDには8つの任意選択値がある。例えば、無線ベアラに対応するタイプ／サブタイプ（Type／subType）値または範囲が提供されてよい。例えば、DRB ID0は0000に対応している。少なくとも1つの無線ベアラに含まれる、データパケットを搬送する無線ベアラを指示するのに用いられるベアラ情報が802．3フレーム内の新しく付加されたフィールドに含まれる場合には、新しいフィールドが図11に示すデータフレームに付加されてよく、ベアラ情報は新しく付加されたフィールドにマップされる。少なくとも1つの無線ベアラに含まれる、データパケットを搬送する無線ベアラを指示するのに用いられる（マッピング値といった）ベアラ情報が802．3フレームのアドレスフィールドに付加される場合には、ベアラ情報は802．11フレームのMACヘッダのアドレスフィールドにマップされてよい。APはUEに、ベアラ情報と、少なくとも1つの無線ベアラに含まれる、データパケットを搬送する無線ベアラとの間のマッピング関係を通知することができる。
【０２１０】
803．UEはAPを用いてeNBによって送信されたデータフレームを受信する。
【０２１１】
804．UEは、指示情報に従ってデータパケットはセルラネットワークのデータパケットであると決定する。
【０２１２】
例えば、UEのWiFiモジュールは、APを用いてeNBによって送信されたデータフレームを受信し、データフレームを受信した後でデータフレーム内の802．11フレームのMACヘッダを除去し、指示情報に従ってデータパケットがセルラネットワークのデータパケットであるかどうか判定し、すなわち、タイプコードに従ってデータパケットがセルラネットワークのデータパケットであるかどうか判定し、データパケットがセルラネットワークのデータパケットであると決定した後で、データパケットをUEのLTEモジュールへ送ることができる。例えば、指示情報がPDCPデータパケットに対応するタイプコードである場合には、WiFiモジュールは、指示情報に従ってデータパケットはPDCPデータパケット、すなわち、セルラネットワークのデータパケットであると決定することができ、したがって、データパケットをUEのLTEモジュールへ送ることができる。UEのWiFiモジュールが、データパケットはセルラネットワークのデータパケットではないと決定した場合、WiFiモジュールはデータパケットを処理のためにUEのプロセッサへ直接送ってよい。
【０２１３】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。したがって、セルラ・ネットワーク・プロトコルを用いてデータパケットを処理する前に、UEはまず、ベアラ情報と、少なくとも1つの無線ベアラに含まれる、データパケットを搬送する無線ベアラとの間のマッピング関係を受信することができ、マッピング関係はエア・インターフェース・メッセージを用いてeNBによって送信される。次いで、UEのWiFiモジュールは、マッピング関係およびベアラ情報に従って無線ベアラに対応するUEのLTEモジュールへデータパケットを送る。
【０２１４】
805．UEは、セルラ・ネットワーク・プロトコルを用いてデータパケットを処理する。
【０２１５】
UEのLTEモジュールはセルラ・ネットワーク・プロトコルを用いてデータパケットを処理することができ、例えば、データパケットがPDCPデータパケットである場合、PDCP層プロトコルを用いてデータパケットを処理し、そうではなくデータパケットがRLCデータパケットである場合、RLC層プロトコルを用いてデータパケットを処理する。
【０２１６】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、統合型アクセス・ネットワーク・コーディネータ（Single Ran Coordinator、SRC）、RNC、あるいは無線ネットワークコントローラといったネットワークノードとすることができる。本発明の本実施形態では、本発明のセルラ無線アクセスデバイスに特定の制限を課していない。
【０２１７】
本発明の本実施形態では、eNBはACの機能と統合されていること、すなわち、eNBとACとは同じノードまたは同じ物理エンティティであることに留意すべきである。
【０２１８】
eNBがACの機能と統合されていないとき、すなわち、eNBとACとが同じノードでも同じ物理エンティティでもないときには、eNBはACを用いてAPへデータフレームを送信してよく、APはデータフレームをUEへ送信する。
【０２１９】
別の応用シナリオでは、本発明の本実施形態は別のダウンリンクのオフロードおよび統合の方法を提供する。eNBが、APを用いて、eNBによってサービスされているUEへデータフレームを送信するプロセスにおいて、APによって受信され、eNBによって送信されたデータフレームは、eNBがUEへ送信する必要のあるデータパケットを含むが、データパケットがセルラネットワークのデータパケットであることを指示するのに用いられる指示情報を含まない。この場合には、eNBによって送信されたデータフレームを受信した後で、APは、データフレームに、データパケットがセルラネットワークのデータパケットであることを指示するのに用いられる指示情報を付加し、次いで、UEが指示情報に従ってセルラ・ネットワーク・プロトコルを用いてデータパケットを処理するように、UEへ指示情報を搬送するデータフレームを送信することができる。セルラネットワークのデータパケットはPDCPデータパケットまたはRLCデータパケットを含むことができる。
【０２２０】
さらに、データフレームに、データパケットがセルラネットワークのデータパケットであることを指示するのに用いられる指示情報を付加し、UEへデータフレームを送信する前に、APはまず、eNBによって送信された指示情報を受信することができる。
【０２２１】
この応用シナリオでのダウンリンクのオフロードおよび統合の具体的な実施プロセスと本発明の本実施形態のステップ801からステップ805の実施プロセスとの違いは、APは、データフレームに、データパケットがセルラネットワークのデータパケットであることを指示するのに用いられる指示情報を付加するが、eNBは指示情報を付加しないことであることに留意すべきである。別の実施プロセスは、ステップ801からステップ805の対応する内容の実施プロセスと同じである。したがって、この応用シナリオでの実施プロセスの詳細な説明については、本発明の本実施形態のステップ801からステップ805の対応する内容の詳細な説明を参照することができる。本発明の本実施形態では詳細を説明しない。
【０２２２】
別の応用シナリオでは、本発明の本実施形態は別のダウンリンクのオフロードおよび統合の方法を提供する。この応用シナリオでは、eNBはIP層でのオフロードをサポートし、この場合には、データパケットはIPデータパケットである。具体的には、UEはAPを用いてeNBによって送信されたデータフレームを受信し、この場合には、データフレームは、eNBがUEへ送信する必要のあるデータパケットを含み、データパケットは送信元IPアドレスおよび宛先IPアドレスを含む。加えて、この場合には、データフレームは、eNBがUEへ送信する必要のあるデータパケットがセルラネットワークのデータパケットであることを指示するのに用いられる指示情報を含まない。APを用いてeNBによってUEへ転送されたデータパケットに含まれる宛先IPアドレス（すなわち、UEのIPアドレス）はコア・ネットワーク・ゲートウェイによって割り当てられており、APによってUEへ直接送信されたデータパケットに含まれる宛先IPアドレス（すなわち、UEのIPアドレス）はAPによって割り当てられている。したがって、データパケットを含むデータフレームを受信した後で、UEは、データパケットに含まれる宛先IPアドレスに従って、宛先IPアドレスがコア・ネットワーク・ゲートウェイによって割り当てられているかどうか判定することができる。宛先IPアドレスがコア・ネットワーク・ゲートウェイによって割り当てられている場合、UEにはセルラ・ネットワーク・プロトコルを用いてデータパケットを処理する必要があり、そうではなく宛先IPアドレスがコア・ネットワーク・ゲートウェイによってではなくAPによって割り当てられている場合には、UEはデータパケットを直接処理する。これは具体的には、UEのWiFiモジュールが、データパケットに含まれる宛先IPアドレスに従って、宛先IPアドレスがコア・ネットワーク・ゲートウェイによって割り当てられているかどうか判定することである。宛先IPアドレスがコア・ネットワーク・ゲートウェイによって割り当てられている場合、UEのWiFiモジュールはデータパケットをUEのLTEモジュールへ送り、UEのLTEモジュールはセルラ・ネットワーク・プロトコルを用いてデータパケットを処理し、そうではなく、宛先IPアドレスがコア・ネットワーク・ゲートウェイによってで
はなくAPによって割り当てられている場合には、UEのプロセッサはデータパケットを直接処理することができる。あるいは、データフレームを受信した後で、UEは宛先IPアドレスがコア・ネットワーク・ゲートウェイあるいはAPによって割り当てられているかどうか判定することができない。この場合には、APを用いてeNBによってUEへ転送されたデータパケット内の送信元IPアドレスはセルラサービスを運ぶのに用いられたアドレスであるが、APによってUEへ直接送信されたデータパケット内の送信元IPアドレスはAPサーバアドレスである。したがって、UEは、データパケットに含まれる送信元IPアドレスに従って、送信元IPアドレスがセルラサービスを運ぶのに用いられたアドレスであるかどうか判定することができる。送信元IPアドレスがセルラサービスを運ぶのに用いられたアドレスである場合、UEはセルラ・ネットワーク・プロトコルを用いてデータパケットを処理する必要がある。これは具体的には、UEのWiFiモジュールが、データパケットに含まれる送信元IPアドレスに従って、送信元IPアドレスがセルラサービスを運ぶのに用いられたアドレスであるかどうか判定することである。送信元IPアドレスがセルラサービスを運ぶのに用いられたアドレスである場合、UEのWiFiモジュールはデータパケットをUEのLTEモジュールへ送り、UEのLTEモジュールはセルラ・ネットワーク・プロトコルを用いてデータパケットを処理する。前述のシナリオにおけるデータパケットはIPデータパケットを指している。データパケットがIPデータパケットであり、UEに少なくとも1つの無線ベアラがあるときには、データパケットを搬送する無線ベアラのベアラ情報をデータフレームに付加する必要がある。この場合には、ベアラ情報は無線アクセスベアラ識別子（EUTRAN−Radio Access Bearer Identifier、E−RABID）またはトンネルエンドポイント識別子（Tunnel Endpoint Identifier、TEID）とすることができる。
【０２２３】
データパケットがIPデータパケットであるときには、UEはIP層プロトコルを用いてデータパケットを特に処理することに留意すべきである。
【０２２４】
この応用シナリオでのダウンリンクのオフロードおよび統合の具体的な実施プロセスと本発明の本実施形態のステップ801からステップ805の実施プロセスとの違いは、eNBは指示情報を付加せず（すなわち、データフレームはデータパケットがセルラネットワークのデータパケットであることを指示するのに用いられる指示情報を含まず）、UEが、受信データパケットに含まれるIPアドレスに従って、セルラ・ネットワーク・プロトコルを用いてデータパケットを処理することが必要かどうか判定することであることに留意すべきである。別の実施プロセスは、ステップ801からステップ805の対応する内容の実施プロセスと同じである。したがって、この応用シナリオでの実施プロセスの詳細な説明については、本発明の本実施形態のステップ801からステップ805の対応する内容の詳細な説明を参照することができる。本発明の本実施形態では詳細を説明しない。
【０２２５】
別の応用シナリオでは、本発明の本実施形態は別のダウンリンクのオフロードおよび統合の方法を提供する。この応用シナリオでは、eNBはIP層でのオフロードをサポートし、この場合には、データパケットはIPデータパケットIPデータパケットである。具体的には、APはeNBによって送信されたデータフレームを受信し、この場合には、データフレームは、eNBがUEへ送信する必要のあるデータパケットを含み、データパケットは送信元IPアドレスおよび宛先IPアドレスを含む。加えて、この場合には、データフレームは、UEへ送信する必要のあるデータパケットがセルラネットワークのデータパケットであることを指示するのに用いられる指示情報を含まない。したがって、データパケットを含むデータフレームを受信した後で、APは、データパケットに含まれる送信元IPアドレスに従って、送信元IPアドレスがセルラサービスを運ぶのに用いられたアドレスであるかどうか判定することができる。送信元IPアドレスがセルラサービスを運ぶのに用いられたアドレスである場合、APは、UEがセルラ・ネットワーク・プロトコルを用いてデータパケットを処理するように、UEへデータフレームを送信し（具体的には、送信元IPアドレスがセルラサービスを運ぶのに用いられたアドレスであると決定したときに、APはUEのWiFiモジュールを用いてUEのLTEモジュールへデータフレームを送信することができ）、そうではなく、送信元IPアドレスがセルラサービスを運ぶのに用いられたアドレスではない場合には、APはデータパケットをUEのWiFiモジュールへ直接送信し、UEのプロセッサがデータパケットを処理する。あるいは、データパケットを含むデータフレームを受信した後で、APは、データパケットに含まれる宛先IPアドレスに従って、宛先IPアドレスがコア・ネットワーク・ゲートウェイによって割り当てられているかどうか判定してもよい。宛先IPアドレスがコア・ネットワーク・ゲートウェイによって割り当てられている場合、APは、UEがセルラ・ネットワーク・プロトコルを用いてデータパケットを処理するように、UEへデータフレームを送信し（具体的には、宛先IPアドレスがコア・ネットワーク・ゲートウェイによって割り当てられていると決定したときに、APは、UEのLTEモジュールがセルラ・ネットワー
ク・プロトコルを用いてデータパケットを処理するように、UEのWiFiモジュールを用いてUEのLTEモジュールへデータフレームを送信することができ）、そうではなく、宛先IPアドレスがコア・ネットワーク・ゲートウェイによって割り当てられていない場合には、APはデータパケットをUEのWiFiモジュールへ直接送信し、UEのプロセッサがデータパケットを処理する。前述のシナリオにおけるデータパケットはIPデータパケットを指している。
【０２２６】
データパケットがIPデータパケットであるときには、UEはIP層プロトコルを用いてデータパケットを特に処理することに留意すべきである。
【０２２７】
この応用シナリオでのダウンリンクのオフロードおよび統合の具体的な実施プロセスと本発明の本実施形態のステップ801からステップ805の実施プロセスとの違いは、eNBは指示情報を付加せず（すなわち、データフレームはデータパケットがセルラネットワークのデータパケットであることを指示するのに用いられる指示情報を含まず）、APが、受信データパケットに含まれるIPアドレスに従ってデータパケットがセルラネットワークのデータパケットであるかどうか判定することであることに留意すべきである。別の実施プロセスは、ステップ801からステップ805の対応する内容の実施プロセスと同じである。したがって、この応用シナリオでの実施プロセスの詳細な説明については、本発明の本実施形態のステップ801からステップ805の対応する内容の詳細な説明を参照することができる。本発明の本実施形態では詳細を説明しない。
【０２２８】
本発明の本実施形態で提供されるダウンリンクのオフロードおよび統合の方法によれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０２２９】
本発明の別の実施形態はダウンリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がデータパケットのタイプコードであることを、本発明の本実施形態における詳細な説明のための例として用いる。データパケットは、eNBがUEへ送信する必要のあるデータパケットである。図12に示すように、本方法は以下のステップを含むことができる。
【０２３０】
901．ACが、eNBによって送信された、eNBがUEへ送信する必要のあるデータパケットを受信する。
【０２３１】
データパケットは、eNBがeNBによってサービスされているUEのセルラネットワークにおけるデータを非セルラネットワークにオフロードすることを決定した後で送信される。具体的には、事前設定ポリシに従ってLTEネットワークがサービス過負荷状態にあると決定した後で、すなわち、eNBによってサービスされているUEのセルラネットワークにおけるデータを非セルラネットワークにオフロードすることが必要であると決定した後で、eNBによってサービスされているUEへデータパケットを送信することが必要になったときに、eNBはまずデータパケットの暗号化といった処理を行い、次いで処理されたデータパケットをACへ送信することができる。具体的には、eNBは、eNBとACとの間のCAPWAPトンネルインターフェースまたはinterface−Zを用いてACへデータパケットを送信することができる。
【０２３２】
さらに、eNBは802．3規格に従ってデータパケットを802．3フレームにカプセル化し（加えて、802．3フレームは、UEへ送信される必要のあるデータパケットがセルラネットワークのデータパケットであることを指示するのに用いられる指示情報を含む場合もあり、UEへ送信される必要のあるデータパケットがセルラネットワークのデータパケットであることを指示するのに用いられる指示情報を含まない場合もある）、データパケットがカプセル化されている802．3フレームをACへ送信することができる。当然ながら、eNBは新しいフレームフォーマットを用いてデータパケットをカプセル化してもよく、これについては本発明の本実施形態では限定されない。
【０２３３】
902．ACはeNBによって送信されたAPの識別情報を受信する。
【０２３４】
識別情報はACによってAPを決定するのに用いられる。APの識別情報は、APのMACアドレス、APのBSSID、またはAPのSSIDとすることができ、これについては本発明の本実施形態では限定されない。例えば、eNBは、eNBの負荷状況およびインターフェースチャネル条件に従って、オフロードを行うべきeNBのカバレッジ内の適正なAPを選択し、適正なAPを選択した後で、ACが受信したAPの識別情報に従ってAPを決定するように、APの識別情報をACへ送信することができる。
【０２３５】
eNBによって送信された、eNBがUEへ送信する必要のあるデータパケットと、eNBによって送信されたAPの識別情報とを受信した後で、ACはデータパケットを搬送するデータフレームを生成することができる。例えば、ACは802．3フレームとCAPWAPヘッダとを組み合わせることによってデータフレームを生成することができる。802．3フレームは、データパケットと、eNBがUEへ送信する必要のあるデータパケットがセルラネットワークのデータパケットであることを指示するのに用いられる指示情報とを含む。802．3フレームはUEのMACアドレスおよびeNBのMACアドレスをさらに含み、CAPWAPヘッダはAPのMACアドレスを含む（APのMACアドレスは受信したAPの識別情報に従ってACによって決定されうる）。さらに、eNBによって送信され、ACによって受信された、eNBがUEへ送信する必要のあるデータパケットが802．3フレームに含まれている場合、ACが802．3フレームとCAPWAPヘッダとを組み合わせることによってデータフレームを生成することは、具体的には、ACが、データフレームに、CAPWAPヘッダと、802．3フレームに含まれるデータパケット、UEのMACアドレス、およびeNBのMACアドレスとを付加すること、とすることができる。
【０２３６】
903．ACはAPを用いてUEへデータフレームを送信する。
【０２３７】
データフレームはeNBがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。ACはまず、CAPWAPヘッダに含まれるAPのMACアドレスに従って、ACとAPとの間のCAPWAPトンネルインターフェースを用いてAPへデータフレームを送信することができる。ACとAPとの間のデータ伝送時のデータカプセル化フォーマットは、APとUEとの間のデータ伝送時のデータカプセル化フォーマットと異なる。したがって、ACによって送信されたデータフレームを受信した後で、APはデータフレームのカプセル化フォーマットを変換する必要があり、変換後にデータフレームをUEへ送信する。具体的には、データフレームはUEのWiFiモジュールへ送信されうる。
【０２３８】
セルラネットワークのデータパケットはPDCPデータパケットまたはRLCデータパケットを含む。
【０２３９】
例えば、APは、APの識別情報と、データフレームに含まれるUEのMACアドレスおよびeNBのMACアドレスとを組み合わせることによって802．11フレームのMACヘッダを生成し、802．11フレームのMACヘッダと、データフレームに含まれる識別情報およびデータパケットとを再度組み合わせることによってデータフレームを生成し、次いでデータフレームをUEへ送信することができる。
【０２４０】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。加えて、ACは、ベアラ情報と、少なくとも1つの無線ベアラに含まれる、データパケットを搬送する無線ベアラとの間のマッピング関係を、eNBを用いてUEへ送信することもできる。
【０２４１】
904．UEはAPを用いてACによって送信されたデータフレームを受信する。
【０２４２】
905．UEは指示情報に従ってデータパケットはセルラネットワークのデータパケットであると決定する。
【０２４３】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。したがって、セルラ・ネットワーク・プロトコルを用いてデータパケットを処理する前に、UEはまず、ベアラ情報と、少なくとも1つの無線ベアラに含まれる、データパケットを搬送する無線ベアラとの間のマッピング関係を受信することができ、マッピング関係はeNBを用いてACによって送信される。次いで、UEのWiFiモジュールは、マッピング関係およびベアラ情報に従って無線ベアラに対応するUEのLTEモジュールへデータパケットを送る。
【０２４４】
906．UEは、セルラ・ネットワーク・プロトコルを用いてデータパケットを処理する。
【０２４５】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SRC、RNC、あるいは無線ネットワークコントローラといったネットワークノードとすることができる。本発明の本実施形態では、本発明のセルラ無線アクセスデバイスに特定の制限を課していない。
【０２４６】
本発明の本実施形態のステップ901からステップ906の内容の詳細な説明については、本発明の別の実施形態のステップ801からステップ805の対応する内容の詳細な説明を参照することができることに留意すべきである。本発明の本実施形態では詳細を説明しない。
【０２４７】
別の応用シナリオでは、本発明の本実施形態は別のダウンリンクのオフロードおよび統合の方法を提供する。ACが、APを用いて、eNBによってサービスされているUEへデータフレームを送信するプロセスにおいて、APによって受信され、ACによって送信されたデータフレームは、eNBがUEへ送信する必要のあるデータパケットを含むが、データパケットがセルラネットワークのデータパケットであることを指示するのに用いられる指示情報を含まない。ACによって送信されたデータフレームを受信した後で、APは、データフレームに、データパケットがセルラネットワークのデータパケットであることを指示するのに用いられる指示情報を付加し、次いで、UEが指示情報に従ってセルラ・ネットワーク・プロトコルを用いてデータパケットを処理するように、UEへ指示情報を搬送するデータフレームを送信することができる。セルラネットワークのデータパケットはPDCPデータパケットまたはRLCデータパケットを含むことができる。
【０２４８】
さらに、データフレームに、データパケットがセルラネットワークのデータパケットであることを指示するのに用いられる指示情報を付加し、UEへデータフレームを送信する前に、APはまず、eNBによって送信された指示情報を受信することができる。
【０２４９】
この応用シナリオでのダウンリンクのオフロードおよび統合の具体的な実施プロセスと本発明の本実施形態のステップ901からステップ906の実施プロセスとの違いは、APは、データフレームに、データパケットがセルラネットワークのデータパケットであることを指示するのに用いられる指示情報を付加するが、ACは指示情報を付加しないことであることに留意すべきである。別の実施プロセスは、ステップ901からステップ906の対応する内容の実施プロセスと同じである。したがって、この応用シナリオでの実施プロセスの詳細な説明については、本発明の本実施形態のステップ901からステップ906の対応する内容の詳細な説明を参照することができる。本発明の本実施形態では詳細を説明しない。
【０２５０】
別の応用シナリオでは、本発明の本実施形態は別のダウンリンクのオフロードおよび統合の方法を提供する。この応用シナリオでは、eNBはIP層でのオフロードをサポートし、この場合には、データパケットはIPデータパケットIPデータパケットである。具体的には、UEはAPを用いてACによって送信されたデータフレームを受信し、この場合には、データフレームは、eNBがUEへ送信する必要のあるデータパケットを含み、データパケットは送信元IPアドレスおよび宛先IPアドレスを含む。加えて、この場合には、データフレームは、eNBがUEへ送信する必要のあるデータパケットがセルラネットワークのデータパケットであることを指示するのに用いられる指示情報を含まない。ACおよびAPを用いてeNBによってUEへ転送されたデータパケットに含まれる宛先IPアドレス（すなわち、UEのIPアドレス）はコア・ネットワーク・ゲートウェイによって割り当てられており、APによってUEへ直接送信されたデータパケットに含まれる宛先IPアドレス（すなわち、UEのIPアドレス）はAPによって割り当てられている。したがって、データパケットを含むデータフレームを受信した後で、UEは、データパケットに含まれる宛先IPアドレスに従って、宛先IPアドレスがコア・ネットワーク・ゲートウェイによって割り当てられているかどうか判定することができる。宛先IPアドレスがコア・ネットワーク・ゲートウェイによって割り当てられている場合、UEにはセルラ・ネットワーク・プロトコルを用いてデータパケットを処理する必要があり、そうではなく宛先IPアドレスがコア・ネットワーク・ゲートウェイによってではなくAPによって割り当てられている場合には、UEはデータパケットを直接処理する。これは具体的には、UEのWiFiモジュールが、データパケットに含まれる宛先IPアドレスに従って、宛先IPアドレスがコア・ネットワーク・ゲートウェイによって割り当てられているかどうか判定することである。宛先IPアドレスがコア・ネットワーク・ゲートウェイによって割り当てられている場合、UEのWiFiモジュールはデータパケットをUEのLTEモジュールへ送り、UEのLTEモジュールはセルラ・ネットワーク・プロトコルを用いてデータパケットを処理し、そうではなく、宛先IPアドレスがコア・ネットワー
ク・ゲートウェイによってではなくAPによって割り当てられている場合には、UEのプロセッサはデータパケットを直接処理することができる。あるいは、データフレームを受信した後で、UEは宛先IPアドレスがコア・ネットワーク・ゲートウェイあるいはAPによって割り当てられているかどうか判定することができない。この場合には、ACおよびAPを用いてeNBによってUEへ転送されたデータパケット内の送信元IPアドレスはセルラサービスを運ぶのに用いられたアドレスであるが、APによってUEへ直接送信されたデータパケット内の送信元IPアドレスはAPサーバアドレスである。したがって、UEは、データパケットに含まれる送信元IPアドレスに従って、送信元IPアドレスがセルラサービスを運ぶのに用いられたアドレスであるかどうか判定することができる。送信元IPアドレスがセルラサービスを運ぶのに用いられたアドレスである場合、UEはセルラ・ネットワーク・プロトコルを用いてデータパケットを処理する必要がある。これは具体的には、UEのWiFiモジュールが、データパケットに含まれる送信元IPアドレスに従って、送信元IPアドレスがセルラサービスを運ぶのに用いられたアドレスであるかどうか判定することである。送信元IPアドレスがセルラサービスを運ぶのに用いられたアドレスである場合、UEのWiFiモジュールはデータパケットをUEのLTEモジュールへ送り、UEのLTEモジュールはセルラ・ネットワーク・プロトコルを用いてデータパケットを処理する。前述のシナリオにおけるデータパケットはIPデータパケットを指している。データパケットがIPデータパケットであり、UEに少なくとも1つの無線ベアラがあるときには、データパケットを搬送する無線ベアラに対応するベアラ情報をデータフレームに付加する必要がある。この場合には、ベアラ情報はE−RABIDまたはTEIDとすることができる。
【０２５１】
この応用シナリオでのダウンリンクのオフロードおよび統合の具体的な実施プロセスと本発明の本実施形態のステップ901からステップ906の実施プロセスとの違いは、eNBは指示情報を付加せず（すなわち、データフレームはデータパケットがセルラネットワークのデータパケットであることを指示するのに用いられる指示情報を含まず）、UEが、受信データパケットに含まれるIPアドレスに従って、セルラ・ネットワーク・プロトコルを用いてデータパケットを処理することが必要かどうか判定することであることに留意すべきである。別の実施プロセスは、ステップ901からステップ906の対応する内容の実施プロセスと同じである。したがって、この応用シナリオでの実施プロセスの詳細な説明については、本発明の本実施形態のステップ901からステップ906の対応する内容の詳細な説明を参照することができる。本発明の本実施形態では詳細を説明しない。
【０２５２】
本発明の本実施形態で提供されるダウンリンクのオフロードおよび統合の方法によれば、セルラ無線アクセスデバイスによって送信された、セルラ無線アクセスデバイスがUEへ送信する必要のあるデータパケットを受信した後で、ACは、データフレームに、データパケットと、データパケットがセルラネットワークのデータパケットであることを指示するのに用いられる指示形成とを付加し、非セルラ無線アクセスデバイスを用いてUEへデータフレームを送信することができる。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０２５３】
本発明の別の実施形態はダウンリンクのオフロードおよび統合の方法を提供し、本方法はeNB（セルラ無線アクセスデバイス）およびAP（非セルラ無線アクセスデバイス）を含む無線通信システムに適用される。加えて、UEへ送信される必要のあるデータパケットがセルラネットワークのデータパケットであることを指示するのに用いられる指示情報がeNBのアドレス情報であることを、本発明の本実施形態における説明の例として用いる。図13に示すように、本方法は以下のステップを含むことができる。
【０２５４】
1001．eNBはeNBによってサービスされているUEのセルラネットワークにおけるデータを非セルラネットワークにオフロードすることを決定する。
【０２５５】
eNBによってサービスされているUEのセルラネットワークにおけるデータを非セルラネットワークにオフロードすることを決定した後で、eNBによってサービスされているUEへデータパケットを送信することが必要になったときに、eNBはデータパケットを搬送するデータフレームを生成することができる。
【０２５６】
例えば、eNBは802．3フレームとCAPWAPヘッダとを組み合わせることによってデータフレームを生成することができる。
【０２５７】
802．3フレームは、データパケットと、UEへ送信される必要のあるデータパケットがセルラネットワークのデータパケットであることを指示するのに用いられる指示情報とを含み、指示情報はeNBのアドレス情報である。本発明の本実施形態では、eNBは少なくとも2つのMACアドレスをサポートし、各MACアドレスと各MACアドレスの機能情報との間にはマッピング関係がある。例えば、eNBは2つのMACアドレスをサポートし、MACアドレス1の機能はInternetローカルブレイクアウト（localbreakout）であり、MACアドレス2の機能はオフロードおよび統合である。加えて、UEに、無線リソース制御（Radio Resource Control、RRC）接続再構成メッセージを用いて、各MACアドレスと各MACアドレスの機能情報との間のマッピング関係を通知してもよい。
【０２５８】
具体的には、eNBによってサービスされているUEのセルラネットワークにおけるデータを非セルラネットワークにオフロードすることを決定した後で、eNBはまず、データパケットの暗号化といった処理を行い、次いで、IEEE802．3規格の規定に従って、宛先アドレス、指示情報（指示情報はIEEE802．3規格において指定された送信元アドレスとして用いられうる）、およびデータパケットを含む802．3フレームを生成し、802．3フレームとCAPWAPヘッダとを組み合わせることによってデータフレームを生成することができる。802．3フレーム内の宛先アドレスはUEのMACアドレスである。データパケットは非セルラネットワークにオフロードする必要のあるデータパケットであり、すなわち、データパケットは、オフロードおよび統合の処理を施された後で初めてeNBからUEへ送信することができる。したがって、802．3フレーム内の指示情報は、オフロードおよび統合である機能情報に対応するMACアドレスである。
【０２５９】
さらに任意選択で、CAPWAPヘッダはAPのMACアドレスを含んでいてよい。
【０２６０】
本発明の本実施形態では、さらに、UEに少なくとも1つの無線ベアラがあるときに、少なくとも1つの無線ベアラに含まれる、データパケットを搬送する無線ベアラを指示するのに用いられるベアラ情報をデータフレームに付加する必要がある。ベアラ情報は、少なくとも1つの無線ベアラに含まれる、データパケットを搬送する無線ベアラに対応するマッピング値とすることができる。1つの可能な実施態様においては、少なくとも1つの無線ベアラに含まれる、データパケットを搬送する無線ベアラを指示するのに用いられる（マッピング値といった）ベアラ情報はCAPWAPヘッダに付加されてよい。具体的には、マッピング値は図10に示すフィールドに記入されてよい。例えば、Reservedの値が拡張されてもよく、すなわち、データパケットを搬送する無線ベアラに対応するマッピング値はReservedフィールドに記入されてもよく、あるいは、wireless specific informationフィールドのdataフィールドが拡張されてもよい。別の可能な実施態様においては、新しいフィールドが802．3フレームに付加されてよく、このフィールドは、少なくとも1つの無線ベアラに含まれる、データパケットを搬送する無線ベアラを指示するのに用いられるベアラ情報を含む。別の可能な実施態様においては、少なくとも1つの無線ベアラに含まれる、データパケットを搬送する無線ベアラを指示するのに用いられるベアラ情報は、802．3フレームのアドレスフィールドに付加されてよい。例えば、8つのMACアドレスが拡張され、無線ベアラとMACアドレスとの間でマッピングが行われ、次いで、少なくとも1つの無線ベアラに含まれる、データパケットを搬送する無線ベアラを指示するのに用いられるベアラ情報がアドレスフィールドに記入される。
【０２６１】
1002．eNBは、APを用いて、eNBによってサービスされているUEへデータフレームを送信する。
【０２６２】
eNBが、eNBによってサービスされているUEのセルラネットワークにおけるデータを非セルラネットワークにオフロードすることを決定し、eNBによってサービスされているUEへデータパケットを送信することが必要になったときにデータフレームを生成した後で、eNBはまず、CAPWAPトンネルインターフェースまたはinterface−Zを用いてAPへデータフレームを送信することができる。eNBとAPとの間のデータ伝送時のデータカプセル化フォーマットはAPとUEとの間のデータ伝送時のデータカプセル化フォーマットと異なる。したがって、eNBによって送信されたデータフレームを受信した後で、APはデータフレームのカプセル化フォーマットを変換する必要があり、変換後にデータフレームをUEへ送信する。
【０２６３】
例えば、APは、APの識別情報とデータフレームに含まれるUEの指示情報およびMACアドレスとを組み合わせることによって802．11フレームのMACヘッダを生成し、生成された802．11フレームのMACヘッダとデータフレームに含まれるデータパケットとを再度組み合わせることによってデータフレームを生成し、次いでデータフレームをUEへ送信することができる。
【０２６４】
受信したデータフレームに従って、APは、データフレームに含まれる802．3フレーム内のUEのMACアドレス、および、eNBのアドレス情報（その機能がオフロードおよび統合であるMACアドレス）である指示情報をコピーし、IEEE802．11規格の規定に従ってUEのMACアドレスと、eNBのアドレス情報と、APの識別情報とを組み合わせることによって802．11フレームのMACヘッダを生成することができる。802．11フレームのMACヘッダのフォーマットが図11に示されている。具体的には、APは、データフレームに含まれる802．3フレーム内の宛先アドレス、すなわち、UEのMACアドレスを、802．11フレームのMACヘッダ内のアドレスビット1にコピーし、データフレームに含まれる802．3フレーム内の指示情報、すなわち、eNBのアドレス情報を、802．11フレームのMACヘッダ内のアドレスビット3にコピーし、データフレームの送信側として用いられるAPの識別情報を802．11フレームのMACヘッダ内のアドレスビット2に記入し、APはデータフレームの送信機として用いられ、IEEE802．11規格の規定に従って他のフィールドをさらに記入することにより、802．11フレームのMACヘッダを最終的に生成することができる。APの識別情報は、APのMACアドレス、APのBSSID、またはAPのSSIDとすることができ、これについては本発明の本実施形態では限定されない。
【０２６５】
加えて、802．11フレームのMACヘッダを生成した後で、APは、IEEE802．11規格の規定に従って、802．11フレームのMACヘッダと、データフレームに含まれる802．3フレーム内のデータパケットとを再度組み合わせることによってデータフレームを生成することができる。
【０２６６】
さらに、UEに少なくとも1つの無線ベアラがあるときに、図9に示すデータフレームに含まれる、少なくとも1つの無線ベアラに含まれる、データパケットを搬送する無線ベアラを指示するのに用いられるベアラ情報は、図11に示すデータフレームにマップされる必要がある。少なくとも1つの無線ベアラに含まれる、データパケットを搬送する無線ベアラを指示するのに用いられる（マッピング値といった）ベアラ情報がCAPWAPヘッダに付加されるときに、APはベアラ情報を802．11フレームのMACヘッダにマップすることができ、例えば、ベアラ情報を、802．11フレームのMACヘッダのフレーム制御フィールド内のタイプ予約済みフィールドにマップすることができる。先行技術では、reservedフィールドには0000から1111までの16の任意選択値があり、DRB IDには8つの任意選択値がある。例えば、無線ベアラに対応するタイプ／サブタイプ（Type／subType）値または範囲が提供されてよい。例えば、DRB ID0は0000に対応している。少なくとも1つの無線ベアラに含まれる、データパケットを搬送する無線ベアラを指示するのに用いられるベアラ情報が802．3フレーム内の新しく付加されたフィールドに含まれる場合には、新しいフィールドが図11に示すデータフレームに付加されてよく、ベアラ情報は新しく付加されたフィールドにマップされる。少なくとも1つの無線ベアラに含まれる、データパケットを搬送する無線ベアラを指示するのに用いられる（マッピング値といった）ベアラ情報が802．3フレームのアドレスフィールドに付加される場合には、ベアラ情報は802．11フレームのMACヘッダのアドレスフィールドにマップされてよい。
【０２６７】
1003．UEはAPを用いてeNBによって送信されたデータフレームを受信する。
【０２６８】
1004．UEは、指示情報に従ってデータパケットはセルラネットワークのデータパケットであると決定する。
【０２６９】
例えば、UEのWiFiモジュールは、APを用いてeNBによって送信されたデータフレームを受信し、データフレームを受信した後で、データフレーム内の802．11フレームのMACヘッダ内の送信元アドレス（すなわち、指示情報）およびMACアドレスとMACアドレスの機能との間のマッピング関係に従ってデータパケットがセルラネットワークのデータパケットであるかどうか判定し、すなわち、802．11フレームのMACヘッダ内の送信元アドレスが、その機能がオフロードおよび統合であるeNBのMACアドレスであるかどうか判定し、データパケットはセルラネットワークのデータパケットであると決定した後で（すなわち、送信元アドレスはその機能がオフロードおよび統合であるeNBのMACアドレスであると決定した後で）、データパケットをUEのLTEモジュールへ送ることができる。UEのWiFiモジュールが、データパケットはセルラネットワークのデータパケットではない（すなわち、送信元アドレスはその機能がオフロードおよび統合であるeNBのMACアドレスではない）と決定した場合、WiFiモジュールはデータパケットを処理のためにUEのプロセッサへ直接送ってよい。
【０２７０】
eNBは、各MACアドレスと各MACアドレスの機能との間のマッピング関係をUEに事前に通知してよい。
【０２７１】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。したがって、セルラ・ネットワーク・プロトコルを用いてデータパケットを処理する前に、UEはまず、ベアラ情報と、少なくとも1つの無線ベアラに含まれる、データパケットを搬送する無線ベアラとの間のマッピング関係を受信することができ、マッピング関係はエア・インターフェース・メッセージを用いてeNBによって送信される。次いで、UEのWiFiモジュールは、マッピング関係およびベアラ情報に従って無線ベアラに対応するUEのLTEモジュールへデータパケットを送る。
【０２７２】
1005．UEは、セルラ・ネットワーク・プロトコルを用いてデータパケットを処理する。
【０２７３】
本発明の本実施形態では、さらに、eNBが3つ以上のMACアドレスをサポートするときに、eNBがこの場合に複数のオフロード方法をサポートする場合には、eNBは各オフロード方法に1つの対応するMACアドレスを割り当てることができる。例えば、eNBは3つのMACアドレスをサポートし、2つのオフロード方法、すなわち、PDCP層オフロードおよびRLC層オフロードをサポートする。この場合には、MACアドレス1の機能はlocalbreakoutであり、MACアドレス2の機能はPDCPオフロードおよび統合であり、MACアドレス3の機能はRLCオフロードおよび統合であると定義することができる。このようにして、eNBが、eNBによってサービスされているUEのセルラネットワークにおけるデータを非セルラネットワークにオフロードすることが必要であると決定したときに、データフレームに含まれる802．3フレーム内の指示情報をデータパケットのタイプに従って決定することができる。例えば、データパケットがPDCPデータパケットであるとき、この場合に802．3フレームに含まれる指示情報はeNBのアドレス情報として用いられるMACアドレス2である。
【０２７４】
本発明の本実施形態では、eNBはACの機能と統合されていること、すなわち、eNBとACとは同じノードまたは同じ物理エンティティであることに留意すべきである。
【０２７５】
eNBがACの機能と統合されていないとき、すなわち、eNBとACとが同じノードでも同じ物理エンティティでもないときには、eNBはACを用いてAPへデータフレームを送信してよく、APはデータフレームをUEへ送信する。
【０２７６】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SRC、RNC、あるいは無線ネットワークコントローラといったネットワークノードとすることができる。本発明の本実施形態では、本発明のセルラ無線アクセスデバイスに特定の制限を課していない。
【０２７７】
本発明の本実施形態のステップ1001からステップ1005の内容の詳細な説明については、本発明の別の実施形態のステップ801からステップ805の対応する内容の詳細な説明を参照することができることに留意すべきである。
【０２７８】
本発明の本実施形態で提供されるダウンリンクのオフロードおよび統合の方法によれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０２７９】
本発明の別の実施形態はダウンリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がeNBのアドレス情報であることを、本発明の本実施形態における説明の例として用いる。データパケットは、eNBがUEへ送信する必要のあるデータパケットである。図14に示すように、本方法は以下のステップを含むことができる。
【０２８０】
1101．ACが、eNBによって送信された、eNBがUEへ送信する必要のあるデータパケットを受信する。
【０２８１】
データパケットは、eNBがeNBによってサービスされているUEのセルラネットワークにおけるデータを非セルラネットワークにオフロードすることを決定した後で送信される。具体的には、事前設定ポリシに従ってLTEネットワークがサービス過負荷状態にあると決定した後で、すなわち、eNBによってサービスされているUEのセルラネットワークにおけるデータを非セルラネットワークにオフロードすることが必要であると決定した後で、eNBによってサービスされているUEへデータパケットを送信することが必要になったときに、eNBはまず、データパケットの暗号化といった処理を行い、次いでIEEE802．3規格の規定に従って処理されたデータパケットをカプセル化し（カプセル化には新しく作成されたフレームフォーマットが用いられてよい）、カプセル化されたデータパケットを、CAPWAPトンネルインターフェースまたはinterface−Zを用いてACへ送信することができる。当然ながら、データパケットの暗号化といった処理を行った後で、eNBは、eNBとACとの間のCAPWAPトンネルインターフェースまたはinterface−Zを用いてACへ処理されたデータパケットを直接送信してもよい。
【０２８２】
1102．ACはeNBによって送信されたAPの識別情報を受信する。
【０２８３】
識別情報はACによってAPを決定するのに用いられる。APの識別情報は、APのMACアドレス、APのBSSID、またはAPのSSIDとすることができ、これについては本発明の本実施形態では限定されない。例えば、eNBは、eNBの負荷状況およびインターフェースチャネル条件に従って、オフロードを行うべきeNBのカバレッジ内の適正なAPを選択し、適正なAPを選択した後で、ACが受信したAPの識別情報に従ってAPを決定するように、APの識別情報をACへ送信することができる。
【０２８４】
eNBによって送信された、eNBがUEへ送信する必要のあるデータパケットと、eNBによって送信されたAPの識別情報とを受信した後で、ACはデータパケットを搬送するデータフレームを生成することができる。例えば、ACは802．3フレームとCAPWAPヘッダとを組み合わせることによってデータフレームを生成することができる。802．3フレームは、データパケットと、UEへ送信する必要のあるデータパケットがセルラネットワークのデータパケットであることを指示するのに用いられる指示情報とを含む。指示情報はeNBのアドレス情報である。802．3フレームはUEのMACアドレスをさらに含み、CAPWAPヘッダはAPのMACアドレスを含む。
【０２８５】
さらに、eNBによって送信され、ACによって受信された、eNBがUEへ送信する必要のあるデータパケットが802．3フレームに含まれている場合、ACが802．3フレームとCAPWAPヘッダとを組み合わせることによってデータフレームを生成することは、具体的には、ACが、データフレームに、CAPWAPヘッダと、802．3フレームに含まれるデータパケット、指示情報、およびUEのMACアドレスとを付加すること、とすることができる。
【０２８６】
1103．ACはAPを用いてUEへデータフレームを送信する。
【０２８７】
データフレームはeNBがUEへ送信する必要のあるデータパケットと、データパケットがセルラネットワークのデータパケットであることを指示するのに用いられる指示情報（指示情報はeNBのアドレス情報である）とを含み、指示情報はUEによって、指示情報に従ってセルラ・ネットワーク・プロトコルを用いてデータパケットを処理するのに用いられる。ACはまず、CAPWAPヘッダに含まれるAPのMACアドレスに従って、ACとAPとの間のCAPWAPトンネルインターフェースを用いてAPへデータフレームを送信することができる。ACとAPとの間のデータ伝送時のデータカプセル化フォーマットは、APとUEとの間のデータ伝送時のデータカプセル化フォーマットと異なる。したがって、ACによって送信されたデータフレームを受信した後で、APはデータフレームのカプセル化フォーマットを変換する必要があり、変換後にデータフレームをUEへ送信する。具体的には、データフレームはUEのWiFiモジュールへ送信されうる。セルラネットワークのデータパケットはPDCPデータパケットまたはRLCデータパケットを含む。
【０２８８】
例えば、APは、APの識別情報とデータフレームに含まれるUEの指示情報（指示情報はeNBのアドレス情報である）およびMACアドレスとを組み合わせることによって802．11フレームのMACヘッダを生成し、生成された802．11フレームのMACヘッダとデータフレームに含まれるデータパケットとを再度組み合わせることによってデータフレームを生成し、次いでデータフレームをUEへ送信することができる。
【０２８９】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。加えて、ACは、ベアラ情報と、少なくとも1つの無線ベアラに含まれる、データパケットを搬送する無線ベアラとの間のマッピング関係を、eNBを用いてUEへ送信することもできる。
【０２９０】
1104．UEはAPを用いてACによって送信されたデータフレームを受信する。
【０２９１】
1105．UEは指示情報に従ってデータパケットはセルラネットワークのデータパケットであると決定する。
【０２９２】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。したがって、セルラ・ネットワーク・プロトコルを用いてデータパケットを処理する前に、UEはまず、ベアラ情報と、少なくとも1つの無線ベアラに含まれる、データパケットを搬送する無線ベアラとの間のマッピング関係を受信することができ、マッピング関係はeNBを用いてACによって送信される。次いで、UEのWiFiモジュールは、マッピング関係およびベアラ情報に従って無線ベアラに対応するUEのLTEモジュールへデータパケットを送る。
【０２９３】
1106．UEは、セルラ・ネットワーク・プロトコルを用いてデータパケットを処理する。
【０２９４】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SGW、PGW、RNCといったネットワークノードとすることができる。本発明の本実施形態では、本発明のセルラ無線アクセスデバイスに特定の制限を課していない。
【０２９５】
本発明の本実施形態のステップ1101からステップ1106の内容の詳細な説明については、本発明の別の実施形態のステップ1001からステップ1005の対応する内容の詳細な説明を参照することができることに留意すべきである。
【０２９６】
本発明の本実施形態で提供されるダウンリンクのオフロードおよび統合の方法によれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０２９７】
本発明の別の実施形態はアップリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がデータパケットのタイプコードであることを、本発明の本実施形態における詳細な説明のための例として用いる。データパケットは、UEがeNBへ送信する必要のあるデータパケットである。図15に示すように、本方法は以下のステップを含むことができる。
【０２９８】
1201．UEがセルラネットワークにおけるUEのデータを非セルラネットワークにオフロードすることを決定したときに、UEはAPを用いてeNBへデータフレームを送信する。
【０２９９】
データフレームはUEがeNBへ送信する必要のあるデータパケットと、データパケットがセルラネットワークのデータパケットであることを指示するのに用いられる指示情報とを含み、指示情報はeNBによって、セルラ・ネットワーク・プロトコルを用いてデータパケットを処理するのに用いられる。セルラネットワークのデータパケットはPDCPデータパケットまたはRLCデータパケットを含む。UEは、事前構成ポリシに従って、セルラネットワークにおけるUEのデータを非セルラネットワークにオフロードする必要があるかどうか判定することができ、あるいは、UEは、eNBによって送信された、セルラネットワークにおけるUEのデータを非セルラネットワークにオフロードすることが必要であることを指示するのに用いられる指示情報に従って、セルラネットワークにおけるUEのデータを非セルラネットワークにオフロードすることが必要であると決定することができる。
【０３００】
ステップ1201の具体的実施態様については、本発明の別の実施形態のステップ801の対応する内容の詳細な説明を参照することができることに留意すべきである。本発明の本実施形態では詳細を説明しない。
【０３０１】
セルラネットワークにおけるUEのデータを非セルラネットワークにオフロードすることを決定し、eNBへデータパケットを送信することが必要になったときに、UEはデータパケットを搬送するデータフレームを生成し、生成したデータフレームを、APを用いてeNBへ送信することができる。
【０３０２】
例えば、UEは、802．11フレームのMACヘッダと、指示情報と、データパケットとを組み合わせることによってデータフレームを生成することができる。802．11フレームのMACヘッダのフォーマットが図11に示されている。具体的には、UEは、宛先アドレス、すなわち、eNBのMACアドレスを、802．11フレームのMACヘッダ内のアドレスビット3に記入し、送信元アドレス、すなわち、UEのMACアドレスを、802．11フレームのMACヘッダ内のアドレスビット2に記入し、APの識別情報を802．11フレームのMACヘッダ内のアドレスビット1に記入し、IEEE802．11規格の規定に従って他のフィールドを記入することにより、802．11フレームのMACヘッダを最終的に生成することができ、次いで、IEEE802．11規格の規定に従って、802．11フレームのMACヘッダと、指示情報と、データパケットとを組み合わせることによって図11に示すデータフレームを生成することができる。
【０３０３】
データフレームに含まれる指示情報の詳細な説明については、本発明の別の実施形態のステップ801の対応する内容の詳細な説明を参照することができることに留意すべきである本発明の本実施形態では詳細を説明しない。
【０３０４】
本発明の本実施形態では、さらに、UEに少なくとも1つの無線ベアラがあるときに、少なくとも1つの無線ベアラに含まれる、データパケットを搬送する無線ベアラを指示するのに用いられるベアラ情報を図11に示すデータフレームに付加する必要がある。ベアラ情報は、少なくとも1つの無線ベアラに含まれる、データパケットを搬送する無線ベアラに対応するマッピング値とすることができる。1つの可能な実施態様においては、少なくとも1つの無線ベアラに含まれる、データパケットを搬送する無線ベアラを指示するのに用いられる（マッピング値といった）ベアラ情報は802．11フレームのMACヘッダに付加されてよい。具体的には、ベアラ情報は802．11フレームのMACヘッダ内のフィールドに記入されてよい。例えば、ベアラ情報は802．11フレームのMACヘッダのフレーム制御フィールドのタイプ予約済みフィールドに記入される。先行技術では、reservedフィールドには0000から1111までの16の任意選択値があり、DRB IDには8つの任意選択値がある。例えば、無線ベアラに対応するタイプ／サブタイプ（Type／subType）値または範囲が提供されてよい。例えば、DRB ID0は0000に対応している。別の可能な実施態様においては、新しいフィールドがデータフレームに付加されてよく、このフィールドは、少なくとも1つの無線ベアラに含まれる、データパケットを搬送する無線ベアラを指示するのに用いられるベアラ情報を含む。別の可能な実施態様においては、少なくとも1つの無線ベアラに含まれる、データパケットを搬送する無線ベアラを指示するのに用いられるベアラ情報は、802．11フレームのMACヘッダ内のアドレスフィールドに付加されてよい。例えば、8つのMACアドレスが拡張され、無線ベアラとMACアドレスとの間でマッピングが行われ、次いで、少なくとも1つの無線ベアラに含まれる、データパケットを搬送する無線ベアラを指示するのに用いられるベアラ情報がアドレスフィールドに記入される。
【０３０５】
UEとAPとの間のデータ伝送時のデータカプセル化フォーマットはAPとeNBとの間のデータ伝送時のデータカプセル化フォーマットと異なる。したがって、UEによって送信されたデータフレームを受信した後で、APはデータフレームのカプセル化フォーマットを変換する必要があり、変換後にデータフレームをeNBへ送信する。
【０３０６】
例えば、APは、データフレームに含まれるeNBのMACアドレスと、UEのMACアドレスと、データパケットと、指示情報とを組み合わせることによって802．3フレームを生成し、生成された802．3フレームとCAPWAPヘッダとを再度組み合わせることによってデータフレームを生成し、次いでデータフレームをeNBへ送信することができる。
【０３０７】
受信したデータフレームに従って、APは、データフレームに含まれる802．11フレームのMACヘッダ内の宛先アドレス、すなわちeNBのMACアドレスと、送信元アドレス、すなわちUEのMACアドレスと、データフレームに含まれる指示情報とをコピーし、IEEE802．3規格の規定に従ってeNBのMACアドレスと、UEのMACアドレスと、データパケットと、指示情報とを組み合わせることによって802．3フレームを生成することができる。具体的には、APは、802．11フレームのMACヘッダ内のアドレスビット3に記入されているeNBのMACアドレスを図9に示す802．3フレーム内の宛先アドレスフィールドにコピーし、802．11フレームのMACヘッダ内のアドレスビット2に記入されているUEのMACアドレスを図9に示す802．3フレーム内の送信元アドレスフィールドにコピーし、データフレームに含まれる指示情報を図9に示す802．3フレーム内の指示情報フィールドにコピーし、データパケットを図9に示す802．3フレーム内のデータパケットフィールドにコピーすることによって、802．3フレームを最終的に生成することができる。802．3フレームを生成した後で、APは、802．3フレームとCAPWAPヘッダとを再度組み合わせることによって図9に示すデータフレームを生成し、CAPWAPヘッダはAPのMACアドレスを含むことができる。
【０３０８】
さらに、UEに少なくとも1つの無線ベアラがあるときに、図11に示すデータフレームに含まれる、少なくとも1つの無線ベアラに含まれる、データパケットを搬送する無線ベアラを指示するのに用いられるベアラ情報は、図9に示すデータフレームにマップされる必要がある。少なくとも1つの無線ベアラに含まれる、データパケットを搬送する無線ベアラを指示するのに用いられる（マッピング値といった）ベアラ情報が802．11フレームのMACヘッダに付加される場合には、APはベアラ情報を図10に示すCAPWAPヘッダに含まれるフィールドにマップすることができる。例えば、ベアラ情報をReservedフィールドにマップすることができるようにReservedの値が拡張されてもよく、wireless specific informationフィールド内のdataフィールドが拡張されてもよい。データフレームに新しいフィールドが付加され、そのフィールドが少なくとも1つの無線ベアラに含まれる、データパケットを搬送する無線ベアラを指示するのに用いられるベアラ情報を含む場合には、802．3フレームに新しいフィールドが付加されてよく、ベアラ情報は802．3フレーム内の新しく付加されたフィールドにマップされる。少なくとも1つの無線ベアラに含まれる、データパケットを搬送する無線ベアラを指示するのに用いられるベアラ情報が802．11フレームのMACヘッダ内のアドレスフィールドに付加される場合には、ベアラ情報は802．3フレーム内のアドレスフィールドにマップされてよい。ベアラ情報はMACアドレス、またはデータパケットを搬送する無線ベアラを一意に識別することができる別の値とすることができる。
【０３０９】
本発明の本実施形態では、さらに任意選択で、UEによって送信されたデータフレームを受信した後で、APは、データフレームに含まれる指示情報に従ってデータフレームに含まれるデータパケットがセルラネットワークのデータパケットであるかどうか判定することができる。データフレームに含まれるデータパケットがセルラネットワークのデータパケットである場合、APはeNBへデータフレームを送信することができ、そうではなくデータフレームに含まれるデータパケットがセルラネットワークのデータパケットではない場合には、APはインターネット（Internet）へデータフレームを直接送信することができる。
【０３１０】
APは、APとeNBとの間のCAPWAPトンネルインターフェースまたはinterface−Zを用いて、データフレームに含まれるCAPWAPヘッダに含まれるAPのMACアドレスに従って、eNBへデータフレームを送信することができる。
【０３１１】
1202．eNBはAPを用いてUEによって送信されたデータフレームを受信する。
【０３１２】
1203．eNBは、指示情報に従ってデータパケットはセルラネットワークのデータパケットであると決定する。
【０３１３】
例えば、eNBのWiFiモジュールは、APを用いてUEによって送信されたデータフレームを受信し、データフレームを受信した後で、データフレームの802．3フレーム内の指示情報に従ってデータパケットがセルラネットワークのデータパケットであるかどうか判定し、すなわち、タイプコードに従ってデータパケットがセルラネットワークのデータパケットであるかどうか判定し、データパケットがセルラネットワークのデータパケットであると決定した後で、データパケットをeNBのLTEモジュールへ送ることができる。eNBのWiFiモジュールがデータパケットはセルラネットワークのデータパケットではないと決定した場合、WiFiモジュールはデータパケットをInternetへ直接送信してよい。
【０３１４】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。したがって、eNBのWiFiモジュールは、ベアラ情報、およびベアラ情報と、少なくとも1つの無線ベアラに含まれる、データパケットを搬送する無線ベアラとの間のマッピング関係に従って無線ベアラに対応するeNBのLTEモジュールへデータパケットを送ることができる。
【０３１５】
本発明の本実施形態では、さらに任意選択で、UEによって送信されたデータフレームを受信した後で、APはまず、データフレームに含まれる指示情報に従ってデータフレームに含まれるデータパケットがセルラネットワークのデータパケットであると決定し、この場合には、データフレームを受信した後で、eNBはセルラ・ネットワーク・プロトコルを用いてデータパケットを直接処理することができ、すなわち、ステップ1203を行わずにステップ1204を直接行うことができる。
【０３１６】
1204．eNBは、セルラ・ネットワーク・プロトコルを用いてデータパケットを処理する。
【０３１７】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SRC、RNC、あるいは無線ネットワークコントローラといったネットワークノードとすることができる。本発明の本実施形態では、本発明のセルラ無線アクセスデバイスに特定の制限を課していない。
【０３１８】
本発明の本実施形態のステップ1201からステップ1204の内容の詳細な説明については、本発明の別の実施形態のステップ801からステップ805の対応する内容の詳細な説明を参照することができることに留意すべきである。本発明の本実施形態では詳細を説明しない。
【０３１９】
別の応用シナリオでは、本発明の本実施形態は別のアップリンクのオフロードおよび統合の方法を提供する。この応用シナリオでは、eNBはIP層でのオフロードをサポートし、この場合には、データパケットはIPデータパケットIPデータパケットである。具体的には、eNBはAPを用いてUEによって送信されたデータフレームを受信し、この場合には、データフレームは、UEがeNBへ送信する必要のあるデータパケットを含み、データパケットは送信元IPアドレスおよび宛先IPアドレスを含む。加えて、この場合には、データフレームは、UEがeNBへ送信する必要のあるデータパケットがセルラネットワークのデータパケットであることを指示するのに用いられる指示情報を含まない。したがって、データパケットを含むデータフレームを受信した後で、eNBは、データパケットに含まれる宛先IPアドレスに従って、宛先IPアドレスがセルラサービスを運ぶのに用いられたアドレスであるかどうか判定することができる。宛先IPアドレスがセルラサービスを運ぶのに用いられたアドレスである場合、eNBにはセルラ・ネットワーク・プロトコルを用いてデータパケットを処理する必要があり、そうではなく、宛先IPアドレスがセルラサービスを運ぶのに用いられたアドレスではない場合には、eNBはデータパケットをInternetへ直接送信する。これは具体的には、eNBのWiFiモジュールが、データパケットに含まれる宛先IPアドレスに従って、宛先IPアドレスがセルラ・ネットワーク・サービスを運ぶのに用いられたアドレスであるかどうか判定することである。宛先IPアドレスがセルラ・ネットワーク・サービスを運ぶのに用いられたアドレスである場合、eNBのWiFiモジュールはデータパケットをeNBのLTEモジュールへ送り、eNBのLTEモジュールはセルラ・ネットワーク・プロトコルを用いてデータパケットを処理し、そうではなく、宛先IPアドレスがセルラ・ネットワーク・サービスを運ぶのに用いられたアドレスではない場合には、eNBのWiFiモジュールはデータパケットをInternetへ直接送信する。あるいは、データパケットを含むデータフレームを受信した後で、eNBは、データパケットに含まれる送信元IPアドレスに従って、送信元IPアドレスがコア・ネットワーク・ゲートウェイによって割り当
てられているかどうか判定する。送信元IPアドレスがコア・ネットワーク・ゲートウェイによって割り当てられている場合、eNBにはセルラ・ネットワーク・プロトコルを用いてデータパケットを処理する必要があり、そうではなく、送信元IPアドレスがコア・ネットワーク・ゲートウェイによって割り当てられていない場合には、eNBはデータパケットをInternetへ直接送信する。これは具体的には、eNBのWiFiモジュールが、データパケットに含まれる送信元IPアドレスに従って、送信元IPアドレスがコア・ネットワーク・ゲートウェイによって割り当てられているかどうか判定することである。送信元IPアドレスがコア・ネットワーク・ゲートウェイによって割り当てられている場合、eNBのWiFiモジュールはデータパケットをeNBのLTEモジュールへ送り、eNBのLTEモジュールはセルラ・ネットワーク・プロトコルを用いてデータパケットを処理し、そうではなく、送信元IPアドレスがコア・ネットワーク・ゲートウェイによって割り当てられていない場合には、eNBのWiFiモジュールはデータパケットをInternetへ直接送信する。前述のシナリオにおけるデータパケットはIPデータパケットを指している。データパケットがIPデータパケットであり、UEに少なくとも1つの無線ベアラがあるときには、データパケットを搬送する無線ベアラのベアラ情報をデータフレームに付加する必要がある。この場合には、ベアラ情報はE−RABIDまたはTEIDとすることができる。
【０３２０】
この応用シナリオでのアップリンクのオフロードおよび統合の具体的な実施プロセスと本発明の本実施形態のステップ1201からステップ1204の実施プロセスとの違いは、UEは指示情報を付加せず（すなわち、データフレームは、データパケットがセルラネットワークのデータパケットであることを指示するのに用いられる指示情報を含まず）、eNBが、受信データパケットに含まれるIPアドレスに従って、セルラ・ネットワーク・プロトコルを用いてデータパケットを処理することが必要かどうか判定することであることに留意すべきである。別の実施プロセスは、ステップ1201からステップ1204の対応する内容の実施プロセスと同じである。したがって、この応用シナリオでの実施プロセスの詳細な説明については、本発明の本実施形態のステップ1201からステップ1204の対応する内容の詳細な説明を参照することができる。本発明の本実施形態では詳細を説明しない。
【０３２１】
別の応用シナリオでは、本発明の本実施形態は別のアップリンクのオフロードおよび統合の方法を提供する。この応用シナリオでは、eNBはIP層でのオフロードをサポートし、この場合には、データパケットはIPデータパケットIPデータパケットである。具体的には、APはUEによって送信されたデータフレームを受信し、この場合には、データフレームは、UEがeNBへ送信する必要のあるデータパケットを含み、データパケットは送信元IPアドレスおよび宛先IPアドレスを含む。加えて、この場合には、データフレームは、eNBへ送信する必要のあるデータパケットがセルラネットワークのデータパケットであることを指示するのに用いられる指示情報を含まない。したがって、データパケットを含むデータフレームを受信した後で、APは、データパケットに含まれる宛先IPアドレスに従って、宛先IPアドレスがセルラサービスを運ぶのに用いられたアドレスであるかどうか判定することができる。宛先IPアドレスがセルラサービスを運ぶのに用いられたアドレスである場合、APは、eNBがセルラ・ネットワーク・プロトコルを用いてデータパケットを処理するようにeNBへデータフレームを送信し（特に、宛先IPアドレスはセルラサービスを運ぶのに用いられたアドレスであると決定したときに、APは、eNBのLTEモジュールがセルラ・ネットワーク・プロトコルを用いてデータパケットを処理するように、eNBのLTEモジュールへデータフレームを直接送信し）、そうではなく、宛先IPアドレスがセルラサービスを運ぶのに用いられたアドレスではない場合には、APはデータパケットをInternetへ直接送信する。あるいは、データパケットを含むデータフレームを受信した後で、APは、データパケットに含まれる送信元IPアドレスに従って、送信元IPアドレスがコア・ネットワーク・ゲートウェイによって割り当てられているかどうか判定することができる。送信元IPアドレスがコア・ネットワーク・ゲートウェイによって割り当てられている場合、APは、eNBがセルラ・ネットワーク・プロトコルを用いてデータパケットを処理するようにeNBへデータフレームを送信し（特に、送信元IPアドレスコア・ネットワーク・ゲートウェイによって割り当てられていると決定したときに、APは、eNBのLTEモジュールがセルラ・ネ
ットワーク・プロトコルを用いてデータパケットを処理するように、eNBのLTEモジュールへデータフレームを直接送信し）、そうではなく、送信元IPアドレスがコア・ネットワーク・ゲートウェイによって割り当てられていない場合には、APはデータパケットをInternetへ直接送信する。前述のシナリオにおけるデータパケットはIPデータパケットを指している。
【０３２２】
この応用シナリオでのアップリンクのオフロードおよび統合の具体的な実施プロセスと本発明の本実施形態のステップ1201からステップ1204の実施プロセスとの違いは、UEは指示情報を付加せず（すなわち、データフレームは、データパケットがセルラネットワークのデータパケットであることを指示するのに用いられる指示情報を含まず）、APが、受信データパケットに含まれるIPアドレスに従ってデータパケットがセルラネットワークのデータパケットであるかどうか判定することであることに留意すべきである。別の実施プロセスは、ステップ1201からステップ1204の対応する内容の実施プロセスと同じである。したがって、この応用シナリオでの実施プロセスの詳細な説明については、本発明の本実施形態のステップ1201からステップ1204の対応する内容の詳細な説明を参照することができる。本発明の本実施形態では詳細を説明しない。
【０３２３】
本発明の本実施形態では、eNBはACの機能と統合されていること、すなわち、eNBとACとは同じノードまたは同じ物理エンティティであることに留意すべきである。
【０３２４】
本発明の本実施形態で提供されるアップリンクのオフロードおよび統合の方法によれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０３２５】
本発明の別の実施形態はアップリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がデータパケットのタイプコードであることを、本発明の本実施形態における詳細な説明のための例として用いる。データパケットは、UEがeNBへ送信する必要のあるデータパケットである。図16に示すように、本方法は以下のステップを含むことができる。
【０３２６】
1301．UEがセルラネットワークにおけるUEのデータを非セルラネットワークにオフロードすることを決定したときに、UEはAPおよびACを用いてeNBへデータフレームを送信する。
【０３２７】
データフレームはUEがeNBへ送信する必要のあるデータパケットと、データパケットがセルラネットワークのデータパケットであることを指示するのに用いられる指示情報とを含み、指示情報はeNBによって、セルラ・ネットワーク・プロトコルを用いてデータパケットを処理するのに用いられる。セルラネットワークのデータパケットはPDCPデータパケットまたはRLCデータパケットを含む。セルラネットワークにおけるUEのデータを非セルラネットワークにオフロードすることを決定し、eNBへデータパケットを送信することが必要になったときに、UEは、データパケットを搬送するデータフレームを生成し、生成したデータフレームをまずAPへ送信することができ、次いで、APがACを用いてeNBへデータフレームを送信する。
【０３２８】
例えば、UEは、802．11フレームのMACヘッダと、指示情報と、データパケットとを組み合わせることによってデータフレームを生成し、データフレームをAPへ送信することができる。UEとAPとの間のデータ伝送時のデータカプセル化フォーマットはAPとACとの間のデータ伝送時のデータカプセル化フォーマットと異なる。したがって、UEによって送信されたデータフレームを受信した後で、APはデータフレームのカプセル化フォーマットを変換する必要があり、変換後にデータフレームをACへ送信し、ACはデータフレームをeNBへ送信する。
【０３２９】
例えば、APは、データフレームに含まれるeNBのMACアドレスと、UEのMACアドレスと、データパケットと、指示情報とを組み合わせることによって802．3フレームを生成し、生成された802．3フレームとCAPWAPヘッダとを再度組み合わせることによってデータフレームを生成し、次いで、ACがデータフレームをeNBへ送信するように、データフレームをACへ送信することができる。
【０３３０】
本発明の本実施形態では、さらに任意選択で、UEによって送信されたデータフレームを受信した後で、APは、データフレームに含まれる指示情報に従ってデータフレームに含まれるデータパケットがセルラネットワークのデータパケットであるかどうか判定することができる。データフレームに含まれるデータパケットがセルラネットワークのデータパケットである場合、APはデータフレームをACへ送信し、ACはデータフレームをeNBへ送信することができ、そうではなくデータフレームに含まれるデータパケットがセルラネットワークのデータパケットではない場合には、APはデータフレームをInternetへ直接送信することができる。
【０３３１】
APはAPとACとの間のCAPWAPトンネルインターフェースを用いてACへデータフレームを送信することができ、データフレームを受信した後で、ACはACとeNBとの間のCAPWAPトンネルインターフェースまたはinterface−Zを用いてeNBへデータフレームを送信することができる。
【０３３２】
さらに、本発明の本実施形態の応用シナリオでは、APが指示情報に従ってデータパケットはセルラネットワークのデータパケットであると決定した後でデータフレームがACへ送信された場合には、ACはデータフレームをeNBへ直接送信することができる。あるいは、本発明の本実施形態の応用シナリオでは、APがデータフレームに含まれるデータパケットがセルラネットワークのデータパケットであるかどうか判定しない場合には、データパケットを受信した後で、ACは、指示情報に従ってデータフレームに含まれるデータパケットはセルラネットワークのデータパケットであると決定した後でデータフレームをeNBへ送信する。加えて、この応用シナリオでは、ACがデータフレームに含まれるデータパケットはセルラネットワークのデータパケットではないと決定した場合には、ACはデータフレームをInternetへ直接送信することができる。
【０３３３】
1302．eNBはAPおよびACを用いてUEによって送信されたデータフレームを受信する。
【０３３４】
1303．eNBは、セルラ・ネットワーク・プロトコルを用いてデータパケットを処理する。
【０３３５】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SRC、RNC、あるいは無線ネットワークコントローラといったネットワークノードとすることができる。本発明の本実施形態では、本発明のセルラ無線アクセスデバイスに特定の制限を課していない。
【０３３６】
本発明の本実施形態のステップ1301からステップ1303の内容の詳細な説明については、本発明の別の実施形態のステップ1201からステップ1204の対応する内容の詳細な説明を参照することができることに留意すべきである。本発明の本実施形態では詳細を説明しない。
【０３３７】
本発明の本実施形態で提供されるアップリンクのオフロードおよび統合の方法によれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０３３８】
本発明の別の実施形態はアップリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がeNBのアドレス情報であることを、本発明の本実施形態における説明の例として用いる。データパケットは、UEがeNBへ送信する必要のあるデータパケットである。図17に示すように、本方法は以下のステップを含むことができる。
【０３３９】
1401．UEはeNBのMACアドレスとMACアドレスの機能情報との間のマッピング関係を受信し、マッピング関係はeNBによって送信される。
【０３４０】
本発明の本実施形態では、eNBは少なくとも2つのMACアドレスをサポートすることができ、各MACアドレスと各MACアドレスの機能情報との間にはマッピング関係がある。機能情報はオフロードおよび統合を含む。例えば、eNBは2つのMACアドレスをサポートし、MACアドレス1の機能はlocalbreakoutアドレスであり、MACアドレス2の機能はオフロードおよび統合である。
【０３４１】
1402．UEは、マッピング関係に従って、その機能情報がオフロードおよび統合であるMACアドレスを指示情報として決定する。
【０３４２】
UEは、セルラネットワークにおけるUEのデータを非セルラネットワークにオフロードすることが必要であると決定するため、UEは、その機能情報がオフロードおよび統合であるMACアドレスを指示情報として決定する必要がある。
【０３４３】
1403．UEがセルラネットワークにおけるUEのデータを非セルラネットワークにオフロードすることを決定したときに、UEはAPを用いてeNBへデータフレームを送信する。
【０３４４】
データフレームはUEがeNBへ送信する必要のあるデータパケットと、データパケットがセルラネットワークのデータパケットであることを指示するのに用いられる指示情報とを含み、指示情報はeNBによって、セルラ・ネットワーク・プロトコルを用いてデータパケットを処理するのに用いられる。セルラネットワークにおけるUEのデータを非セルラネットワークにオフロードすることを決定し、eNBへデータパケットを送信することが必要になったときに、指示情報を決定した後で、UEはデータパケットを搬送するデータフレームを生成し、生成したデータフレームを、APを用いてeNBへ送信することができる。
【０３４５】
例えば、UEは、802．11フレームのMACヘッダとデータパケットとを組み合わせることによってデータフレームを生成することができる。802．11フレームのMACヘッダは指示情報を含み、指示情報はeNBのアドレス情報（すなわち、その機能情報がオフロードおよび統合であるeNBのMACアドレス）である。具体的には、指示情報（その機能情報がオフロードおよび統合であるeNBのMACアドレス）を決定した後で、UEは、指示情報（その機能情報がオフロードおよび統合であるeNBのMACアドレスであり、指示情報はIEEE802．11規格で指定されている宛先アドレスとして用いられうる）を802．11フレームのMACヘッダ内のアドレスビット3に記入し、送信元アドレス、すなわち、UEのMACアドレスを、802．11フレームのMACヘッダ内のアドレスビット2に記入し、APの識別情報を802．11フレームのMACヘッダ内のアドレスビット1に記入し、IEEE802．11規格の規定に従って他のフィールドを記入することにより、802．11フレームのMACヘッダを最終的に生成することができ、次いで、IEEE802．11規格の規定に従って802．11フレームのMACヘッダとデータパケットとを組み合わせることによってデータフレームを生成し、生成したデータフレームを、APを用いてeNBへ送信することができる。
【０３４６】
本発明の本実施形態では、さらに、UEに少なくとも1つの無線ベアラがあるときに、少なくとも1つの無線ベアラに含まれる、データパケットを搬送する無線ベアラを指示するのに用いられるベアラ情報を図11に示すデータフレームに付加する必要がある。ベアラ情報は、少なくとも1つの無線ベアラに含まれる、データパケットを搬送する無線ベアラに対応するマッピング値とすることができる。1つの可能な実施態様においては、少なくとも1つの無線ベアラに含まれる、データパケットを搬送する無線ベアラを指示するのに用いられる（マッピング値といった）ベアラ情報は802．11フレームのMACヘッダに付加されてよい。具体的には、ベアラ情報は802．11フレームのMACヘッダ内のフィールドに記入されてよい。例えば、ベアラ情報は802．11フレームのMACヘッダのフレーム制御フィールドのタイプ予約済みフィールドに記入される。先行技術では、reservedフィールドには0000から1111までの16の任意選択値があり、DRB IDには8つの任意選択値がある。例えば、無線ベアラに対応するタイプ／サブタイプ（Type／subType）値または範囲が提供されてよい。例えば、DRB ID0は0000に対応している。別の可能な実施態様においては、新しいフィールドがデータフレームに付加されてよく、このフィールドは、少なくとも1つの無線ベアラに含まれる、データパケットを搬送する無線ベアラを指示するのに用いられるベアラ情報を含む。別の可能な実施態様においては、少なくとも1つの無線ベアラに含まれる、データパケットを搬送する無線ベアラを指示するのに用いられるベアラ情報は、802．11フレームのMACヘッダ内のアドレスフィールドに付加されてよい。例えば、8つのMACアドレスが拡張され、無線ベアラとMACアドレスとの間でマッピングが行われ、次いで、少なくとも1つの無線ベアラに含まれる、データパケットを搬送する無線ベアラを指示するのに用いられるベアラ情報がアドレスフィールドに記入される。
【０３４７】
UEとAPとの間のデータ伝送時のデータカプセル化フォーマットはAPとeNBとの間のデータ伝送時のデータカプセル化フォーマットと異なる。したがって、UEによって送信されたデータフレームを受信した後で、APはデータフレームのカプセル化フォーマットを変換する必要があり、変換後にデータフレームをeNBへ送信する。
【０３４８】
例えば、APは、データフレームに含まれる指示情報と、UEのMACアドレスと、データパケットとを組み合わせることによって802．3フレームを生成し、生成された802．3フレームとCAPWAPヘッダとを再度組み合わせることによってデータフレームを生成し、次いでデータフレームをeNBへ送信することができる。
【０３４９】
受信したデータフレームに従って、APは、データフレームに含まれる802．11フレームのMACヘッダ内にある指示情報（その機能情報がオフロードおよび統合であるeNBのMACアドレス）ならびにUEのMACアドレスをコピーし、次いで、IEEE802．3規格の規定に従って指示情報と、UEのMACアドレスと、データパケットとを組み合わせることによって802．3フレームを生成することができる。具体的には、APは、802．11フレームのMACヘッダ内のアドレスビット3に記入された指示情報（その機能情報がオフロードおよび統合であるeNBのMACアドレス）を、802．3フレーム内の宛先アドレスフィールドにコピーし、802．11フレームのMACヘッダ内のアドレスビット2に記入されているUEのMACアドレスを802．3フレーム内の送信元アドレスフィールドにコピーし、データパケットを802．3フレーム内のデータパケットフィールドにコピーすることによって、802．3フレームを最終的に生成する。802．3フレームを生成した後で、APは、802．3フレームとCAPWAPヘッダとを再度組み合わせることによって図9に示すデータフレームを生成し、CAPWAPヘッダはAPのMACアドレスを含むことができる。
【０３５０】
さらに、UEに少なくとも1つの無線ベアラがあるときに、図11に示すデータフレームに含まれる、少なくとも1つの無線ベアラに含まれる、データパケットを搬送する無線ベアラを指示するのに用いられるベアラ情報は、図9に示すデータフレームにマップされる必要がある。少なくとも1つの無線ベアラに含まれる、データパケットを搬送する無線ベアラを指示するのに用いられる（マッピング値といった）ベアラ情報が802．11フレームのMACヘッダに付加される場合には、APはベアラ情報を図10に示すCAPWAPヘッダに含まれるフィールドにマップすることができる。例えば、ベアラ情報をReservedフィールドにマップすることができるようにReservedの値が拡張されてもよく、wireless specific informationフィールド内のdataフィールドが拡張されてもよい。データフレームに新しいフィールドが付加され、そのフィールドが少なくとも1つの無線ベアラに含まれる、データパケットを搬送する無線ベアラを指示するのに用いられるベアラ情報を含む場合には、802．3フレームに新しいフィールドが付加されてよく、ベアラ情報は802．3フレーム内の新しく付加されたフィールドにマップされる。少なくとも1つの無線ベアラに含まれる、データパケットを搬送する無線ベアラを指示するのに用いられるベアラ情報が802．11フレームのMACヘッダ内のアドレスフィールドに付加される場合には、ベアラ情報は802．3フレーム内のアドレスフィールドにマップされてよい。ベアラ情報はMACアドレス、またはデータパケットを搬送する無線ベアラを一意に識別することができる別の値とすることができる。
【０３５１】
本発明の本実施形態では、さらに任意選択で、UEによって送信されたデータフレームを受信した後で、APは、データフレームに含まれる指示情報に従ってデータフレームに含まれるデータパケットがセルラネットワークのデータパケットであるかどうか判定することができる。データフレームに含まれるデータパケットがセルラネットワークのデータパケットである場合、APはeNBへデータフレームを送信することができ、そうではなくデータフレームに含まれるデータパケットがセルラネットワークのデータパケットではない場合には、APはインターネット（Internet）へデータフレームを直接送信することができる。
【０３５２】
APはAPとeNBとの間のCAPWAPトンネルインターフェースまたはinterface−Zを用いてeNBへデータフレームを送信することができる。
【０３５３】
1404．eNBはAPを用いてUEによって送信されたデータフレームを受信する。
【０３５４】
1405．eNBは、指示情報に従ってデータパケットはセルラネットワークのデータパケットであると決定する。
【０３５５】
例えば、eNBのWiFiモジュールは、APを用いてUEによって送信されたデータフレームを受信し、データフレームを受信した後で、データフレームの802．3フレーム内の宛先アドレス（すなわち、指示情報）およびMACアドレスとMACアドレスの機能との間のマッピング関係に従ってデータパケットがセルラネットワークのデータパケットであるかどうか判定し、すなわち、802.3フレーム内の宛先アドレスが、その機能情報がオフロードおよび統合であるeNBのMACアドレスであるかどうか判定し、データパケットはセルラネットワークのデータパケットであると決定した後で（すなわち、宛先アドレスは、その機能がオフロードおよび統合であるeNBのMACアドレスであると決定した後で）、データパケットをeNBのLTEモジュールへ送ることができる。eNBのWiFiモジュールがデータパケットはセルラネットワークのデータパケットではないと決定した場合（すなわち、宛先アドレスは、その機能情報がオフロードおよび統合であるeNBのMACアドレスではないと決定した場合）、WiFiモジュールはデータパケットをInternetへ直接送信することができる。
【０３５６】
さらに、UEに少なくとも1つの無線ベアラがあるときに、データフレームは、少なくとも1つの無線ベアラに含まれる、データパケットを搬送する無線ベアラを指示するのに用いられるベアラ情報をさらに含む。したがって、eNBのWiFiモジュールは、ベアラ情報、およびベアラ情報と、少なくとも1つの無線ベアラに含まれる、データパケットを搬送する無線ベアラとの間のマッピング関係に従って無線ベアラに対応するeNBのLTEモジュールへデータパケットを送ることができる。
【０３５７】
本発明の本実施形態では、さらに任意選択で、UEによって送信されたデータフレームを受信した後で、APは、データフレームに含まれる指示情報に従ってデータフレームに含まれるデータパケットがセルラネットワークのデータパケットであるとまず決定し、この場合には、データフレームを受信した後で、eNBはセルラ・ネットワーク・プロトコルを用いてデータパケットを直接処理することができ、すなわち、ステップ1405を行わずにステップ1406を直接行うことができる。
【０３５８】
1406．eNBは、セルラ・ネットワーク・プロトコルを用いてデータパケットを処理する。
【０３５９】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SRC、RNC、あるいは無線ネットワークコントローラといったネットワークノードとすることができる。本発明の本実施形態では、本発明のセルラ無線アクセスデバイスに特定の制限を課していない。
【０３６０】
本発明の本実施形態のステップ1401からステップ1406の内容の詳細な説明については、本発明の別の実施形態のステップ1201からステップ1204の対応する内容の詳細な説明を参照することができることに留意すべきである。本発明の本実施形態では詳細を説明しない。
【０３６１】
本発明の本実施形態では、eNBはACの機能と統合されていること、すなわち、eNBとACとは同じノードまたは同じ物理エンティティであることに留意すべきである。
【０３６２】
本発明の本実施形態で提供されるアップリンクのオフロードおよび統合の方法によれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０３６３】
本発明の別の実施形態はアップリンクのオフロードおよび統合の方法を提供し、本方法はeNB（セルラ無線アクセスデバイス）およびAP（非セルラ無線アクセスデバイス）を含む無線通信システムに適用される。加えて、データパケットがセルラネットワークのデータパケットであることを指示するのに用いられる指示情報がeNBのアドレス情報であることを、本発明の本実施形態における詳細な説明の例として用いる。データパケットは、UEがeNBへ送信する必要のあるデータパケットである。図18に示すように、本方法は以下のステップを含むことができる。
【０３６４】
1501．UEはeNBのMACアドレスとMACアドレスの機能情報との間のマッピング関係を受信し、マッピング関係はeNBによって送信される。
【０３６５】
1502．UEは、マッピング関係に従って、その機能情報がオフロードおよび統合であるMACアドレスを指示情報として決定する。
【０３６６】
1503．UEがセルラネットワークにおけるUEのデータを非セルラネットワークにオフロードすることを決定したときに、UEはAPおよびACを用いてeNBへデータフレームを送信する。
【０３６７】
データフレームはUEがeNBへ送信する必要のあるデータパケットと、データパケットがセルラネットワークのデータパケットであることを指示するのに用いられる指示情報とを含み、指示情報はeNBによって、セルラ・ネットワーク・プロトコルを用いてデータパケットを処理するのに用いられる。セルラネットワークにおけるUEのデータを非セルラネットワークにオフロードすることを決定し、eNBへデータパケットを送信する必要があるときに、指示情報を決定した後で、UEはデータパケットを搬送するデータフレームを生成し、生成したデータフレームをAPおよびACを用いてeNBへ送信することができる。
【０３６８】
例えば、UEは、802．11フレームのMACヘッダとデータパケットとを組み合わせることによってデータフレームを生成し、生成したデータフレームをAPおよびACを用いてeNBへ送信することができる。
【０３６９】
UEとAPとの間のデータ伝送時のデータカプセル化フォーマットはAPとACとの間のデータ伝送時のデータカプセル化フォーマットと異なる。したがって、UEによって送信されたデータフレームを受信した後で、APはデータフレームのカプセル化フォーマットを変換する必要があり、変換後にデータフレームをACへ送信し、ACはデータフレームをeNBへ送信する。
【０３７０】
例えば、APは、データフレームに含まれる指示情報と、UEのMACアドレスと、データパケットとを組み合わせることによって802．3フレームを生成し、802．3フレームとCAPWAPヘッダとを再度組み合わせることによってデータフレームを生成し、次いで、ACがデータフレームをeNBへ送信するように、データフレームをACへ送信することができる。
【０３７１】
本発明の本実施形態では、さらに任意選択で、UEによって送信されたデータフレームを受信した後で、APは、データフレームに含まれる指示情報に従ってデータフレームに含まれるデータパケットがセルラネットワークのデータパケットであるかどうか判定することができる。データフレームに含まれるデータパケットがセルラネットワークのデータパケットである場合、APはACを用いてデータフレームをeNBへ送信することができ、そうではなくデータフレームに含まれるデータパケットがセルラネットワークのデータパケットではない場合には、APはデータフレームをInternetへ直接送信することができる。
【０３７２】
APはAPとACとの間のCAPWAPトンネルインターフェースを用いてACへデータフレームを送信することができ、データフレームを受信した後で、ACはACとeNBとの間のCAPWAPトンネルインターフェースまたはinterface−Zを用いてeNBへデータフレームを送信することができる。
【０３７３】
本発明の本実施形態の応用シナリオでは、APが指示情報に従ってデータパケットはセルラネットワークのデータパケットであると決定した後でデータフレームがACへ送信された場合には、ACはデータフレームをeNBへ直接送信することができる。あるいは、本発明の本実施形態の応用シナリオでは、APがデータフレームに含まれるデータパケットがセルラネットワークのデータパケットであるかどうか判定しない場合には、データパケットを受信した後で、ACは、指示情報に従ってデータフレームに含まれるデータパケットはセルラネットワークのデータパケットであると決定した後でデータフレームをeNBへ送信する。加えて、この応用シナリオでは、ACがデータフレームに含まれるデータパケットはセルラネットワークのデータパケットではないと決定した場合には、ACはデータフレームをInternetへ直接送信することができる。
【０３７４】
1504．eNBはAPおよびACを用いてUEによって送信されたデータフレームを受信する。
【０３７５】
1505．eNBは、セルラ・ネットワーク・プロトコルを用いてデータパケットを処理する。
【０３７６】
本発明の本実施形態ではeNBがセルラ無線アクセスデバイスである例だけを用いて本発明の技術的解決策を説明しているが、セルラ無線アクセスデバイスを限定していないことに留意すべきである。セルラ無線アクセスデバイスは、SRC、RNC、あるいは無線ネットワークコントローラといったネットワークノードとすることができる。本発明の本実施形態では、本発明のセルラ無線アクセスデバイスに特定の制限を課していない。
【０３７７】
本発明の本実施形態のステップ1501からステップ1505の内容の詳細な説明については、本発明の別の実施形態のステップ1401からステップ1406の対応する内容の詳細な説明を参照することができることに留意すべきである。本発明の本実施形態では詳細を説明しない。
【０３７８】
本発明の本実施形態で提供されるオフロードおよび統合の方法によれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０３７９】
本発明の別の実施形態はセルラ無線アクセスデバイスを提供し、本セルラ無線アクセスデバイスは無線通信システムに適用され、無線通信システムは非セルラ無線アクセスデバイスをさらに含む。図19に示すように、本セルラ無線アクセスデバイスは決定モジュール161と送信モジュール162とを含む。
【０３８０】
決定モジュール161は、セルラ無線アクセスデバイスによってサービスされているユーザ機器UEのセルラネットワークにおけるデータを非セルラネットワークにオフロードすることを決定するように構成されており、
送信モジュール162は、非セルラ無線アクセスデバイスを用いて、セルラ無線アクセスデバイスによってサービスされているUEへデータフレームを送信するように構成されている。
【０３８１】
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０３８２】
本発明の本実施形態では、さらに任意選択で、指示情報はセルラ無線アクセスデバイスのアドレス情報である。
【０３８３】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０３８４】
本発明の本実施形態では、さらに任意選択で、送信モジュール162は、ベアラ情報と、少なくとも1つの無線ベアラに含まれる、データパケットを搬送する無線ベアラとの間のマッピング関係を、エア・インターフェース・メッセージを用いてUEへ送信するようにさらに構成されている。
【０３８５】
本発明の本実施形態では、さらに任意選択で、セルラネットワークのデータパケットはパケットデータ統合プロトコルPDCPデータパケットまたは無線リンク制御RLCデータパケットを含む。
【０３８６】
本発明の本実施形態で提供されるセルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０３８７】
セルラ無線アクセスデバイスによってサービスされているUEのセルラネットワークにおけるデータを非セルラネットワークにオフロードすることを決定した後で、本発明の本実施形態で提供されるセルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０３８８】
本発明の別の実施形態はアクセスコントローラACを提供し、本アクセスコントローラACはセルラ無線アクセスデバイスおよび非セルラ無線アクセスデバイスを含む無線通信システムに適用される。図20に示すように、本ACは受信モジュール171と送信モジュール172とを含む。
【０３８９】
受信モジュール171は、セルラ無線アクセスデバイスによって送信された、セルラ無線アクセスデバイスがユーザ機器UEへ送信する必要のあるデータパケットを受信するように構成されており、
送信モジュール172は、非セルラ無線アクセスデバイスを用いてUEへデータフレームを送信するように構成されている。
【０３９０】
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０３９１】
本発明の本実施形態では、さらに任意選択で、指示情報はセルラ無線アクセスデバイスのアドレス情報である。
【０３９２】
本発明の本実施形態では、さらに任意選択で、受信モジュール171は、送信モジュール172が非セルラ無線アクセスデバイスを用いてUEへデータフレームを送信する前に、セルラ無線アクセスデバイスによって送信された非セルラ無線アクセスデバイスの識別情報を受信する、ようにさらに構成されており、識別情報は本ACによって非セルラ無線アクセスデバイスを決定するのに用いられる。
【０３９３】
本発明の本実施形態では、さらに任意選択で、データパケットは802．3フレームに含まれる。
【０３９４】
図21に示すように、本ACは付加モジュール173をさらに含む。
【０３９５】
付加モジュール173は、送信モジュール172が非セルラ無線アクセスデバイスを用いてUEへデータフレームを送信する前に、データフレームに802．3フレームに含まれるデータパケットを付加する、ように構成されている。
【０３９６】
本発明の本実施形態では、さらに任意選択で、非セルラ無線アクセスデバイスの識別情報は非セルラ無線アクセスデバイスのMACアドレス、非セルラ無線アクセスデバイスの基本サービスセット識別子BSSID、または非セルラ無線アクセスデバイスのサービスセット識別子SSIDである。
【０３９７】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０３９８】
本発明の本実施形態では、さらに任意選択で、送信モジュール172は、ベアラ情報と、少なくとも1つの無線ベアラに含まれる、データパケットを搬送する無線ベアラとの間のマッピング関係を、セルラ無線アクセスデバイスを用いてUEへ送信するようにさらに構成されている。
【０３９９】
本発明の本実施形態では、さらに任意選択で、セルラネットワークのデータパケットはパケットデータ統合プロトコルPDCPデータパケットまたは無線リンク制御RLCデータパケットを含む。
【０４００】
本発明の本実施形態で提供されるAC内の機能モジュールの具体的な動作プロセスについては、方法実施形態における対応するプロセスの詳細な説明を参照することができることに留意すべきである。本発明の本実施形態では詳細を説明しない。
【０４０１】
セルラ無線アクセスデバイスによって送信された、セルラ無線アクセスデバイスがUEへ送信する必要のあるデータパケットを受信した後で、本発明の本実施形態で提供されるACは、データフレームに、データパケットと、データパケットがセルラネットワークのデータパケットであることを指示するのに用いられる指示形成とを付加し、非セルラ無線アクセスデバイスを用いてUEへデータフレームを送信することができる。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４０２】
本発明の別の実施形態はユーザ機器UEを提供し、本ユーザ機器UEはセルラ無線アクセスデバイスおよび非セルラ無線アクセスデバイスを含む無線通信システムに適用される。図22に示すように、本UEは送信モジュール181を含む。
【０４０３】
送信モジュール181は、セルラネットワークにおけるUEのデータを非セルラネットワークにオフロードすることが決定されたときに、非セルラ無線アクセスデバイスを用いてセルラ無線アクセスデバイスへデータフレームを送信する、ように構成されている。
【０４０４】
データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【０４０５】
本発明の本実施形態では、さらに任意選択で、指示情報はセルラ無線アクセスデバイスのアドレス情報である。
【０４０６】
本発明の本実施形態では、さらに任意選択で、図23に示すように、本UEは、受信モジュール182と決定モジュール183と、をさらに含む。
【０４０７】
受信モジュール182は、送信モジュール181が非セルラ無線アクセスデバイスを用いてセルラ無線アクセスデバイスへデータフレームを送信する前に、セルラ無線アクセスデバイスのMACアドレスとMACアドレスの機能情報との間のマッピング関係を受信するように構成されており、マッピング関係はセルラ無線アクセスデバイスによって送信され、機能情報はオフロードおよび統合を含み、
決定モジュール183は、受信モジュール182によって受信されたマッピング関係に従って、その機能情報がオフロードおよび統合であるMACアドレスを指示情報として決定する、ように構成されている。
【０４０８】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４０９】
本発明の本実施形態では、さらに任意選択で、セルラネットワークのデータパケットはパケットデータ統合プロトコルPDCPデータパケットまたは無線リンク制御RLCデータパケットを含む。
【０４１０】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０４１１】
セルラネットワークにおけるUEのデータを非セルラネットワークにオフロードすることを決定したときに、本発明の本実施形態で提供されるUEは、非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４１２】
本発明の別の実施形態はユーザ機器UEを提供し、本ユーザ機器UEはセルラ無線アクセスデバイスおよび非セルラ無線アクセスデバイスを含む無線通信システムに適用される。図24に示すように、本UEは、受信モジュール191と、WiFiモジュール192と、LTEモジュール193とを含む。
【０４１３】
受信モジュール191は、非セルラ無線アクセスデバイスを用いてセルラ無線アクセスデバイスによって送信されたデータフレームを受信する、ように構成されており、データフレームは、セルラ無線アクセスデバイスがセルラネットワークにおけるUEのデータを非セルラネットワークにオフロードすることを決定した後で送信され、データフレームは、セルラ無線アクセスデバイスがUEへ送信する必要のあるデータパケットと、データパケットがセルラネットワークのデータパケットであることを指示するのに用いられる指示情報とを含み、
WiFiモジュール192は、指示情報に従ってデータパケットはセルラネットワークのデータパケットであると決定し、データパケットをLTEモジュール193へ送るように構成されており、
LTEモジュール193は、WiFiモジュール192によって送られたデータパケットを受け取り、セルラ・ネットワーク・プロトコルを用いてデータパケットを処理するように構成されている。
【０４１４】
本発明の本実施形態では、さらに任意選択で、指示情報はセルラ無線アクセスデバイスのアドレス情報である。
【０４１５】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４１６】
受信モジュール191は、LTEモジュール193がセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はエア・インターフェース・メッセージを用いてセルラ無線アクセスデバイスによって送信され、
WiFiモジュール192は、受信モジュール191によって受信されたマッピング関係およびベアラ情報に従って無線ベアラに対応するLTEモジュール193へデータパケットを送るように特に構成されている。
【０４１７】
本発明の本実施形態では、さらに任意選択で、セルラネットワークのデータパケットはパケットデータ統合プロトコルPDCPデータパケットまたは無線リンク制御RLCデータパケットを含む。
【０４１８】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０４１９】
本発明の本実施形態で提供されるUEによれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは、指示情報に従ってデータパケットはセルラネットワークのデータパケットであると決定し、セルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４２０】
本発明の別の実施形態はユーザ機器UEを提供し、本ユーザ機器UEはセルラ無線アクセスデバイスおよび非セルラ無線アクセスデバイスを含む無線通信システムに適用される。図25に示すように、本UEは、受信モジュール2001と、WiFiモジュール2002と、LTEモジュール2003とを含む。
【０４２１】
受信モジュール2001は、非セルラ無線アクセスデバイスを用いてアクセスコントローラACによって送信されたデータフレームを受信するように構成されており、データフレームはACがセルラ無線アクセスデバイスによって送信された、セルラ無線アクセスデバイスがUEへ送信する必要のあるデータパケットを受信した後で送信され、データフレームは、セルラ無線アクセスデバイスがUEへ送信する必要のあるデータパケットと、データパケットがセルラネットワークのデータパケットであることを指示するのに用いられる指示情報とを含み、
WiFiモジュール2002は、指示情報に従ってデータパケットはセルラネットワークのデータパケットであると決定し、データパケットをロング・ターム・エボルーションLTEモジュール2003へ送るように構成されており、
LTEモジュール2003は、WiFiモジュール2002によって送られたデータパケットを受け取り、セルラ・ネットワーク・プロトコルを用いてデータパケットを処理するように構成されている。
【０４２２】
本発明の本実施形態では、さらに任意選択で、指示情報はセルラ無線アクセスデバイスのアドレス情報である。
【０４２３】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４２４】
受信モジュール2001は、LTEモジュール2003がセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はセルラ無線アクセスデバイスを用いてACによって送信され、
WiFiモジュール2002は、受信モジュール2001によって受信されたマッピング関係およびベアラ情報に従って無線ベアラに対応するLTEモジュール2003へデータパケットを送るように特に構成されている。
【０４２５】
本発明の本実施形態では、さらに任意選択で、セルラネットワークのデータパケットはパケットデータ統合プロトコルPDCPデータパケットまたは無線リンク制御RLCデータパケットを含む。
【０４２６】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０４２７】
本発明の本実施形態で提供されるUEによれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは、指示情報に従ってデータパケットはセルラネットワークのデータパケットであると決定し、セルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４２８】
本発明の別の実施形態はセルラ無線アクセスデバイスを提供し、本セルラ無線アクセスデバイスは無線通信システムに適用され、無線通信システムは非セルラ無線アクセスデバイスをさらに含む。図26に示すように、本セルラ無線アクセスデバイスは受信モジュール2101とLTEモジュール2102とを含む。
【０４２９】
受信モジュール2101は、非セルラ無線アクセスデバイスを用いてユーザ機器UEによって送信されたデータフレームを受信するように構成されており、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、
LTEモジュール2102は、セルラ・ネットワーク・プロトコルを用いてデータパケットを処理するように構成されている。
【０４３０】
本発明の本実施形態では、さらに任意選択で、指示情報はセルラ無線アクセスデバイスのアドレス情報である。
【０４３１】
本発明の本実施形態では、さらに任意選択で、図27に示すように、本セルラ無線アクセスデバイスは送信モジュール2103をさらに含む。
【０４３２】
送信モジュール2103は、受信モジュール2101が非セルラ無線アクセスデバイスを用いてユーザ機器UEによって送信されたデータフレームを受信する前に、セルラ無線アクセスデバイスのMACアドレスとMACアドレスの機能情報との間のマッピング関係をUEへ送信する、ように構成されており、機能情報はオフロードおよび統合を含む。
【０４３３】
本発明の本実施形態では、さらに任意選択で、データフレームは、非セルラ無線アクセスデバイスがデータパケットはセルラネットワークのデータパケットであると決定した後で送信され、または
本セルラ無線アクセスデバイスはWiFiモジュール2104をさらに含むことができる。
【０４３４】
WiFiモジュール2104は、LTEモジュール2102がセルラ・ネットワーク・プロトコルを用いてデータパケットを処理する前に、指示情報に従ってデータパケットはセルラネットワークのデータパケットであると決定し、データパケットをLTEモジュール2102へ送る、ように構成されている。
【０４３５】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４３６】
WiFiモジュール2104は、ベアラ情報、およびベアラ情報と、少なくとも1つの無線ベアラに含まれる、データパケットを搬送する無線ベアラとの間のマッピング関係に従って無線ベアラに対応するLTEモジュール2102へデータパケットを送るように特に構成されている。
【０４３７】
本発明の本実施形態では、さらに任意選択で、セルラネットワークのデータパケットはパケットデータ統合プロトコルPDCPデータパケットまたは無線リンク制御RLCデータパケットを含む。
【０４３８】
本発明の本実施形態で提供されるセルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０４３９】
本発明の本実施形態で提供されるセルラ無線アクセスデバイスによれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４４０】
本発明の別の実施形態はアクセスコントローラACを提供し、本アクセスコントローラACはセルラ無線アクセスデバイスおよび非セルラ無線アクセスデバイスを含む無線通信システムに適用される。図28に示すように、本ACは受信モジュール2201と送信モジュール2202とを含む。
【０４４１】
受信モジュール2201は、非セルラ無線アクセスデバイスを用いてユーザ機器UEによって送信されたデータフレームを受信するように構成されており、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられ、
送信モジュール2202は、指示情報に従ってデータパケットはセルラネットワークのデータパケットであることが決定された後で、データフレームをセルラ無線アクセスデバイスへ送信し、または、指示情報に従ってデータパケットはセルラネットワークのデータパケットであると決定した後で非セルラ無線アクセスデバイスによって本ACへ送信されたデータフレームをセルラ無線アクセスデバイスへ送信する、ように構成されている。
【０４４２】
本発明の本実施形態では、さらに任意選択で、指示情報はセルラ無線アクセスデバイスのアドレス情報である。
【０４４３】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４４４】
本発明の本実施形態では、さらに任意選択で、セルラネットワークのデータパケットはパケットデータ統合プロトコルPDCPデータパケットまたは無線リンク制御RLCデータパケットを含む。
【０４４５】
本発明の本実施形態で提供されるAC内の機能モジュールの具体的な動作プロセスについては、方法実施形態における対応するプロセスの詳細な説明を参照することができることに留意すべきである。本発明の本実施形態では詳細を説明しない。
【０４４６】
非セルラ無線アクセスデバイスを用いてUEによって送信されたデータフレームを受信した後で、本発明の本実施形態で提供されるACは、指示情報に従ってデータパケットはセルラネットワークのデータパケットであると決定した後でデータフレームをセルラ無線アクセスデバイスへ送信することができ、あるいは、データフレームをセルラ無線アクセスデバイスへ直接送信することができる。データフレームは、データフレームに含まれるデータパケットはセルラネットワークのデータパケットであると決定した後で本ACまたは非セルラ無線アクセスデバイスによってセルラ無線アクセスデバイスへ送信されるため、データフレームを受信した後で、セルラ無線アクセスデバイスはセルラ・ネットワーク・プロトコルを用いてデータパケットを処理する必要がある。指示情報は、セルラ無線アクセスデバイスがセルラ・ネットワーク・プロトコルを用いてデータパケットを処理することができるように、データパケットがセルラネットワークのデータパケットであることを指示するのに用いられる。したがって、サービス継続性が保証され、それによってサービス品質およびユーザ体感が改善される。
【０４４７】
本発明の別の実施形態はユーザ機器UEを提供し、本ユーザ機器UEはセルラ無線アクセスデバイスおよび非セルラ無線アクセスデバイスを含む無線通信システムに適用される。図29に示すように、本UEは、受信モジュール2301と、WiFiモジュール2302と、LTEモジュール2303とを含む。
【０４４８】
受信モジュール2301は、非セルラ無線アクセスデバイスを用いてセルラ無線アクセスデバイスによって送信されたデータフレームを受信するように構成されており、データフレームはセルラ無線アクセスデバイスがUEへ送信する必要のあるデータパケットを含み、データパケットは送信元インターネットプロトコルIPアドレスおよび宛先IPアドレスを含み、
WiFiモジュール2302は、送信元IPアドレスがセルラサービスを運ぶのに用いられたアドレスであると決定し、または宛先IPアドレスがコア・ネットワーク・ゲートウェイによって割り当てられていると決定し、データパケットをロング・ターム・エボルーションLTEモジュール2303へ送るように構成されており、
LTEモジュール2303は、WiFiモジュール2302によって送られたデータパケットを受け取り、セルラ・ネットワーク・プロトコルを用いてデータパケットを処理するように構成されている。
【０４４９】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０４５０】
非セルラ無線アクセスデバイスを用いてセルラ無線アクセスデバイスによって送信されたデータフレームを受信した後で、本発明の本実施形態で提供されるUEは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、セルラ・ネットワーク・プロトコルを用いてデータパケットを処理することができる。IPアドレスを用いてデータパケットはセルラネットワークのデータパケットであると決定したときに、UEはセルラ・ネットワーク・プロトコルを用いてデータパケットを処理する。したがって、サービス継続性が保証され、それによってサービス品質およびユーザ体感が改善される。
【０４５１】
本発明の別の実施形態はセルラ無線アクセスデバイスを提供し、本セルラ無線アクセスデバイスは無線通信システムに適用され、無線通信システムは非セルラ無線アクセスデバイスをさらに含む。図30に示すように、本セルラ無線アクセスデバイスは受信モジュール2401と、WiFiモジュール2402と、LTEモジュール2403とを含む。
【０４５２】
受信モジュール2401は、非セルラ無線アクセスデバイスを用いてユーザ機器UEによって送信されたデータフレームを受信するように構成されており、データフレームはUEがセルラ無線アクセスデバイスへ送信する必要のあるデータパケットを含み、データパケットは送信元インターネットプロトコルIPアドレスおよび宛先IPアドレスを含み、
WiFiモジュール2402は、宛先IPアドレスがセルラサービスを運ぶのに用いられたアドレスであると決定し、または送信元IPアドレスがコア・ネットワーク・ゲートウェイによって割り当てられていると決定し、データパケットをロング・ターム・エボルーションLTEモジュール2403へ送るように構成されており、
LTEモジュール2403は、WiFiモジュール2402によって送られたデータパケットを受け取り、セルラ・ネットワーク・プロトコルを用いてデータパケットを処理するように構成されている。
【０４５３】
本発明の本実施形態で提供されるセルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０４５４】
非セルラ無線アクセスデバイスを用いてUEによって送信されたデータフレームを受信した後で、本発明の本実施形態で提供されるセルラ無線アクセスデバイスは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、セルラ・ネットワーク・プロトコルを用いてデータパケットを処理することができる。IPアドレスを用いてデータパケットはセルラネットワークのデータパケットであると決定したときに、セルラ無線アクセスデバイスはセルラ・ネットワーク・プロトコルを用いてデータパケットを処理する。したがって、サービス継続性が保証され、それによってサービス品質およびユーザ体感が改善される。
【０４５５】
本発明の別の実施形態は非セルラ無線アクセスデバイスを提供し、本非セルラ無線アクセスデバイスは無線通信システムに適用され、無線通信システムはセルラ無線アクセスデバイスをさらに含む。図31に示すように、本非セルラ無線アクセスデバイスは受信モジュール2501と、決定モジュール2502と、送信モジュール2503とを含む。
【０４５６】
受信モジュール2501は、セルラ無線アクセスデバイスによって送信されたデータフレームを受信するように構成されており、データフレームはセルラ無線アクセスデバイスがユーザ機器UEへ送信する必要のあるデータパケットを含み、データパケットは送信元インターネットプロトコルIPアドレスおよび宛先IPアドレスを含み、
決定モジュール2502は、送信元インターネットプロトコルIPアドレスはセルラサービスを運ぶのに用いられたアドレスであると決定し、または宛先IPアドレスはコア・ネットワーク・ゲートウェイによって割り当てられていると決定するように構成されており、
送信モジュール2503は、UEがセルラ・ネットワーク・プロトコルを用いてデータパケットを処理するように、UEへデータフレームを送信するように構成されている。
【０４５７】
本発明の本実施形態で提供される非セルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０４５８】
セルラ無線アクセスデバイスによって送信されたデータフレームを受信した後で、本発明の本実施形態で提供される非セルラ無線アクセスデバイスは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、UEがセルラ・ネットワーク・プロトコルを用いてデータパケットを処理するように、UEへデータフレームを送信することができる。IPアドレスを用いてデータパケットはセルラネットワークのデータパケットであると決定したときに、非セルラ無線アクセスデバイスは、UEがセルラ・ネットワーク・プロトコルを用いてデータパケットを処理するように、UEへデータフレームを送信する。したがって、サービス継続性が保証され、それによってサービス品質およびユーザ体感が改善される。
【０４５９】
本発明の別の実施形態は非セルラ無線アクセスデバイスを提供し、本非セルラ無線アクセスデバイスは無線通信システムに適用され、無線通信システムはセルラ無線アクセスデバイスをさらに含む。図32に示すように、本非セルラ無線アクセスデバイスは受信モジュール2601と、決定モジュール2602と、送信モジュール2603とを含む。
【０４６０】
受信モジュール2601は、ユーザ機器UEによって送信されたデータフレームを受信するように構成されており、データフレームはUEがセルラ無線アクセスデバイスへ送信する必要のあるデータパケットを含み、データパケットは送信元インターネットプロトコルIPアドレスおよび宛先IPアドレスを含み、
決定モジュール2602は、宛先IPアドレスはセルラサービスを運ぶのに用いられたアドレスであると決定し、または送信元インターネットプロトコルIPアドレスはコア・ネットワーク・ゲートウェイによって割り当てられていると決定するように構成されており、
送信モジュール2603は、セルラ無線アクセスデバイスがセルラ・ネットワーク・プロトコルを用いてデータパケットを処理するように、セルラ無線アクセスデバイスへデータフレームを送信するように構成されている。
【０４６１】
本発明の本実施形態で提供される非セルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０４６２】
UEによって送信されたデータフレームを受信した後で、本発明の本実施形態で提供される非セルラ無線アクセスデバイスは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、セルラ無線アクセスデバイスがセルラ・ネットワーク・プロトコルを用いてデータパケットを処理するように、セルラ無線アクセスデバイスへデータフレームを送信することができる。IPアドレスを用いてデータパケットはセルラネットワークのデータパケットであると決定したときに、非セルラ無線アクセスデバイスは、セルラ無線アクセスデバイスがセルラ・ネットワーク・プロトコルを用いてデータパケットを処理するように、セルラ無線アクセスデバイスへデータフレームを送信する。したがって、サービス継続性が保証され、それによってサービス品質およびユーザ体感が改善される。
【０４６３】
本発明の別の実施形態は非セルラ無線アクセスデバイスを提供し、本非セルラ無線アクセスデバイスは無線通信システムに適用され、無線通信システムはセルラ無線アクセスデバイスをさらに含む。図33に示すように、本非セルラ無線アクセスデバイスは受信モジュール2701と送信モジュール2702とを含む。
【０４６４】
受信モジュール2701は、セルラ無線アクセスデバイスまたはアクセスコントローラACによって送信されたデータフレームを受信するように構成されており、データフレームはセルラ無線アクセスデバイスがユーザ機器UEへ送信する必要のあるデータパケットを含み、
送信モジュール2702は、データフレームに、データパケットがセルラネットワークのデータパケットであることを指示するのに用いられる指示情報を付加し、データフレームをUEへ送信するように構成されており、指示情報はUEによって、指示情報に従ってセルラ・ネットワーク・プロトコルを用いてデータパケットを処理するのに用いられる。
【０４６５】
本発明の本実施形態では、さらに任意選択で、受信モジュール2701は、送信モジュール2702が、データフレームに、データパケットがセルラネットワークのデータパケットであることを指示するのに用いられる指示情報を付加し、UEへデータフレームを送信する前に、セルラ無線アクセスデバイスによって送信された指示情報を受信する、ようにさらに構成されている。
【０４６６】
本発明の本実施形態で提供される非セルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０４６７】
セルラ無線アクセスデバイスによって送信されたデータフレームを受信した後で、本発明の本実施形態で提供される非セルラ無線アクセスデバイスは、データフレームに、データパケットがセルラネットワークのデータパケットであることを指示するのに用いられる指示情報を付加し、UEへデータフレームを送信する。UEによって受信されたデータフレームは、データパケットがセルラネットワークのデータパケットであることを指示するのに用いられる指示情報を含むため、データフレームを受信した後で、UEはセルラ・ネットワーク・プロトコルを用いてデータパケットを処理する必要がある。指示情報は、UEがセルラ・ネットワーク・プロトコルを用いてデータパケットを処理することができるように、データパケットがセルラネットワークのデータパケットであることを指示するのに用いられる。したがって、サービス継続性が保証され、それによってサービス品質およびユーザ体感が改善される。
【０４６８】
本発明の別の実施形態はセルラ無線アクセスデバイスを提供し、本セルラ無線アクセスデバイスは無線通信システムに適用され、無線通信システムは非セルラ無線アクセスデバイスをさらに含む。図34に示すように、本セルラ無線アクセスデバイスはプロセッサ2801と送信機2802とを含む。
【０４６９】
プロセッサ2801は、セルラ無線アクセスデバイスによってサービスされているユーザ機器UEのセルラネットワークにおけるデータを非セルラネットワークにオフロードすることを決定するように構成されており、
送信機2802は、非セルラ無線アクセスデバイスを用いて、セルラ無線アクセスデバイスによってサービスされているUEへデータフレームを送信するように構成されている。
【０４７０】
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０４７１】
本発明の本実施形態では、さらに任意選択で、指示情報はセルラ無線アクセスデバイスのアドレス情報である。
【０４７２】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４７３】
本発明の本実施形態では、さらに任意選択で、送信機2802は、ベアラ情報と、少なくとも1つの無線ベアラに含まれる、データパケットを搬送する無線ベアラとの間のマッピング関係を、エア・インターフェース・メッセージを用いてUEへ送信するようにさらに構成されている。
【０４７４】
本発明の本実施形態では、さらに任意選択で、セルラネットワークのデータパケットはパケットデータ統合プロトコルPDCPデータパケットまたは無線リンク制御RLCデータパケットを含む。
【０４７５】
本発明の本実施形態で提供されるセルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０４７６】
セルラ無線アクセスデバイスによってサービスされているUEのセルラネットワークにおけるデータを非セルラネットワークにオフロードすることを決定した後で、本発明の本実施形態で提供されるセルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４７７】
本発明の別の実施形態はアクセスコントローラACを提供し、本アクセスコントローラACはセルラ無線アクセスデバイスおよび非セルラ無線アクセスデバイスを含む無線通信システムに適用される。図35に示すように、本ACは受信機2901と送信機2902とを含む。
【０４７８】
受信機2901は、セルラ無線アクセスデバイスによって送信された、セルラ無線アクセスデバイスがユーザ機器UEへ送信する必要のあるデータパケットを受信するように構成されており、
送信機2902は、非セルラ無線アクセスデバイスを用いてUEへデータフレームを送信するように構成されている。
【０４７９】
データフレームは、セルラ無線アクセスデバイスがUEへ送信する必要のあるデータパケットと、データパケットがセルラネットワークのデータパケットであることを指示するのに用いられる指示情報とを含み、指示情報はUEによって、指示情報に従ってセルラ・ネットワーク・プロトコルを用いてデータパケットを処理するのに用いられる。
【０４８０】
本発明の本実施形態では、さらに任意選択で、指示情報はセルラ無線アクセスデバイスのアドレス情報である。
【０４８１】
本発明の本実施形態では、さらに任意選択で、受信機2901は、送信機2902が非セルラ無線アクセスデバイスを用いてUEへデータフレームを送信する前に、セルラ無線アクセスデバイスによって送信された非セルラ無線アクセスデバイスの識別情報を受信する、ようにさらに構成されており、識別情報はACによって非セルラ無線アクセスデバイスを決定するのに用いられる。
【０４８２】
本発明の本実施形態では、さらに任意選択で、データパケットは802．3フレームに含まれる。
【０４８３】
本ACはプロセッサ2903をさらに含む。
【０４８４】
プロセッサ2903は、送信機2902が非セルラ無線アクセスデバイスを用いてUEへデータフレームを送信する前に、データフレームに802．3フレームに含まれるデータパケットを付加する、ように構成されている。
【０４８５】
本発明の本実施形態では、さらに任意選択で、非セルラ無線アクセスデバイスの識別情報は非セルラ無線アクセスデバイスのMACアドレス、非セルラ無線アクセスデバイスの基本サービスセット識別子BSSID、または非セルラ無線アクセスデバイスのサービスセット識別子SSIDである。
【０４８６】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４８７】
本発明の本実施形態では、さらに任意選択で、送信機2902は、ベアラ情報と、少なくとも1つの無線ベアラに含まれる、データパケットを搬送する無線ベアラとの間のマッピング関係を、セルラ無線アクセスデバイスを用いてUEへ送信するようにさらに構成されている。
【０４８８】
本発明の本実施形態では、さらに任意選択で、セルラネットワークのデータパケットはパケットデータ統合プロトコルPDCPデータパケットまたは無線リンク制御RLCデータパケットを含む。
【０４８９】
本発明の本実施形態で提供されるAC内の機能モジュールの具体的な動作プロセスについては、方法実施形態における対応するプロセスの詳細な説明を参照することができることに留意すべきである。本発明の本実施形態では詳細を説明しない。
【０４９０】
セルラ無線アクセスデバイスによって送信された、セルラ無線アクセスデバイスがUEへ送信する必要のあるデータパケットを受信した後で、本発明の本実施形態で提供されるACは、データフレームに、データパケットと、データパケットがセルラネットワークのデータパケットであることを指示するのに用いられる指示形成とを付加し、非セルラ無線アクセスデバイスを用いてUEへデータフレームを送信することができる。データフレームは、データパケットがセルラネットワークのデータパケットであることを指示するのに用いられる指示情報を含むため、データフレームを受信した後で、UEは指示情報に従ってセルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０４９１】
本発明の別の実施形態はユーザ機器UEを提供し、本ユーザ機器UEはセルラ無線アクセスデバイスおよび非セルラ無線アクセスデバイスを含む無線通信システムに適用される。図36に示すように、本UEは送信機3001を含む。
【０４９２】
送信機3001は、セルラネットワークにおけるUEのデータを非セルラネットワークにオフロードすることが決定されたときに、UEによって、非セルラ無線アクセスデバイスを用いてセルラ無線アクセスデバイスへデータフレームを送信するように構成されている。
【０４９３】
データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられる。
【０４９４】
本発明の本実施形態では、さらに任意選択で、指示情報はセルラ無線アクセスデバイスのアドレス情報である。
【０４９５】
本発明の本実施形態では、さらに任意選択で、UEは受信機3002とプロセッサ3003とをさらに含む。
【０４９６】
受信機3002は、送信機3001が非セルラ無線アクセスデバイスを用いてセルラ無線アクセスデバイスへデータフレームを送信する前に、セルラ無線アクセスデバイスのMACアドレスとMACアドレスの機能情報との間のマッピング関係を受信するように構成されており、マッピング関係はセルラ無線アクセスデバイスによって送信され、機能情報はオフロードおよび統合を含み、
プロセッサ3003は、受信機3002によって受信されたマッピング関係に従って、その機能情報がオフロードおよび統合であるMACアドレスを指示情報として決定する、ように構成されている。
【０４９７】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０４９８】
本発明の本実施形態では、さらに任意選択で、セルラネットワークのデータパケットはパケットデータ統合プロトコルPDCPデータパケットまたは無線リンク制御RLCデータパケットを含む。
【０４９９】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０５００】
セルラネットワークにおけるUEのデータを非セルラネットワークにオフロードすることを決定したときに、本発明の本実施形態で提供されるUEは、非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０５０１】
本発明の別の実施形態はユーザ機器UEを提供し、本ユーザ機器UEはセルラ無線アクセスデバイスおよび非セルラ無線アクセスデバイスを含む無線通信システムに適用される。図37に示すように、本UEは受信機3101とプロセッサ3102とを含む。
【０５０２】
受信機3101は、非セルラ無線アクセスデバイスを用いてセルラ無線アクセスデバイスによって送信されたデータフレームを受信する、ように構成されており、データフレームは、セルラ無線アクセスデバイスがセルラネットワークにおけるUEのデータを非セルラネットワークにオフロードすることを決定した後で送信され、データフレームは、セルラ無線アクセスデバイスがUEへ送信する必要のあるデータパケットと、データパケットがセルラネットワークのデータパケットであることを指示するのに用いられる指示情報とを含み、
プロセッサ3102は、指示情報に従ってデータパケットはセルラネットワークのデータパケットであると決定し、セルラ・ネットワーク・プロトコルを用いてデータパケットを処理するように構成されている。
【０５０３】
本発明の本実施形態では、さらに任意選択で、指示情報はセルラ無線アクセスデバイスのアドレス情報である。
【０５０４】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０５０５】
受信機3101は、プロセッサ3102がセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はエア・インターフェース・メッセージを用いてセルラ無線アクセスデバイスによって送信され、
プロセッサ3102は、マッピング関係およびベアラ情報に従ってセルラ・ネットワーク・プロトコルを用いてデータパケットを処理するように特に構成されている。
【０５０６】
本発明の本実施形態では、さらに任意選択で、セルラネットワークのデータパケットはパケットデータ統合プロトコルPDCPデータパケットまたは無線リンク制御RLCデータパケットを含む。
【０５０７】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０５０８】
本発明の本実施形態で提供されるUEによれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは、指示情報に従ってデータパケットはセルラネットワークのデータパケットであると決定し、セルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０５０９】
本発明の別の実施形態はユーザ機器UEを提供し、本ユーザ機器UEはセルラ無線アクセスデバイスおよび非セルラ無線アクセスデバイスを含む無線通信システムに適用される。図38に示すように、本UEは受信機3201とプロセッサ3202とを含む。
【０５１０】
受信機3201は、非セルラ無線アクセスデバイスを用いてアクセスコントローラACによって送信されたデータフレームを受信するように構成されており、データフレームはACがセルラ無線アクセスデバイスによって送信された、セルラ無線アクセスデバイスがUEへ送信する必要のあるデータパケットを受信した後で送信され、データフレームは、セルラ無線アクセスデバイスがUEへ送信する必要のあるデータパケットと、データパケットがセルラネットワークのデータパケットであることを指示するのに用いられる指示情報とを含み、
プロセッサ3202は、指示情報に従ってデータパケットはセルラネットワークのデータパケットであると決定し、セルラ・ネットワーク・プロトコルを用いてデータパケットを処理するように構成されている。
【０５１１】
本発明の本実施形態では、さらに任意選択で、指示情報はセルラ無線アクセスデバイスのアドレス情報である。
【０５１２】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０５１３】
受信機3201は、プロセッサ3202がセルラ・ネットワーク・プロトコルを用いてデータパケットを処理する前に、ベアラ情報と、少なくとも1つの無線ベアラに含まれる、データパケットを搬送する無線ベアラとの間のマッピング関係を受信する、ようにさらに構成されており、マッピング関係はセルラ無線アクセスデバイスを用いてACによって送信され、
プロセッサ3202は、受信機に3201よって受信されたマッピング関係およびベアラ情報に従ってセルラ・ネットワーク・プロトコルを用いてデータパケットを処理するように特に構成されている。
【０５１４】
本発明の本実施形態では、さらに任意選択で、セルラネットワークのデータパケットはパケットデータ統合プロトコルPDCPデータパケットまたは無線リンク制御RLCデータパケットを含む。
【０５１５】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０５１６】
本発明の本実施形態で提供されるUEによれば、セルラ無線アクセスデバイスによってサービスされているUEのセルラネットワークにおけるデータを非セルラネットワークにオフロードすることを決定した後で、セルラ無線アクセスデバイスは、非セルラ無線アクセスデバイスを用いて、セルラ無線アクセスデバイスによってサービスされているUEへデータフレームを送信する。データフレームは、データパケットがセルラネットワークのデータパケットであることを指示するのに用いられる指示情報を含むため、データフレームを受信した後で、UEは、指示情報に従ってデータパケットはセルラネットワークのデータパケットであると決定し、セルラ・ネットワーク・プロトコルを用いてデータパケットを処理することができる。指示情報は、UEがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０５１７】
本発明の別の実施形態はセルラ無線アクセスデバイスを提供し、本セルラ無線アクセスデバイスは無線通信システムに適用され、無線通信システムは非セルラ無線アクセスデバイスをさらに含む。図39に示すように、本セルラ無線アクセスデバイスは受信機3301とプロセッサ3302とを含む。
【０５１８】
受信機3301は、非セルラ無線アクセスデバイスを用いてユーザ機器UEによって送信されたデータフレームを受信するように構成されており、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、
プロセッサ3302は、セルラ・ネットワーク・プロトコルを用いてデータパケットを処理するように構成されている。
【０５１９】
本発明の本実施形態では、さらに任意選択で、指示情報はセルラ無線アクセスデバイスのアドレス情報である。
【０５２０】
本発明の本実施形態では、さらに任意選択で、本セルラ無線アクセスデバイスは送信機3303をさらに含む。
【０５２１】
送信機3303は、受信機3301が非セルラ無線アクセスデバイスを用いてユーザ機器UEによって送信されたデータフレームを受信する前に、セルラ無線アクセスデバイスのMACアドレスとMACアドレスの機能情報との間のマッピング関係をUEへ送信する、ように構成されており、機能情報はオフロードおよび統合を含む。
【０５２２】
本発明の本実施形態では、さらに任意選択で、データフレームは、非セルラ無線アクセスデバイスがデータパケットはセルラネットワークのデータパケットであると決定した後で送信され、または
プロセッサ3302は、セルラ・ネットワーク・プロトコルを用いてデータパケットを処理する前に、指示情報に従ってデータパケットはセルラネットワークのデータパケットであると決定する、ようにさらに構成されている。
【０５２３】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０５２４】
プロセッサ3302は、ベアラ情報、およびベアラ情報と、少なくとも1つの無線ベアラに含まれる、データパケットを搬送する無線ベアラとの間のマッピング関係に従って、セルラ・ネットワーク・プロトコルを用いてデータパケットを処理するように特に構成されている。
【０５２５】
本発明の本実施形態では、さらに任意選択で、セルラネットワークのデータパケットはパケットデータ統合プロトコルPDCPデータパケットまたは無線リンク制御RLCデータパケットを含む。
【０５２６】
本発明の本実施形態で提供されるセルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０５２７】
本発明の本実施形態で提供されるセルラ無線アクセスデバイスによれば、セルラネットワークにおけるUEのデータを非セルラネットワークにオフロードすることを決定したときに、UEは非セルラ無線アクセスデバイスを用いてセルラ無線アクセスデバイスへデータフレームを送信し、データフレームはデータパケットと、データパケットがセルラネットワークのデータパケットであることを指示するのに用いられる指示情報とを搬送する。データフレームは、データパケットがセルラネットワークのデータパケットであることを指示するのに用いられる指示情報を含むため、データフレームを受信した後で、セルラ無線アクセスデバイスはセルラ・ネットワーク・プロトコルを用いてデータパケットを処理する。指示情報は、セルラ無線アクセスデバイスがセルラ・ネットワーク・プロトコルを用いてデータパケットを処理するように、データパケットがセルラネットワークのデータパケットであることを指示するのに用いられる。したがって、サービス継続性が保証され、それによってサービス品質およびユーザ体感が改善される。
【０５２８】
本発明の別の実施形態はアクセスコントローラACを提供し、本アクセスコントローラACはセルラ無線アクセスデバイスおよび非セルラ無線アクセスデバイスを含む無線通信システムに適用される。図40に示すように、本ACは受信機3401と送信機3402とを含む。
【０５２９】
受信機3401は、非セルラ無線アクセスデバイスを用いてユーザ機器UEによって送信されたデータフレームを受信するように構成されており、データフレームは、UEがセルラネットワークにおけるUEのデータを非セルラネットワークにオフロードすることを決定したときに送信され、データフレームは、UEがセルラ無線アクセスデバイスへ送信する必要のあるデータパケットと、データパケットがセルラネットワークのデータパケットであることを指示するのに用いられる指示情報とを含み、指示情報はセルラ無線アクセスデバイスによって、セルラ・ネットワーク・プロトコルを用いてデータパケットを処理するのに用いられ、
送信機3402は、指示情報に従ってデータパケットはセルラネットワークのデータパケットであることが決定された後で、データフレームをセルラ無線アクセスデバイスへ送信し、または、指示情報に従ってデータパケットはセルラネットワークのデータパケットであると決定した後で非セルラ無線アクセスデバイスによってACへ送信されたデータフレームをセルラ無線アクセスデバイスへ送信する、ように構成されている。
【０５３０】
本発明の本実施形態では、さらに任意選択で、指示情報はセルラ無線アクセスデバイスのアドレス情報である。
【０５３１】
本発明の本実施形態では、さらに任意選択で、UEに少なくとも1つの無線ベアラがあるときに、データフレームは、少なくとも1つの無線ベアラに含まれる、データパケットを搬送する無線ベアラを指示するのに用いられるベアラ情報をさらに含む。
【０５３２】
本発明の本実施形態では、さらに任意選択で、セルラネットワークのデータパケットはパケットデータ統合プロトコルPDCPデータパケットまたは無線リンク制御RLCデータパケットを含む。
【０５３３】
本発明の本実施形態で提供されるAC内の機能モジュールの具体的な動作プロセスについては、方法実施形態における対応するプロセスの詳細な説明を参照することができることに留意すべきである。本発明の本実施形態では詳細を説明しない。
【０５３４】
非セルラ無線アクセスデバイスを用いてUEによって送信されたデータフレームを受信した後で、本発明の本実施形態で提供されるACは、指示情報に従ってデータパケットはセルラネットワークのデータパケットであると決定した後でデータフレームをセルラ無線アクセスデバイスへ送信することができ、あるいは、データフレームをセルラ無線アクセスデバイスへ直接送信することができる。データフレームは、データフレームに含まれるデータパケットはセルラネットワークのデータパケットであると決定した後で本ACまたは非セルラ無線アクセスデバイスによってセルラ無線アクセスデバイスへ送信されるため、データフレームを受信した後で、セルラ無線アクセスデバイスはセルラ・ネットワーク・プロトコルを用いてデータパケットを処理する必要がある。指示情報は、セルラ無線アクセスデバイスがセルラ・ネットワーク・プロトコルを用いてデータパケットを処理することができるように、データパケットがセルラネットワークのデータパケットであることを指示するのに用いられる。したがって、サービス継続性が保証され、それによってサービス品質およびユーザ体感が改善される。
【０５３５】
本発明の別の実施形態はユーザ機器UEを提供し、本ユーザ機器UEはセルラ無線アクセスデバイスおよび非セルラ無線アクセスデバイスを含む無線通信システムに適用される。図41に示すように、本UEは受信機3501とプロセッサ3502とを含む。
【０５３６】
受信機3501は、非セルラ無線アクセスデバイスを用いてセルラ無線アクセスデバイスによって送信されたデータフレームを受信するように構成されており、データフレームはセルラ無線アクセスデバイスがUEへ送信する必要のあるデータパケットを含み、データパケットは送信元インターネットプロトコルIPアドレスおよび宛先IPアドレスを含み、
プロセッサ3502は、送信元IPアドレスはセルラサービスを運ぶのに用いられたアドレスであると決定し、または宛先IPアドレスはコア・ネットワーク・ゲートウェイによって割り当てられていると決定し、セルラ・ネットワーク・プロトコルを用いてデータパケットを処理するように構成されている。
【０５３７】
本発明の本実施形態で提供されるUE内の機能モジュールの具体的な動作プロセスについては、方法実施形態における対応するプロセスの詳細な説明を参照することができることに留意すべきである。本発明の本実施形態では詳細を説明しない。
【０５３８】
非セルラ無線アクセスデバイスを用いてセルラ無線アクセスデバイスによって送信されたデータフレームを受信した後で、本発明の本実施形態で提供されるUEは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、セルラ・ネットワーク・プロトコルを用いてデータパケットを処理することができる。IPアドレスを用いてデータパケットはセルラネットワークのデータパケットであると決定したときに、UEはセルラ・ネットワーク・プロトコルを用いてデータパケットを処理する。したがって、サービス継続性が保証され、それによってサービス品質およびユーザ体感が改善される。
【０５３９】
本発明の別の実施形態はセルラ無線アクセスデバイスを提供し、本セルラ無線アクセスデバイスは無線通信システムに適用され、無線通信システムは非セルラ無線アクセスデバイスをさらに含む。図42に示すように、本セルラ無線アクセスデバイスは受信機3601とプロセッサ3602とを含む。
【０５４０】
受信機3601は、非セルラ無線アクセスデバイスを用いてユーザ機器UEによって送信されたデータフレームを受信するように構成されており、データフレームはUEがセルラ無線アクセスデバイスへ送信する必要のあるデータパケットを含み、データパケットは送信元インターネットプロトコルIPアドレスおよび宛先IPアドレスを含み、
プロセッサ3602は、宛先IPアドレスはセルラサービスを運ぶのに用いられたアドレスであると決定し、または送信元IPアドレスはコア・ネットワーク・ゲートウェイによって割り当てられていると決定し、セルラ・ネットワーク・プロトコルを用いてデータパケットを処理するように構成されている。
【０５４１】
本発明の本実施形態で提供されるセルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０５４２】
非セルラ無線アクセスデバイスを用いてUEによって送信されたデータフレームを受信した後で、本発明の本実施形態で提供されるセルラ無線アクセスデバイスは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、セルラ・ネットワーク・プロトコルを用いてデータパケットを処理することができる。IPアドレスを用いてデータパケットはセルラネットワークのデータパケットであると決定したときに、セルラ無線アクセスデバイスはセルラ・ネットワーク・プロトコルを用いてデータパケットを処理する。したがって、サービス継続性が保証され、それによってサービス品質およびユーザ体感が改善される。
【０５４３】
本発明の別の実施形態は非セルラ無線アクセスデバイスを提供し、本非セルラ無線アクセスデバイスは無線通信システムに適用され、無線通信システムはセルラ無線アクセスデバイスをさらに含む。図43に示すように、本非セルラ無線アクセスデバイスは受信機3701と、プロセッサ3702と、送信機3703とを含む。
【０５４４】
受信機3701は、セルラ無線アクセスデバイスによって送信されたデータフレームを受信するように構成されており、データフレームは、セルラ無線アクセスデバイスがユーザ機器UEへ送信する必要のあるデータパケットを含み、データパケットは送信元インターネットプロトコルIPアドレスおよび宛先IPアドレスを含み、
プロセッサ3702は、送信元インターネットプロトコルIPアドレスはセルラサービスを運ぶのに用いられたアドレスであると決定し、または宛先IPアドレスはコア・ネットワーク・ゲートウェイによって割り当てられていると決定するように構成されており、
送信機3703は、UEがセルラ・ネットワーク・プロトコルを用いてデータパケットを処理するように、UEへデータフレームを送信するように構成されている。
【０５４５】
本発明の本実施形態で提供される非セルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０５４６】
セルラ無線アクセスデバイスによって送信されたデータフレームを受信した後で、本発明の本実施形態で提供される非セルラ無線アクセスデバイスは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、UEがセルラ・ネットワーク・プロトコルを用いてデータパケットを処理するように、UEへデータフレームを送信することができる。IPアドレスを用いてデータパケットはセルラネットワークのデータパケットであると決定したときに、非セルラ無線アクセスデバイスは、UEがセルラ・ネットワーク・プロトコルを用いてデータパケットを処理するように、UEへデータフレームを送信する。したがって、サービス継続性が保証され、それによってサービス品質およびユーザ体感が改善される。
【０５４７】
本発明の別の実施形態は非セルラ無線アクセスデバイスを提供し、本非セルラ無線アクセスデバイスは無線通信システムに適用され、無線通信システムはセルラ無線アクセスデバイスをさらに含む。図44に示すように、本非セルラ無線アクセスデバイスは受信機3801と、プロセッサ3802と、送信機3803とを含む。
【０５４８】
受信機3801は、ユーザ機器UEによって送信されたデータフレームを受信するように構成されており、データフレームはUEがセルラ無線アクセスデバイスへ送信する必要のあるデータパケットを含み、データパケットは送信元インターネットプロトコルIPアドレスおよび宛先IPアドレスを含み、
プロセッサ3802は、宛先IPアドレスはセルラサービスを運ぶのに用いられたアドレスであると決定し、または送信元インターネットプロトコルIPアドレスはコア・ネットワーク・ゲートウェイによって割り当てられていると決定するように構成されており、
送信機3803は、セルラ無線アクセスデバイスがセルラ・ネットワーク・プロトコルを用いてデータパケットを処理するように、セルラ無線アクセスデバイスへデータフレームを送信するように構成されている。
【０５４９】
本発明の本実施形態で提供される非セルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０５５０】
UEによって送信されたデータフレームを受信した後で、本発明の本実施形態で提供される非セルラ無線アクセスデバイスは、データパケットに含まれる送信元IPアドレスまたは宛先IPアドレスに従ってデータパケットがセルラネットワークのデータパケットであるかどうか判定し、データパケットはセルラネットワークのデータパケットであると決定した後で、セルラ無線アクセスデバイスがセルラ・ネットワーク・プロトコルを用いてデータパケットを処理するように、セルラ無線アクセスデバイスへデータフレームを送信することができる。IPアドレスを用いてデータパケットはセルラネットワークのデータパケットであると決定したときに、非セルラ無線アクセスデバイスは、セルラ無線アクセスデバイスがセルラ・ネットワーク・プロトコルを用いてデータパケットを処理するように、セルラ無線アクセスデバイスへデータフレームを送信する。したがって、サービス継続性が保証され、それによってサービス品質およびユーザ体感が改善される。
【０５５１】
本発明の別の実施形態は非セルラ無線アクセスデバイスを提供し、本非セルラ無線アクセスデバイスは無線通信システムに適用され、無線通信システムはセルラ無線アクセスデバイスをさらに含む。図45に示すように、本非セルラ無線アクセスデバイスは受信機3901と送信機3902とを含む。
【０５５２】
受信機3901は、セルラ無線アクセスデバイスまたはアクセスコントローラACによって送信されたデータフレームを受信するように構成されており、データフレームはセルラ無線アクセスデバイスがユーザ機器UEへ送信する必要のあるデータパケットを含み、
送信機3902は、データフレームに、データパケットがセルラネットワークのデータパケットであることを指示するのに用いられる指示情報を付加し、UEへデータフレームを送信するように構成されており、指示情報はUEによって、指示情報に従ってセルラ・ネットワーク・プロトコルを用いてデータパケットを処理するのに用いられる。
【０５５３】
本発明の本実施形態では、さらに任意選択で、受信機3901は、送信機3902が、データフレームに、データパケットがセルラネットワークのデータパケットであることを指示するのに用いられる指示情報を付加し、UEへデータフレームを送信する前に、セルラ無線アクセスデバイスによって送信された指示情報を受信する、ようにさらに構成されている。
【０５５４】
本発明の本実施形態で提供される非セルラ無線アクセスデバイス内の機能モジュールの具体的な動作プロセスについては、方法実施形態における対応するプロセスの詳細な説明を参照することができることに留意すべきである。本発明の本実施形態では詳細を説明しない。
【０５５５】
セルラ無線アクセスデバイスによって送信されたデータフレームを受信した後で、本発明の本実施形態で提供される非セルラ無線アクセスデバイスは、データフレームに、データパケットがセルラネットワークのデータパケットであることを指示するのに用いられる指示情報を付加し、UEへデータフレームを送信する。UEによって受信されたデータフレームは、データパケットがセルラネットワークのデータパケットであることを指示するのに用いられる指示情報を含むため、データフレームを受信した後で、UEはセルラ・ネットワーク・プロトコルを用いてデータパケットを処理する必要がある。指示情報は、UEがセルラ・ネットワーク・プロトコルを用いてデータパケットを処理することができるように、データパケットがセルラネットワークのデータパケットであることを指示するのに用いられる。したがって、サービス継続性が保証され、それによってサービス品質およびユーザ体感が改善される。
【０５５６】
実施態様に関する以上の説明を読めば、当業者は、説明を簡便にすることを目的とした前述の機能モジュールの分割が例示とみなされるものであることを理解することができる。実際の適用においては、前述の各機能を異なるモジュールに割り振り、要件に従って実装することができ、すなわち、装置の内部構造が上述の各機能の全部または一部を実装するための異なる機能モジュールに分割される。
【０５５７】
本出願で提供されるいくつかの実施形態においては、開示の装置および方法を他のやり方で実現することもできることを理解すべきである。例えば、説明された装置実施形態は単なる例示にすぎない。例えば、モジュールまたはユニットの分割は単なる論理的機能分割にすぎず、実際の実装に際しては他の分割も可能である。例えば、複数のユニットまたはコンポーネントが組み合わされ、または統合されて別の装置になる場合もあり、ある機能が無視され、または実行されない場合もある。加えて、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０５５８】
別々の部品として記述されたユニットは物理的に分離している場合もそうでない場合もあり、ユニットとして表示された部品は1つまたは複数の物理的ユニットであってよく、一箇所に位置していてもよく、異なる場所に分散されていてもよい。ユニットの一部または全部を、各実施形態の解決策の目的を達成するための実際の必要に従って選択することもできる。
【０５５９】
加えて、本発明の各実施形態における機能ユニットが1つの処理装置へ統合される場合もあり、ユニットの各々が物理的に独立して存在する場合もあり、または2つ以上のユニットが1つのユニットへ統合される。統合ユニットはハードウェアの形態で実現されてもよく、ソフトウェア機能ユニットの形態で実現されてもよい。
【０５６０】
統合ユニットがソフトウェア機能ユニットの形態で実現され、独立した製品として販売され、または使用される場合に、その統合ユニットは可読記憶媒体に記憶されていてよい。そうした理解に基づき、本発明の技術解決策を本質的に、または先行技術に寄与する部分を、または技術解決策の全部もしくは一部を、ソフトウェア製品の形態で実現することができる。ソフトウェア製品は記憶媒体に記憶されており、（シングルチップマイクロコンピュータやチップなどとすることができる）デバイスまたはプロセッサ（processor）に、本発明の各実施形態で記述されている方法のステップの全部または一部を実行するよう命令するためのいくつかの命令を含む。前述の記憶媒体は、USBフラッシュドライブ、取り外し可能ハードディスク、読取り専用メモリ（ROM、Read−Only Memory）、ランダム・アクセス・メモリ（RAM、Random Access Memory）、磁気ディスク、光ディスクといった、プログラムコードを記憶することができる任意の媒体を含む。
【０５６１】
以上の説明は、単に、本発明の具体的実施態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は特許請求の範囲の保護範囲に従うべきものとする。
【符号の説明】
【０５６２】
161  決定モジュール
162  送信モジュール
171  受信モジュール
172  送信モジュール
173  付加モジュール
181  送信モジュール
182  受信モジュール
183  決定モジュール
191  受信モジュール
192  WiFiモジュール
193  LTEモジュール
2001  受信モジュール
2002  WiFiモジュール
2003  LTEモジュール
2101  受信モジュール
2102  LTEモジュール
2103  送信モジュール
2104  WiFiモジュール
2201  受信モジュール
2202  送信モジュール
2301  受信モジュール
2302  WiFiモジュール
2303  LTEモジュール
2401  受信モジュール
2402  WiFiモジュール
2403  LTEモジュール
2501  受信モジュール
2502  決定モジュール
2503  送信モジュール
2601  受信モジュール
2602  決定モジュール
2603  送信モジュール
2701  受信モジュール
2702  送信モジュール
2801  プロセッサ
2802  送信機
2901  受信機
2902  送信機
2903  プロセッサ
3001  送信機
3002  受信機
3003  プロセッサ
3101  受信機
3102  プロセッサ
3201  受信機
3202  プロセッサ
3301  受信機
3302  プロセッサ
3303  送信機
3401  受信機
3402  送信機
3501  受信機
3502  プロセッサ
3601  受信機
3602  プロセッサ
3701  受信機
3702  プロセッサ
3703  送信機
3801  受信機
3802  プロセッサ
3803  送信機
3901  受信機
3902  送信機
【図１】
0006478197.tif 000003
【図２】
0006478197.tif 000004
【図３】
0006478197.tif 000005
【図４】
0006478197.tif 000006
【図５】
0006478197.tif 000007
【図６】
0006478197.tif 000008
【図７】
0006478197.tif 000009
【図８】
0006478197.tif 000010
【図９】
0006478197.tif 000011
【図１０】
0006478197.tif 000012
【図１１】
0006478197.tif 000013
【図１２】
0006478197.tif 000014
【図１３】
0006478197.tif 000015
【図１４】
0006478197.tif 000016
【図１５】
0006478197.tif 000017
【図１６】
0006478197.tif 000018
【図１７】
0006478197.tif 000019
【図１８】
0006478197.tif 000020
【図１９】
0006478197.tif 000021
【図２０】
0006478197.tif 000022
【図２１】
0006478197.tif 000023
【図２２】
0006478197.tif 000024
【図２３】
0006478197.tif 000025
【図２４】
0006478197.tif 000026
【図２５】
0006478197.tif 000027
【図２６】
0006478197.tif 000028
【図２７】
0006478197.tif 000029
【図２８】
0006478197.tif 000030
【図２９】
0006478197.tif 000031
【図３０】
0006478197.tif 000032
【図３１】
0006478197.tif 000033
【図３２】
0006478197.tif 000034
【図３３】
0006478197.tif 000035
【図３４】
0006478197.tif 000036
【図３５】
0006478197.tif 000037
【図３６】
0006478197.tif 000038
【図３７】
0006478197.tif 000039
【図３８】
0006478197.tif 000040
【図３９】
0006478197.tif 000041
【図４０】
0006478197.tif 000042
【図４１】
0006478197.tif 000043
【図４２】
0006478197.tif 000044
【図４３】
0006478197.tif 000045
【図４４】
0006478197.tif 000046
【図４５】
0006478197.tif 000047